(57)【要約】  無線通信ネットワークにおいてデータユニットを送信する方法において、物理層（ＰＨＹ）プリアンブルおよび媒体アクセス制御層（ＭＡＣ）ヘッダが作成される。ＭＡＣヘッダの作成において、第１のアドレスを含むための第１アドレスフィールドおよび第２のアドレスを含むための第２アドレスフィールドが作成される。グローバルに一意でない第１のアドレスは、データユニットの宛先として意図された通信装置またはデータユニットを送信している通信装置を示す。第２アドレスフィールドは、データユニットの宛先として意図された通信装置またはデータユニットを送信している通信装置の他方を示す。第１アドレスフィールドおよび第２アドレスフィールドはＭＡＣヘッダに含められる。ＭＡＣヘッダは、第１アドレスフィールドの第１のアドレスに対応するグローバル一意のアドレスを省略する。【選択図】図１
2014524709.tif 000002
【特許請求の範囲】
【請求項１】
無線通信ネットワークにおいてデータユニットを送信する方法であって、
物理層プリアンブル（ＰＨＹプリアンブル）を作成する段階と、
媒体アクセス制御層ヘッダ（ＭＡＣヘッダ）を作成する段階と、を備え、
前記ＭＡＣヘッダを作成する段階は、
グローバルに一意でない第１のアドレスを含むための、（ｉ）前記データユニットの宛先として意図されている通信装置および（ｉｉ）前記データユニットを送信している通信装置の一方を示す第１アドレスフィールドを作成する段階、および、
第２のアドレスを含むための、（ｉ）前記データユニットの宛先として意図される通信装置および（ｉｉ）前記データユニットを送信している通信装置の他方を示す第２アドレスフィールドを作成する段階を有し、
前記方法は、更に、
前記第１アドレスフィールドおよび前記第２アドレスフィールドを前記ＭＡＣヘッダに含める段階と、
前記ＰＨＹプリアンブルおよび前記ＭＡＣヘッダを含むための前記データユニットを作成する段階と、
前記データユニットが送信されるようにする段階と、を備え、
前記データユニットの前記ＭＡＣヘッダは、前記第１アドレスフィールドの前記第１のアドレスに対応するグローバル一意アドレスを省略する、方法。
【請求項２】
前記第１のアドレスは、前記無線通信ネットワーク内において一意であるが、その他の無線通信ネットワーク内では一意でない、請求項１に記載の方法。
【請求項３】
前記第２のアドレスはグローバルに一意ではなく、
前記データユニットの前記ＭＡＣヘッダは、送信時に、前記第２アドレスフィールドの前記第２のアドレスに対応するグローバル一意アドレスを省略する、請求項１に記載の方法。
【請求項４】
前記第２のアドレスは、グローバル一意のＭＡＣアドレスである、請求項１に記載の方法。
【請求項５】
前記第２のアドレスは、ネットワーク識別子（ネットワークＩＤ）である、請求項１に記載の方法。
【請求項６】
前記ネットワークＩＤは、グローバルに一意である、請求項５に記載の方法。
【請求項７】
前記第２のアドレスは、完全長のネットワーク識別子ＩＤを用いて作成される短縮ネットワークＩＤである、請求項１に記載の方法。
【請求項８】
（ｉ）グローバルに一意であり（ｉｉ）前記第１のアドレスに対応する、第３のアドレスを含むように前記データユニットのペイロードを作成する段階をさらに備え、
前記データユニットは、前記ペイロードを含むように作成される、請求項１に記載の方法。
【請求項９】
（ｉ）前記ＭＡＣヘッダと、（ｉｉ）グローバルに一意であり前記第１のアドレスに対応する第３のアドレスとを用いて、フレームチェックシーケンスフィールドを作成する段階をさらに備え、
前記データユニットは、（ｉ）前記フレームチェックシーケンスフィールドを含むように、および、（ｉｉ）前記第３のアドレスを省略するように作成される、請求項１に記載の方法。
【請求項１０】
前記ＭＡＣヘッダを作成することは、
前記無線通信ネットワークと関連付けられたネットワークアドレスを含むための第３アドレスフィールドを作成し、
前記ＭＡＣヘッダに前記第３アドレスフィールドを含めることをさらに含む、
請求項１に記載の方法。
【請求項１１】
前記第３のアドレスはグローバルに一意でない、請求項１０に記載の方法。
【請求項１２】
データユニットの物理層プリアンブル（ＰＨＹプリアンブル）を作成し、
媒体アクセス制御層ヘッダ（ＭＡＣヘッダ）を作成し、
前記ＰＨＹプリアンブルおよび前記ＭＡＣヘッダを含むように前記データユニットを作成し、および、
前記データユニットを送信する、ように構成されたネットワークインタフェースを備え、
前記ＭＡＣヘッダは、少なくとも、
グローバルに一意でない第１のアドレスを含むための、（ｉ）前記データユニットの宛先として意図されている通信装置および（ｉｉ）前記データユニットを送信している通信装置の一方を示す第１アドレスフィールドを作成すること、
第２のアドレスを含むための、（ｉ）前記データユニットの宛先として意図される通信装置および（ｉｉ）前記データユニットを送信している通信装置の他方を示す第２アドレスフィールドを作成すること、および、
前記第１アドレスフィールドおよび前記第２アドレスフィールドを前記ＭＡＣヘッダに含めること、によって作成され、
前記データユニットの前記ＭＡＣヘッダは、前記第１アドレスフィールドの前記第１のアドレスに対応するグローバル一意アドレスを省略する、通信装置。
【請求項１３】
前記第１のアドレスは、一の無線ネットワーク内において一意であるが、その他の無線ネットワーク内では一意でない、請求項１２に記載の通信装置。
【請求項１４】
前記第２のアドレスは、グローバルに一意ではなく、
前記データユニットの前記ＭＡＣヘッダは、送信時に、前記第２アドレスフィールドの前記第２のアドレスに対応するグローバル一意アドレスを省略する、請求項１２に記載の通信装置。
【請求項１５】
前記第２のアドレスは、グローバル一意のＭＡＣアドレスである、請求項１２に記載の通信装置。
【請求項１６】
前記第２のアドレスは、ネットワーク識別子（ネットワークＩＤ）である、請求項１２に記載の通信装置。
【請求項１７】
前記ネットワークＩＤは、グローバルに一意である、請求項１６に記載の通信装置。
【請求項１８】
前記第２のアドレスは、完全長のネットワーク識別子ＩＤを用いて作成される短縮ネットワークＩＤである、請求項１２に記載の通信装置。
【請求項１９】
前記ネットワークインタフェースは、（ｉ）グローバルに一意であり（ｉｉ）前記第１のアドレスに対応する、第３のアドレスを含むように前記データユニットのペイロードを作成するように構成され、
前記データユニットは、前記ペイロードを含むように作成される、請求項１２に記載の通信装置。
【請求項２０】
前記ネットワークインタフェースは、（ｉ）前記ＭＡＣヘッダと、（ｉｉ）グローバルに一意であり前記第１のアドレスに対応する第３のアドレスとを用いて、フレームチェックシーケンスフィールドを作成するように構成され、
前記データユニットは、（ｉ）前記フレームチェックシーケンスフィールドを含むように、および、（ｉｉ）前記第３のアドレスを省略するように作成される、請求項１２に記載の通信装置。
【請求項２１】
前記ネットワークインタフェースは、
一の無線ネットワークと関連付けられたネットワークアドレスを含むための第３アドレスフィールドを作成し、
前記ＭＡＣヘッダに前記第３アドレスフィールドを含めるように構成される、
請求項１２に記載の通信装置。
【請求項２２】
前記第３のアドレスは、グローバルに一意でない、請求項２１に記載の通信装置。
【請求項２３】
無線ネットワークにおいて送信されるデータユニットを作成する方法であって、
前記方法は、
物理層プリアンブル（ＰＨＹプリアンブル）を作成する段階と、
媒体アクセス制御層ヘッダ（ＭＡＣヘッダ）を作成する段階と、
前記ＰＨＹプリアンブルおよび前記ＭＡＣヘッダを含むように前記データユニットを作成する段階と、
前記データユニットが送信されるようにする段階と、を備え、
前記ＰＨＹプリアンブルを作成する段階は、
（ｉ）前記データユニットが、前記無線ネットワークとは別の携帯電話通信ネットワークからオフロードされたデータを含むか、および、（ｉｉ）前記データユニットが、前記携帯電話通信ネットワークから前記無線ネットワークへのデータのオフロードをサポートする通信装置によって（ａ）作成されるかまたは（ｂ）前記通信装置に対してアドレス指定されるか、のうちの少なくとも１つを示す第１のインジケータを作成する段階、および、
前記第１のインジケータを前記ＰＨＹプリアンブルに含める段階、を有する、方法。
【請求項２４】
前記第１のインジケータは、さらに、前記データユニットが、前記無線ネットワークにおける電力要件の厳しい通信装置に対してアドレス指定されているかを示す、請求項２３に記載の方法。
【請求項２５】
前記ＰＨＹプリアンブルを作成する段階は、さらに、
前記データユニットが前記無線ネットワークにおいて電力要件の厳しい通信装置に対してアドレス指定されているかを示す第２のインジケータを作成する段階と、
前記第２のインジケータを前記ＰＨＹプリアンブルに含める段階と、を備える、請求項２３に記載の方法。
【請求項２６】
前記ＰＨＹプリアンブルの作成は、さらに、
前記データユニットの宛先として意図された通信装置の少なくとも部分的なアドレスを含むためのアドレスフィールドを作成する段階と、
前記ＰＨＹプリアンブルに前記アドレスフィールドを含める段階と、を備える、請求項２３に記載の方法。
【請求項２７】
前記第１のインジケータは、前記アドレスフィールドの一部である、請求項２６に記載の方法。
【請求項２８】
前記第１のインジケータは、前記アドレスフィールドとは別のフィールドである、請求項２６に記載の方法。
【請求項２９】
前記ＰＨＹプリアンブルを作成する段階は、さらに、
前記データユニットがアクセスポイントによって送信されるかを示す第２のインジケータを作成する段階と、
前記ＰＨＹプリアンブルに前記第２のインジケータを含める段階と、を有する、請求項２３に記載の方法。
【請求項３０】
前記ＰＨＹプリアンブルを作成する段階は、さらに、
ネットワーク識別子（ＩＤ）フィールドを作成する段階と、
前記ＰＨＹプリアンブルに前記ネットワークＩＤフィールドを含める段階と、を有する、請求項２３に記載の方法。
【請求項３１】
データユニットの物理層プリアンブル（ＰＨＹプリアンブル）を作成し、
媒体アクセス制御層ヘッダ（ＭＡＣヘッダ）を作成し、
前記ＰＨＹプリアンブルおよび前記ＭＡＣヘッダを含むように前記データユニットを作成し、および、
前記データユニットを送信する、ように構成されるネットワークインタフェースを備え、
前記ＰＨＹプリアンブルは、少なくとも、
（ｉ）前記データユニットが一の無線ネットワークとは別の携帯電話通信ネットワークからオフロードされたデータを含むか、および、（ｉｉ）前記データユニットが、前記携帯電話通信ネットワークから前記一の無線ネットワークへのデータのオフロードをサポートする通信装置によって（ａ）作成されるかまたは（ｂ）前記通信装置に対してアドレス指定されるか、のうちの少なくとも１つを示す第１のインジケータを作成すること、および、
前記第１のインジケータを前記ＰＨＹプリアンブルに含めること、によって作成される、装置。
【請求項３２】
前記第１のインジケータは、さらに、前記データユニットが前記一の無線ネットワークにおける電力要件の厳しい通信装置に対してアドレス指定されているかを示す、請求項３１に記載の装置。
【請求項３３】
前記ネットワークインタフェースは、さらに、
前記データユニットが前記一の無線ネットワークにおいて電力要件の厳しい通信装置に対してアドレス指定されているかを示す第２のインジケータを作成し、および、
前記第２のインジケータを前記ＰＨＹプリアンブルに含める、ように構成される、請求項３１に記載の装置。
【請求項３４】
前記ネットワークインタフェースは、さらに、
前記データユニットの宛先として意図された通信装置の少なくとも部分的なアドレスを含むためのアドレスフィールドを作成し、および、
前記ＰＨＹプリアンブルに前記アドレスフィールドを含める、ように構成される、請求項３１に記載の装置。
【請求項３５】
前記第１のインジケータは、前記アドレスフィールドの一部である、請求項３４に記載の装置。
【請求項３６】
前記第１のインジケータは、前記アドレスフィールドとは別のフィールドである、請求項３４に記載の装置。
【請求項３７】
前記ネットワークインタフェースは、さらに、
前記データユニットがアクセスポイントによって送信されるかを示す第２のインジケータを作成し、および、
前記ＰＨＹプリアンブルに前記第２のインジケータを含める、ように構成される、請求項３１に記載の装置。
【請求項３８】
前記ネットワークインタフェースは、さらに、
ネットワーク識別子（ＩＤ）フィールドを作成し、および、
前記ＰＨＹプリアンブルに前記ネットワークＩＤフィールドを含める、ように構成される、請求項３１に記載の装置。
【請求項３９】
無線ネットワークにおいて送信されるデータユニットを作成する方法であって、
前記方法は、
物理層プリアンブル（ＰＨＹプリアンブル）を作成する段階と、
媒体アクセス制御層ヘッダ（ＭＡＣヘッダ）を作成する段階と、
暗号化されたデータ部分を復号化するための情報を含むための暗号化情報ヘッダを作成する段階と、
前記暗号化されたデータ部分を作成する段階と、
（ｉ）前記ＰＨＹプリアンブルと、（ｉｉ）前記ＭＡＣヘッダと、（ｉｉｉ）前記暗号化情報ヘッダと、（ｉｖ）前記暗号化されたデータ部分とを含むように前記データユニットを作成する段階と、
前記データユニットを送信させる段階と、を備え、
前記暗号化情報ヘッダの長さは、最大４バイトである、方法。
【請求項４０】
前記暗号化情報ヘッダの長さは最大２バイトである、請求項３９に記載の方法。
【請求項４１】
前記ＭＡＣヘッダは、前記暗号化されたデータ部分を復号化するために使用される鍵のインジケータを含むように作成される、請求項３９に記載の方法。
【請求項４２】
前記ＭＡＣヘッダを作成する段階は、
（ｉ）ネットワーク識別子（ネットワークＩＤ）および（ｉｉ）最大１２ビットの長さを有するアソシエーションＩＤのうちの少なくとも１つを含むように、前記ＭＡＣヘッダを作成する段階を有し、
前記アソシエーションＩＤは、前記データユニットの送信装置を示し、
前記暗号化されたデータ部分を作成する段階は、
（ｉ）前記ネットワークＩＤおよび（ｉｉ）前記アソシエーションＩＤのうちの少なくとも１つを含むようにノンスを作成する段階と、
前記ノンスを使用して前記データ部分を暗号化する段階と、を有する、請求項３９に記載の方法。
【請求項４３】
前記ＰＨＹプリアンブルを作成する段階または前記ＭＡＣヘッダを作成する段階は、
前記データユニットがアクセスポイントから送信されるかを示すフラグを含むように前記ＰＨＹプリアンブルまたは前記ＭＡＣヘッダを作成する段階を有し、
前記暗号化されたデータ部分を作成する段階は、
前記フラグを含むようにノンスを作成する段階と、
前記ノンスを使用して前記データ部分を暗号化する段階と、を有する、請求項３９に記載の方法。
【請求項４４】
前記暗号化されたデータ部分を作成する段階は、
前記データユニットの意図された受信側の媒体アクセス制御アドレス（ＭＡＣアドレス）を含むようにノンスを作成する段階と、
前記ノンスを使用して前記データ部分を暗号化する段階と、を有し、
前記ＭＡＣアドレスは、前記ＭＡＣヘッダに含められる、請求項３９に記載の方法。
【請求項４５】
物理層プリアンブル（ＰＨＹプリアンブル）を作成し、
媒体アクセス制御層ヘッダ（ＭＡＣヘッダ）を作成し、
暗号化されたデータ部分を復号化するための情報を含むように暗号化情報ヘッダを作成し、
前記暗号化されたデータ部分を作成し、
（ｉ）前記ＰＨＹプリアンブルと、（ｉｉ）前記ＭＡＣヘッダと、（ｉｉｉ）前記暗号化情報ヘッダと、（ｉｖ）前記暗号化されたデータ部分とを含むようにデータユニットを作成し、および、
前記データユニットを送信する、ように構成されるネットワークインタフェースを備え、
前記暗号化情報ヘッダの長さは最大４バイトである、通信装置。
【請求項４６】
前記暗号化情報ヘッダの長さは、最大２バイトである、請求項４５に記載の通信装置。
【請求項４７】
前記ネットワークインタフェースは、前記暗号化されたデータ部分を復号化するために使用される鍵のインジケータを含むように前記ＭＡＣヘッダを作成するように構成される、請求項４５に記載の通信装置。
【請求項４８】
前記ネットワークインタフェースは、
（ｉ）ネットワーク識別子（ネットワークＩＤ）および（ｉｉ）最大１２ビットの長さを有するアソシエーションＩＤのうちの少なくとも１つを含むように前記ＭＡＣヘッダを作成し、
（ｉ）前記ネットワークＩＤおよび（ｉｉ）前記アソシエーションＩＤのうちの少なくとも１つを含むようにノンスを作成し、および、
前記ノンスを使用して前記データ部分を暗号化する、ように構成され、
前記アソシエーションＩＤは、前記データユニットの送信装置を示す、請求項４５に記載の通信装置。
【請求項４９】
前記ネットワークインタフェースは、
前記データユニットがアクセスポイントから送信されるかを示すフラグを含むように前記ＰＨＹプリアンブルまたは前記ＭＡＣヘッダを作成し、
前記フラグを含むようにノンスを作成し、および、
前記ノンスを使用して前記データ部分を暗号化する、ように構成される、請求項４５に記載の通信装置。
【請求項５０】
前記ネットワークインタフェースは、
前記データユニットの意図された受信側の媒体アクセス制御アドレス（ＭＡＣアドレス）を含むようにノンスを作成し、
前記ノンスを使用して前記データ部分を暗号化するように構成され、
前記ＭＡＣアドレスは前記ＭＡＣヘッダに含められる、請求項４５に記載の通信装置。
【請求項５１】
制御データユニットを作成する方法であって、
前記方法は、
前記制御データユニットの物理層プリアンブル（ＰＨＹプリアンブル）を作成する段階と、
前記ＰＨＹプリアンブルを含むように前記制御データユニットを作成する段階と、
前記制御データユニットを送信させる段階と、を備え、
前記ＰＨＹプリアンブルを作成する段階は、
前記データユニットの宛先として意図される通信装置を示すアドレスフィールドを作成する段階と、
前記制御データユニットのタイプを示すフレームタイプフィールドを作成する段階と、
前記アドレスフィールドおよび前記フレームタイプフィールドを前記ＰＨＹプリアンブルに含める段階と、を有し、
前記制御データユニットが（ｉ）ＭＡＣヘッダおよび（ｉｉｉ）ペイロードを省略する、方法。
【請求項５２】
前記アドレスフィールドのアドレスは、グローバルに一意でないアドレスを含む、請求項５１に記載の方法。
【請求項５３】
前記ＰＨＹプリアンブルの作成する段階は、
固定長の制御データユニットのインジケータを作成する段階と、
前記インジケータを前記ＰＨＹプリアンブルに含める段階とを含む、請求項５１に記載の方法。
【請求項５４】
前記制御データユニットは、最低変調符号化方式に従って送信される、請求項５１に記載の方法。
【請求項５５】
前記制御データユニットは、単一の空間ストリームを使用して送信される、請求項５１に記載の方法。
【請求項５６】
前記制御データユニットは、他のデータユニットのデータに対して実行される誤り検出動作に対応するフレームチェックシーケンス（ＦＣＳ）を有する前記他のデータユニットの受信を通知する確認応答データユニットであり、
前記方法は、さらに、前記データユニットの前記ＰＨＹプリアンブル内に、前記他のデータユニットからの前記ＦＣＳの少なくとも一部を含めることを含む、請求項５１に記載の方法。
【請求項５７】
前記制御データユニットは、送信要求データユニット（ＲＴＳデータユニット）内のデータに対して実行される誤り検出動作に対応するフレームチェックシーケンス（ＦＣＳ）を有する前記ＲＴＳデータユニットの受信を通知する送信可（ＣＴＳ）データユニットであり、
前記方法は、前記データユニットの前記ＰＨＹプリアンブルに前記ＲＴＳデータユニットの前記ＦＣＳの少なくとも一部を含めることを含む、
請求項５１に記載の方法。
【請求項５８】
前記ＰＨＹプリアンブルの作成は、
（ｉ）前記データユニットはアクセスポイント（ＡＰ）を宛先として意図したものであるか、または（ｉｉ）前記データユニットが前記ＡＰによって送信されたものであるかを示すインジケータを作成し、
前記ＰＨＹプリアンブルに前記インジケータを含める
ことを含む、請求項５１に記載の方法。
【請求項５９】
前記ＰＨＹプリアンブルの作成は、
デュレーションフィールドを作成し、
前記ＰＨＹプリアンブルに前記デュレーションフィールドを含める
ことを含む、請求項５１に記載の方法。
【請求項６０】
前記ＰＨＹプリアンブルの作成は、
通信装置が利用可能な帯域幅の量を示す帯域幅フィールドを作成し、
前記ＰＨＹプリアンブルに前記帯域幅フィールドを含める
ことを含む、請求項５１に記載の方法。
【請求項６１】
前記アドレスフィールドおよび前記フレームタイプフィールドは、前記ＰＨＹプリアンブルの信号フィールドに含まれる、請求項５１に記載の方法。
【請求項６２】
制御データユニットの物理層プリアンブル（ＰＨＹプリアンブル）を作成し、
前記ＰＨＹプリアンブルを含むように前記制御データユニットを作成し、
前記制御データユニットを送信する、ように構成されるネットワークインタフェースを備え、
前記制御データユニットは、少なくとも、
前記データユニットの宛先として意図される通信装置を示すアドレスフィールドを作成すること、
制御データユニットのタイプを示すフレームタイプフィールドを作成すること、および、
前記アドレスフィールドおよび前記フレームタイプフィールドを前記ＰＨＹプリアンブルに含めること、によって作成され、
前記制御データユニットが（ｉ）ＭＡＣヘッダおよび（ｉｉｉ）ペイロードを省略する、
装置。
【請求項６３】
前記アドレスフィールドのアドレスは、グローバルに一意でないアドレスを含む、請求項６２に記載の装置。
【請求項６４】
前記ネットワークインタフェースは、少なくとも、
固定長の制御データユニットのインジケータを作成すること、および、
前記インジケータを前記ＰＨＹプリアンブルに含めること、によって前記ＰＨＹプリアンブルを作成するように構成される、請求項６２に記載の装置。
【請求項６５】
前記ネットワークインタフェースは、前記制御データユニットを、最低変調符号化方式に従って送信するように構成される、請求項６２に記載の装置。
【請求項６６】
前記ネットワークインタフェースは、前記制御データユニットを、単一の空間ストリームを使用して送信するように構成される、請求項６２に記載の装置。
【請求項６７】
前記制御データユニットは、他のデータユニットのデータに対して実行される誤り検出動作に対応するフレームチェックシーケンス（ＦＣＳ）を有する前記他のデータユニットを受信したことを通知する確認応答データユニットであり、
前記ネットワークインタフェースは、前記データユニットの前記ＰＨＹプリアンブル内に、前記他のデータユニットからの前記ＦＣＳの少なくとも一部を含めるように構成される、請求項６２に記載の装置。
【請求項６８】
前記制御データユニットは、送信要求データユニット（ＲＴＳデータユニット）内のデータに対して実行される誤り検出動作に対応するフレームチェックシーケンス（ＦＣＳ）を有する前記ＲＴＳデータユニットを受信したことを通知する送信可（ＣＴＳ）データユニットであり、
前記ネットワークインタフェースは、前記データユニットの前記ＰＨＹプリアンブルに前記ＲＴＳデータユニットの前記ＦＣＳの少なくとも一部を含めるように構成される、
請求項６２に記載の装置。
【請求項６９】
前記ネットワークインタフェースは、少なくとも、
（ｉ）前記データユニットはアクセスポイント（ＡＰ）を宛先として意図したものであるか、または（ｉｉ）前記データユニットが前記ＡＰによって送信されたものであるかを示すインジケータを作成し、
前記ＰＨＹプリアンブルに前記インジケータを含める、ことによって前記ＰＨＹプリアンブルを作成するように構成される、請求項６２に記載の装置。
【請求項７０】
前記ネットワークインタフェースは、少なくとも、
デュレーションフィールドを作成し、
前記ＰＨＹプリアンブルに前記デュレーションフィールドを含めること、によって前記ＰＨＹプリアンブルを作成するように構成される、請求項６２に記載の装置。
【請求項７１】
前記ネットワークインタフェースは、少なくとも、
通信装置が利用可能な帯域幅の量を示す帯域幅フィールドを作成し、
前記ＰＨＹプリアンブルに前記帯域幅フィールドを含める、ことによって前記ＰＨＹプリアンブルを作成するように構成される、請求項６２に記載の装置。
【請求項７２】
前記ネットワークインタフェースは、前記アドレスフィールドおよび前記フレームタイプフィールドを、前記ＰＨＹプリアンブルの信号フィールド内に含めるように構成される、請求項６２に記載の装置。
【請求項７３】
無線ネットワークにおいて制御データユニットを送信する方法であって、前記方法は、
通信装置において、前記制御データユニットを作成するために、複数のベースチャンネル帯域幅からベースチャンネル帯域幅を選択する段階と、
前記通信装置において、前記選択されたベースチャンネル帯域幅で前記制御データユニットを作成する段階と、
前記選択されたチャンネル帯域幅の前記制御データユニットが複製されて、前記ベースチャンネル帯域幅のＮ倍を占める伝送を実現するように前記通信装置によって前記制御データユニットを送信させる段階と、を備え、
Ｎは２以上の整数である、方法。
【請求項７４】
前記ベースチャンネル帯域幅の選択はチャンネル条件に基づく、請求項７３に記載の方法。
【請求項７５】
前記ベースチャンネル帯域幅の選択は、前記無線ネットワークにおける１つ以上の他の通信装置のチャンネル帯域幅機能に基づく、請求項７３に記載の方法。
【請求項７６】
前記ベースチャンネル帯域幅の選択は、前記通信装置によって受信される送信要求データユニット（ＲＴＳデータユニット）を送信するために使用されるベースチャンネル帯域幅に基づく、請求項７３に記載の方法。
【請求項７７】
前記ベースチャンネル帯域幅の選択は、別の通信装置から受信されたベースチャンネル帯域幅要求に基づく、請求項７３に記載の方法。
【請求項７８】
前記複数のベースチャンネル帯域幅は、少なくとも（ｉ）１ＭＨｚおよび（ｉｉ）２ＭＨｚを含む、請求項７３に記載の方法。
【請求項７９】
全チャンネル帯域幅は４ＭＨｚ、８ＭＨｚ、または１６ＭＨｚであり、
前記方法は、さらに、
前記通信装置において、チャンネル条件に応じて、
（ｉ）送信要求データユニット（ＲＴＳデータユニット）または自己へ送信可（ＣＴＳ  ｔｏ  ｓｅｌｆ）データユニットを送信しないこと、
（ｉｉ）前記ＲＴＳデータユニットまたは前記ＣＴＳ  ｔｏ  ｓｅｌｆデータユニットを２ＭＨｚのベース帯域幅で送信すること、または、
（ｉｉｉ）前記ＲＴＳデータユニットまたは前記ＣＴＳ  ｔｏ  ｓｅｌｆデータユニットを１ＭＨｚのベース帯域幅で送信すること、を選択する段階を備え、
（ｉｉ）または（ｉｉｉ）が選択された場合には、
前記通信装置において、前記ＲＴＳデータユニットまたは前記ＣＴＳ  ｔｏ  ｓｅｌｆデータユニットを前記選択されたベース帯域幅で作成する段階と、
前記通信装置において、前記ＲＴＳデータユニットまたは前記ＣＴＳ  ｔｏ  ｓｅｌｆデータユニットが複製されて前記全チャンネル帯域幅を占める伝送を実現するように、前記通信装置によって前記ＲＴＳデータユニットまたは前記ＣＴＳ  ｔｏ  ｓｅｌｆデータユニットを送信させる段階と、を備える、請求項７３に記載の方法。
【請求項８０】
制御データユニットを作成するために、複数のベースチャンネル帯域幅からベースチャンネル帯域幅を選択し、
前記選択されたベースチャンネル帯域幅で前記制御データユニットを作成し、
前記選択されたチャンネル帯域幅の前記制御データユニットが複製されて、前記ベースチャンネル帯域幅のＮ倍を占める伝送を実現するように前記制御データユニットを送信するように構成される、ネットワークインタフェースを備え、
Ｎは２以上の整数である、通信装置。
【請求項８１】
前記ネットワークインタフェースは、チャンネル条件に基づいて前記ベースチャンネル帯域幅を選択するように構成される、請求項８０に記載の通信装置。
【請求項８２】
前記ネットワークインタフェースは、無線ネットワークにおける１つ以上の他の通信装置のチャンネル帯域幅機能に基づいて前記ベースチャンネル帯域幅を選択するように構成される、請求項８０に記載の通信装置。
【請求項８３】
前記ネットワークインタフェースは、前記通信装置によって受信される送信要求データユニット（ＲＴＳデータユニット）を送信するために使用されるベースチャンネル帯域幅に基づいて前記ベースチャンネル帯域幅を選択するように構成される、請求項８０に記載の通信装置。
【請求項８４】
前記ネットワークインタフェースは、別の通信装置から受信されたベースチャンネル帯域幅要求に基づいて前記ベースチャンネル帯域幅を選択するように構成される、請求項８０に記載の通信装置。
【請求項８５】
前記複数のベースチャンネル帯域幅は、少なくとも（ｉ）１ＭＨｚおよび（ｉｉ）２ＭＨｚを含む、請求項８０に記載の通信装置。
【請求項８６】
全チャンネル帯域幅は４ＭＨｚ、８ＭＨｚ、または１６ＭＨｚであり、
前記ネットワークインタフェースは、
チャンネル条件に応じて、
（ｉ）送信要求データユニット（ＲＴＳデータユニット）または自己へ送信可（ＣＴＳ  ｔｏ  ｓｅｌｆ）データユニットを送信しないこと、
（ｉｉ）前記ＲＴＳデータユニットまたは前記ＣＴＳ  ｔｏ  ｓｅｌｆデータユニットを２ＭＨｚのベース帯域幅で送信すること、または
（ｉｉｉ）前記ＲＴＳデータユニットまたは前記ＣＴＳ  ｔｏ  ｓｅｌｆデータユニットを１ＭＨｚのベース帯域幅で送信すること、を選択し、
（ｉｉ）または（ｉｉｉ）が選択された場合には、
前記ＲＴＳデータユニットまたは前記ＣＴＳ  ｔｏ  ｓｅｌｆデータユニットを前記選択されたベース帯域幅で作成し、
前記ＲＴＳデータユニットまたは前記ＣＴＳ  ｔｏ  ｓｅｌｆデータユニットが複製されて前記全チャンネル帯域幅を占める伝送を実現するように、前記ＲＴＳデータユニットまたは前記ＣＴＳ  ｔｏ  ｓｅｌｆデータユニットを送信する、ように構成される、請求項８０に記載の通信装置。
【請求項８７】
無線ネットワークにおいて送信されるデータユニットを作成する方法であって、
前記方法は、
物理層プリアンブル（ＰＨＹプリアンブル）を作成する段階と、
媒体アクセス制御層ヘッダ（ＭＡＣヘッダ）を作成する段階と、
前記ＰＨＹプリアンブルおよび前記ＭＡＣヘッダを含むように前記データユニットを作成する段階と、
前記データユニットが送信されるようにする段階と、を備え、
前記ＰＨＹプリアンブルを作成する段階は、
確認応答データユニットが前記データユニットの後続となることを意図されているかを示すフィールドを作成する段階と、
前記ＰＨＹプリアンブルに前記フィールドを含める段階と、を有する、方法。
【請求項８８】
前記フィールドは、さらに、前記確認応答データユニットが前記データユニットの後続となることが意図されている場合に、前記確認応答データユニットがブロック確認応答であるかを示す、請求項８７に記載の方法。
【請求項８９】
前記フィールドは２ビットからなり、
前記フィールドの第１の値は、前記確認応答データユニットが前記データユニットの後続となることが意図されていることを示し、
前記フィールドの第２の値は、ブロック確認応答データユニットが前記データユニットの後続となることが意図されてことを示し、
前記フィールドの第３の値は、前記データユニットの後続となることが意図されている確認応答データユニットが存在しないことを示す、
請求項８７に記載の方法。
【請求項９０】
前記データユニットは第１のデータユニットであり、
確認応答データユニットが前記第１のデータユニットの後続となることが意図されるかを示す前記フィールドは第１のフィールドであり、
前記方法は、さらに、
第２のデータユニットが前記確認応答データユニットの後に送信されるかを示す第２のフィールドを作成する段階と、
前記第２のフィールドを前記第１のデータユニットの前記ＰＨＹプリアンブルに含める段階と、
前記第２のデータユニットを作成する段階と、
前記確認応答データユニットの受信後に、前記第２のデータユニットが送信されるようにする段階と、を備える、請求項８７に記載の方法。
【請求項９１】
物理層プリアンブル（ＰＨＹプリアンブル）を作成し、
媒体アクセス制御層ヘッダ（ＭＡＣヘッダ）を作成し、
前記ＰＨＹプリアンブルおよび前記ＭＡＣヘッダを含むようにデータユニットを作成し、および、
前記データユニットを送信する、ように構成されるネットワークインタフェースを備え、
前記ＰＨＹプリアンブルは、少なくとも、
確認応答データユニットが前記データユニットの後続となることを意図されているかを示すフィールドを作成すること、および、
ＰＨＹプリアンブルに前記フィールドを含めること、によって作成される、装置。
【請求項９２】
前記フィールドは、さらに、前記確認応答データユニットが前記データユニットの後続となることが意図されている場合に、前記確認応答データユニットがブロック確認応答であるかを示す、請求項９１に記載の装置。
【請求項９３】
前記フィールドは２ビットからなり、
前記フィールドの第１の値は、前記確認応答データユニットが前記データユニットの後続となることが意図されていることを示し、
前記フィールドの第２の値は、ブロック確認応答確認応答データユニットが前記データユニットの後続となることが意図されていることを示し、
前記フィールドの第３の値は、前記データユニットの後続となることが意図されている確認応答データユニットが存在しないことを示す、請求項９１に記載の装置。
【請求項９４】
前記データユニットは第１のデータユニットであり、
確認応答フレームが前記第１のデータユニットの後続となることが意図されるかを示す前記フィールドは第１のフィールドであり、
前記ネットワークインタフェースは、さらに、
第２のデータユニットが前記確認応答フレームの後に送信されるかを示す第２のフィールドを作成し、
前記第２のフィールドを前記第１のデータユニットの前記ＰＨＹプリアンブルに含め、
前記第２のデータユニットを作成し、
前記確認応答フレームの受信後に、前記第２のデータユニットを送信する、ように構成される、請求項９１に記載の装置。
【請求項９５】
無線ネットワークにおいて通信媒体に対するアクセスを共有する方法であって、
前記方法は、
第１の通信装置において、第２の通信装置によって送信されたデータユニットを受信する段階と、
前記第１の通信装置において、前記データユニットの物理層プリアンブル（ＰＨＹプリアンブル）のフィールドを処理して、確認応答データユニットが前記データユニットの後続となることが意図されているかを決定する段階と、
前記第１の通信装置において、前記第１の通信装置による送信を禁止する期間を決定する段階と、
前記決定された期間中は前記第１の通信装置において送信が禁止される段階と、を備え、
前記ＰＨＹプリアンブルの前記フィールドは、確認応答データユニットが前記データユニットの後続となることが意図されているかを示し、前記確認応答データユニットが第３の通信装置によって送信され、
前記期間は、（ｉ）前記データユニットを送信する時間、（ｉｉ）確認応答データユニットが前記データユニットの後続となることが意図されることが決定された場合、前記確認応答データユニットを送信する時間に対応する、方法。
【請求項９６】
前記確認応答データユニットが前記データユニットの後続となることが意図されている場合、前記フィールドは、さらに、前記確認応答データユニットがブロック確認応答であるかを示す、請求項９５に記載の方法。
【請求項９７】
前記フィールドは２ビットからなり、
前記フィールドの第１の値は、前記確認応答データユニットが前記データユニットの後続となることが意図されることを示し、
前記フィールドの第２の値は、ブロック確認応答確認応答データユニットが前記データユニットの後続となることが意図されることを示し、
前記フィールドの第３の値は、前記データユニットの後続となることが意図される確認応答データユニットが存在しないことを示す、
請求項９５に記載の方法。
【請求項９８】
前記データユニットは第１のデータユニットであり、
確認応答データユニットが前記第１のデータユニットの後続となることが意図されるかを示す前記フィールドは第１のフィールドであり、
前記方法は、さらに、
前記第１の通信装置において、前記第１のデータユニットの前記ＰＨＹプリアンブルの第２のフィールドを処理して、第２のデータユニットが前記確認応答データユニットの後に前記第２の通信装置によって送信されるかを決定する段階を備え、
前記期間は、（ｉｉｉ）前記第２のデータユニットが前記確認応答データユニットの後に前記第２の通信装置によって送信されることが決定された場合、前記第２のデータユニットを送信する時間にも対応する、請求項９５に記載の方法。
【請求項９９】
前記データユニットは第１のデータユニットであり、
確認応答データユニットが前記第１のデータユニットの後続となることが意図されることを示す前記フィールドは第１のフィールドであり、
前記方法は、さらに、
前記第１の通信装置において、前記第３の通信装置によって送信された前記確認応答データユニットを受信する段階と、
前記第１の通信装置において、前記確認応答データユニットの第２のフィールドを処理して、第２のデータユニットが、前記確認応答データユニットの後に前記第２の通信装置によって送信されるかを決定する段階と、を備え、
前記確認応答データユニットの前記第２のフィールドが、前記第２のデータユニットが前記確認応答データユニットの後に前記第２の通信装置によって送信されるかを示し、
前記期間は、（ｉｉｉ）前記第２のデータユニットが、前記確認応答データユニットの後に前記第２の通信装置によって送信されることが決定された場合、前記第２のデータユニットを送信する時間にも対応する、請求項９５に記載の方法。
【請求項１００】
第２の通信装置によって送信されたデータユニットを受信し、
前記データユニットの物理層プリアンブル（ＰＨＹプリアンブル）のフィールドを処理して、確認応答データユニットが前記データユニットの後続となることが意図されているかを決定し、
第１の通信装置による送信を禁止する期間を決定し、および、
前記決定された期間中は送信を禁止するように構成されるネットワークインタフェースを備え、
前記ＰＨＹプリアンブルの前記フィールドは、確認応答データユニットが前記データユニットの後続となることが意図されているかを示し、
前記確認応答データユニットが、第３の通信装置によって送信され、
前記期間は、（ｉ）前記データユニットを送信する時間、（ｉｉ）確認応答データユニットが前記データユニットの後続となることが意図されることが決定された場合、前記確認応答データユニットを送信する時間に対応する、第１の通信装置。
【請求項１０１】
前記確認応答データユニットが前記データユニットの後続となることが意図されている場合、前記フィールドは、さらに、前記確認応答データユニットがブロック確認応答であるかを示す、請求項１００に記載の第１の通信装置。
【請求項１０２】
前記フィールドは２ビットからなり、
前記フィールドの第１の値は、前記確認応答データユニットが前記データユニットの後続となることが意図されることを示し、
前記フィールドの第２の値は、ブロック確認応答確認応答データユニットが前記データユニットの後続となることが意図されることを示し、
前記フィールドの第３の値は、前記データユニットの後続となることが意図される確認応答データユニットが存在しないことを示す、
請求項１００に記載の第１の通信装置。
【請求項１０３】
前記データユニットは第１のデータユニットであり、
確認応答データユニットが前記第１のデータユニットの後続となることが意図されることを示す前記フィールドは、第１のフィールドであり、
前記ネットワークインタフェースは、前記第１のデータユニットの前記ＰＨＹプリアンブルの第２のフィールドを処理して、第２のデータユニットが、前記確認応答データユニットの後に前記第２の通信装置によって送信されるかを決定するように構成され、
前記期間は、（ｉｉｉ）前記第２のデータユニットが前記確認応答データユニットの後に前記第２の通信装置によって送信されることが決定された場合、前記第２のデータユニットを送信する時間にも対応する、請求項１００に記載の第１の通信装置。
【請求項１０４】
前記データユニットは第１のデータユニットであり、
確認応答データユニットが前記第１のデータユニットの後続となることが意図されることを示す前記フィールドは、第１のフィールドであり、
前記ネットワークインタフェースは、
前記第３の通信装置によって送信された前記確認応答データユニットを受信し、
前記確認応答データユニットの第２のフィールドを処理して、第２のデータユニットが、前記確認応答データユニットの後に前記第２の通信装置によって送信されるかを決定する、ように構成され、
前記確認応答データユニットの前記第２のフィールドが、前記第２のデータユニットが前記確認応答データユニットの後に前記第２の通信装置によって送信されるかを示し、
前記期間は、（ｉｉｉ）前記第２のデータユニットが、前記確認応答データユニットの後に前記第２の通信装置によって送信されることが決定された場合、前記第２のデータユニットを送信する時間にも対応する、請求項１００に記載の第１の通信装置。
【発明の詳細な説明】
【技術分野】
【０００１】
［関連出願］
本開示は、以下の米国特許仮出願の利益を主張するものである米国特許仮出願番号第６１／５２３，７７１号，名称「８０２．１１ａｈ  Ｆｒａｍｅ  Ｆｏｒｍａｔ  Ｄｅｓｉｇｎ」，２０１１年８月１５日出願米国特許仮出願番号第６１／５２８，６４９号，名称「８０２．１１ａｈ  Ｆｒａｍｅ  Ｆｏｒｍａｔ  Ｄｅｓｉｇｎ］，２０１１年８月２９日出願米国特許仮出願番号第６１／５３３，０６５号，発明の名称「８０２．１１ａｈ  Ｆｒａｍｅ  Ｆｏｒｍａｔ  Ｄｅｓｉｇｎ」，２０１１年９月９日出願米国特許仮出願番号第６１／５４８，９６５号，名称「８０２．１１ａｈ  Ｆｒａｍｅ  Ｆｏｒｍａｔ  Ｄｅｓｉｇｎ」，２０１１年１０月１９日出願米国特許仮出願番号第６１／５６１，７５４号，名称「８０２．１１ａｈ  Ｆｒａｍｅ  Ｆｏｒｍａｔ  Ｄｅｓｉｇｎ」，２０１１年１１月１８日出願米国特許仮出願番号第６１／５６５，３３０号，名称「８０２．１１ａｈ  Ｆｒａｍｅ  Ｆｏｒｍａｔ  Ｄｅｓｉｇｎ」，２０１１年１１月３０日出願米国特許仮出願番号第６１／５６５，９０４号，名称「８０２．１１ａｈ  Ｆｒａｍｅ  Ｆｏｒｍａｔ  Ｄｅｓｉｇｎ」，２０１１年１２月１日出願米国特許仮出願番号第６１／５８５，５７０号，名称「８０２．１１ａｈ  Ｆｒａｍｅ  Ｆｏｒｍａｔ  Ｄｅｓｉｇｎ」，２０１２年１月１１日出願米国特許仮出願番号第６１／５９２，２５７号，名称「８０２．１１ａｈ  Ｆｒａｍｅ  Ｆｏｒｍａｔ  Ｄｅｓｉｇｎ」，２０１２年１月３０日出願米国特許仮出願番号第６１／５９５，３４３，名称「８０２．１１ａｈ  Ｆｒａｍｅ  Ｆｏｒｍａｔ  Ｄｅｓｉｇｎ」，２０１２年２月６日出願  上記の参考特許出願のすべての開示は、その全体が、本明細書に参考として組み込まれる。
【０００２】
本開示は、一般に通信ネットワークに関し、より詳細には長距離無線ローカルエリアネットワークに対するデータユニットフォーマットに関する。
【背景技術】
【０００３】
本背景の記載は、本開示の背景を一般的に提示することを目的としたものである。出願時の先行技術として特に認定されていない本明細書の態様とともに、本発明者の研究内容は、本背景部分に記載されている範囲において、明示的または示唆的に本開示に対する先行技術として認められない。
【０００４】
インフラストラクチャモードで動作している場合、無線ローカルエリアネットワーク（ＷＬＡＮ）は、通常、アクセスポイント（ＡＰ）および１つ以上のクライアントステーションを含む。ＷＬＡＮは、過去１０年間にわたり急速に進化してきた。Ｉｎｓｔｉｔｕｔｅ  ｆｏｒ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１１ａ、  ８０２．１１ｂ、  ８０２．１１ｇ、および８０２．１1ｎ標準などのＷＬＡＮ標準の発展によって、シングルユーザのピークデータスループットが改善された。例えば、ＩＥＥＥ８０２．１１ｂ標準は、シングルユーザピークスループットを毎秒１１メガビット（Ｍｂｐｓ）に規定しており、ＩＥＥＥ８０２．１１ａおよび８０２．１１ｇ標準は、５４Ｍｂｐｓのシングルユーザピークスループットを規定しており、ＩＥＥＥ８０２．１１ｎ標準は、６００Ｍｂｐｓのシングルユーザピークスループットを規定しており、ＩＥＥＥ８０２．１１ａｃ標準は、シングルユーザピークスループットをＧｂｐｓの範囲内に規定している。
【０００５】
ＩＥＥＥ８０２．１１ａｈおよびＩＥＥＥ８０２．１１ａｆという２つの新たな標準に対する作業が開始された。それらの標準のそれぞれはｓｕｂ−１ＧＨｚ周波数における無線ネットワークの動作を規定するものである。低周波数の通信チャンネルは、高周波数の通信チャンネルと比較すると伝播品質が良好で伝播範囲も拡大されているという特徴を一般に有する。過去において、ｓｕｂ−１ＧＨｚ周波数範囲は無線通信ネットワークに対しては使用されていなかった。これは、そのような周波数は別の用途（例えば使用許諾されたテレビ周波数帯域、ラジオ周波数帯域など）に使用するために確保されていたためである。ｓｕｂ−１ＧＨｚ範囲には、まだ使用許諾されていないままの周波数帯域がいくつか存在し、使用許諾されていない様々な周波数が様々な地域に存在する。ＩＥＥＥ８０２．１１ａｈ標準は、利用可能で使用許諾されていないｓｕｂ−１ＧＨｚ周波数帯域における無線動作を規定している。ＩＥＥＥ８０２．１１ａｆ標準は、テレビホワイトスペース（ＴＶＷＳ）、すなわちｓｕｂ−１ＧＨｚ周波数帯域における未使用のテレビチャンネルにおける無線動作を規定している。
【発明の概要】
【０００６】
一実施形態において、無線通信ネットワークにおいてデータユニットを送信する方法は、物理層（ＰＨＹ）プリアンブルを作成し、媒体アクセス制御層（ＭＡＣ）ヘッダを作成することを含む。前記ＭＡＣヘッダの作成は、グローバルに一意でない第１のアドレスを含むための第１アドレスフィールドを作成することを含み、前記第１アドレスフィールドは、（ｉ）前記データユニットの宛先として意図されている通信装置、または（ｉｉ）前記データユニットを送信している通信装置の一方を示す。前記ＭＡＣヘッダの作成はまた、第２のアドレスを含むための第２アドレスフィールドを作成することを含み、前記第２アドレスフィールドは、（ｉ）前記データユニットの宛先として意図される通信装置または（ｉｉ）前記データユニットを送信している通信装置の他方を示す。前記方法はさらに、前記第１アドレスフィールドおよび前記第２アドレスフィールドを前記ＭＡＣヘッダに含めること、および前記ＰＨＹプリアンブルおよび前記ＭＡＣヘッダを含むように前記データユニットを作成することを含む。前記方法は、さらに、前記データユニットが送信されるようにすることも含み、その場合前記データユニットの前記ＭＡＣヘッダは前記第１アドレスフィールドの前記第１のアドレスに対応するグローバル一意アドレスを省略する。
【０００７】
他の実施形態において、前記方法は以下の要素のうちの１つ以上の組み合わせを含む。
【０００８】
前記第１のアドレスは前記無線ネットワーク内において一意であるが、その他の無線ネットワーク内では一意でない。
【０００９】
前記第２のアドレスはグローバルに一意ではなく、前記データユニットの前記ＭＡＣヘッダは、送信時に、前記第２アドレスフィールドの前記第２のアドレスに対応するグローバル一意アドレスを省略する。
【００１０】
前記第２のアドレスはグローバル一意のＭＡＣアドレスである。
【００１１】
前記第２のアドレスはネットワーク識別子（ＩＤ）である。
【００１２】
前記ネットワークＩＤはグローバルに一意である。
【００１３】
前記第２のアドレスは完全長のネットワーク識別子ＩＤを用いて作成される短縮ネットワークＩＤである。
【００１４】
前記方法は、（ｉ）グローバルに一意で（ｉｉ）前記第１のアドレスに対応する、第３のアドレスを含むための前記データユニットのペイロードを作成することをさらに含み、  前記データユニットは前記ペイロードを含むように作成される。
【００１５】
前記方法は、前記ＭＡＣヘッダ（ｉ）と、（ｉ）グローバルに一意で（ｉｉ）前記第１のアドレスに対応する第３のアドレス（ｉｉ）とを用いてフレームチェックシーケンスフィールドを作成することをさらに含み、  前記データユニットは、（ｉ）前記フレームチェックシーケンスフィールドを含むように、かつ（ｉｉ）前記第３のアドレスを省略するように作成される。
【００１６】
前記ＭＡＣヘッダを作成することは、  前記無線ネットワークと関連付けられたネットワークアドレスを含むための第３アドレスフィールドを作成し、  前記ＭＡＣヘッダに前記第３アドレスフィールドを含めることをさらに含む。
【００１７】
前記第３のアドレスはグローバルに一意でない。
【００１８】
別の実施形態において、通信装置は、データユニットの物理層（ＰＨＹ）プリアンブルを作成するように構成されるネットワークインタフェースを含む。前記ネットワークインタフェースは、さらに、少なくとも、グローバルに一意でない第１のアドレスを含むための第１アドレスフィールドであって、前記第１アドレスフィールドは、（ｉ）前記データユニットの宛先として意図されている通信装置、または（ｉｉ）前記データユニットを送信している通信装置の一方を示す第１アドレスフィールドを作成し、第２のアドレスを含むための第２アドレスフィールドであって、前記第２アドレスフィールドは、（ｉ）前記データユニットの宛先として意図される通信装置または（ｉｉ）前記データユニットを送信している通信装置の他方を示す第２アドレスフィールドを作成し、並びに前記第１アドレスフィールドおよび前記第２アドレスフィールドを前記ＭＡＣヘッダに含めることによって媒体アクセス制御層（ＭＡＣ）ヘッダを作成するように構成される。前記ネットワークインタフェースは、さらに、前記ＰＨＹプリアンブルおよび前記ＭＡＣヘッダを含むように前記データユニットを作成し、前記データユニットが送信されるようにし、その場合前記データユニットの前記ＭＡＣヘッダは前記第１アドレスフィールドの前記第１のアドレスに対応するグローバル一意アドレスを省略する、ように構成される。
【００１９】
他の実施形態において、前記通信装置は以下の特徴の１つ以上の組み合わせを含む。
【００２０】
前記第１のアドレスは前記無線ネットワーク内において一意であるが、その他の無線ネットワーク内では一意でない。
【００２１】
前記第２のアドレスはグローバルに一意ではなく、前記データユニットの前記ＭＡＣヘッダは、送信時に、前記第２アドレスフィールドの前記第２のアドレスに対応するグローバル一意アドレスを省略する。
【００２２】
前記第２のアドレスはグローバル一意のＭＡＣアドレスである。
【００２３】
前記第２のアドレスはネットワーク識別子（ＩＤ）である。
【００２４】
前記ネットワークＩＤはグローバルに一意である。
【００２５】
前記第２のアドレスは完全長のネットワーク識別子ＩＤを用いて作成される短縮ネットワークＩＤである。
【００２６】
前記ネットワークインタフェースは、（ｉ）グローバルに一意で（ｉｉ）前記第１のアドレスに対応する第３のアドレスを含むための前記データユニットのペイロードを作成するように構成され、前記データユニットは前記ペイロードを含むように作成される。
【００２７】
前記ネットワークインタフェースは、前記ＭＡＣヘッダ（ｉ）と、（ｉ）グローバルに一意で（ｉｉ）前記第１のアドレスに対応する第３のアドレス（ｉｉ）とを用いてフレームチェックシーケンスフィールドを作成するように構成され、前記データユニットは、（ｉ）前記フレームチェックシーケンスフィールドを含むように、かつ（ｉｉ）前記第３のアドレスを省略するように作成される。
【００２８】
前記ネットワークインタフェースは、前記無線ネットワークと関連付けられたネットワークアドレスを含むための第３アドレスフィールドを作成し、前記ＭＡＣヘッダに前記第３アドレスフィールドを含めるように構成される。
【００２９】
前記第３のアドレスはグローバルに一意でない。
【００３０】
さらに別の実施形態において、無線ネットワークにおいて送信されるデータユニットを作成する方法は、物理層（ＰＨＹ）プリアンブルを作成することを含む。前記ＰＨＹプリアンブルの作成は、（ｉ）前記データユニットが前記無線ネットワークとは別の携帯電話通信ネットワークからオフロードされたデータを含むか、および（ｉｉ）データユニットが、携帯電話通信ネットワークから前記無線ネットワークへのデータのオフロードをサポートする通信装置によって（ａ）作成されるか、もしくは（ｂ）その通信装置に対してアドレス指定がされるか、の少なくとも１つを示す第１のインジケータを作成し、前記第１のインジケータを前記ＰＨＹプリアンブルに含めることを含む。前記方法は、さらに媒体アクセス制御層（ＭＡＣ）ヘッダを作成し、前記ＰＨＹプリアンブルおよび前記ＭＡＣヘッダを含むように前記データユニットを作成することを含む。前記方法は、さらに前記データユニットが送信されるようにすることを含む。
【００３１】
他の実施形態において、前記方法は以下の要素の１つ以上の組み合わせを含む。
【００３２】
前記第１のインジケータは、さらに、前記データユニットが前記無線ネットワークにおける電力要件の厳しい通信装置に対してアドレス指定されているかを示す。
【００３３】
前記ＰＨＹプリアンブルの作成は、さらに、前記データユニットが前記無線ネットワークにおいて電力要件の厳しい通信装置に対してアドレス指定されているかを示す第２のインジケータを作成し、前記第２のインジケータを前記ＰＨＹプリアンブルに含めることを含む。
【００３４】
前記ＰＨＹプリアンブルの作成は、さらに、前記データユニットの宛先として意図された通信装置の少なくとも部分的なアドレスを含むためのアドレスフィールドを作成し、  前記ＰＨＹプリアンブルに前記アドレスフィールドを含めることを含む。
【００３５】
前記第１のインジケータは前記アドレスフィールドの一部である。
【００３６】
前記第１のインジケータは前記アドレスフィールドとは別のフィールドである。
【００３７】
前記ＰＨＹプリアンブルの作成は、さらに、前記データユニットがアクセスポイントによって送信されるかを示す第２のインジケータを作成し、前記ＰＨＹプリアンブルに前記第２のインジケータを含めることを含む。
【００３８】
前記ＰＨＹプリアンブルの作成は、さらに、ネットワーク識別子（ＩＤ）フィールドを作成し、前記ＰＨＹプリアンブルに前記ネットワークＩＤフィールドを含めることを含む。
【００３９】
さらに別の実施形態において、装置は、少なくとも、（ｉ）前記データユニットが前記無線ネットワークとは別の携帯電話通信ネットワークからオフロードされたデータを含むか、または（ｉｉ）前記データユニットが、前記携帯電話通信ネットワークから前記無線ネットワークへのデータのオフロードをサポートする通信装置によって（ａ）作成されるか、もしくは（ｂ）その通信装置に対してアドレス指定がされるか、の少なくとも１つを示す第１のインジケータを作成し、第１のインジケータを前記ＰＨＹプリアンブルに含めること、によって、データユニットの物理層（ＰＨＹ）プリアンブルを作成するように構成されるネットワークインタフェースを含む。前記ネットワークインタフェースは、さらに、媒体アクセス制御層（ＭＡＣ）ヘッダを作成し、前記ＰＨＹプリアンブルおよび前記ＭＡＣヘッダを含むように前記データユニットを作成するように構成される。前記ネットワークインタフェースは、さらに、前記データユニットを送信するように構成される。
【００４０】
他の実施形態において、前記装置は以下の特徴の１つ以上の組み合わせを含む。
【００４１】
前記第１のインジケータは、さらに、前記データユニットが前記無線ネットワークにおける電力要件の厳しい通信装置に対してアドレス指定されているかを示す。
【００４２】
前記ネットワークインタフェースは、さらに、前記データユニットが前記無線ネットワークにおいて電力要件の厳しい通信装置に対してアドレス指定されているかを示す第２のインジケータを作成し、前記第２のインジケータを前記ＰＨＹプリアンブルに含めるように構成される。
【００４３】
前記ネットワークインタフェースは、さらに、前記データユニットの宛先として意図された通信装置の少なくとも部分的なアドレスを含むためのアドレスフィールドを作成し、前記ＰＨＹプリアンブルに前記アドレスフィールドを含めるように構成される。
【００４４】
前記第１のインジケータは前記アドレスフィールドの一部である。
【００４５】
前記第１のインジケータは前記アドレスフィールドとは別のフィールドである。
【００４６】
前記ネットワークインタフェースは、さらに、前記データユニットがアクセスポイントによって送信されるかを示す第２のインジケータを作成し、前記ＰＨＹプリアンブルに前記第２のインジケータを含めるように構成される。
【００４７】
前記ネットワークインタフェースは、さらに、ネットワーク識別子（ＩＤ）フィールドを作成し、前記ＰＨＹプリアンブルに前記ネットワークＩＤフィールドを含めるように構成される。
【００４８】
さらに別の実施形態において、無線ネットワークにおいて送信されるデータユニットを作成する方法は、物理層（ＰＨＹ）プリアンブルを作成し、媒体アクセス制御層（ＭＡＣ）ヘッダを作成し、暗号化されたデータ部分を復号化するための情報を含むための暗号化情報ヘッダを作成することを含み、前記暗号化情報ヘッダの長さは最大４バイトである。前記方法は、さらに、前記暗号化されたデータ部分を作成し、（ｉ）前記ＰＨＹプリアンブルと、（ｉｉ）前記ＭＡＣヘッダと、（ｉｉｉ）前記暗号化情報ヘッダと、（ｉｖ）前記暗号化されたデータ部分とを含むように前記データユニットを作成することを含む。前記方法は、さらに、前記データユニットを送信させることを含む。
【００４９】
他の実施形態において、前記方法は、以下の要素の１つ以上の組み合わせを含む。
【００５０】
前記暗号化情報ヘッダの長さは最大２バイトである。
【００５１】
前記ＭＡＣヘッダは、前記暗号化されたデータ部分を復号化するために使用される鍵のインジケータを含むように作成される。
【００５２】
前記ＭＡＣヘッダの作成は、（ｉ）ネットワーク識別子（ＩＤ）と、（ｉｉ）最大１２ビットの長さを有するアソシエーションＩＤの少なくとも１つを含むように前記ＭＡＣヘッダを作成することを含み、前記アソシエーションＩＤは前記データユニットの送信装置を示す。
【００５３】
前記暗号化されたデータ部分の作成は、  （ｉ）前記ネットワークＩＤと、（ｉｉ）前記アソシエーションＩＤとの少なくとも１つを含むようにノンスを作成し、前記ノンスを使用して前記データ部分を暗号化することを含む。
【００５４】
前記ＰＨＹプリアンブルの作成または前記ＭＡＣヘッダの作成は、前記データユニットがアクセスポイントから送信されるかを示すフラグを含むように前記ＰＨＹプリアンブルまたは前記ＭＡＣヘッダを作成することを含み、前記暗号化されたデータ部分の作成は、前記フラグを含むようにノンスを作成し、前記ノンスを使用して前記データ部分を暗号化することを含む。
【００５５】
前記暗号化されたデータ部分の作成は、前記データユニットの意図された受信側の媒体アクセス制御（ＭＡＣ）アドレスを含むようにノンスを作成することを含み、前記ＭＡＣアドレスは前記ＭＡＣヘッダに含められ、および、前記ノンスを使用して前記データ部分を暗号化することを含む。
【００５６】
さらに別の実施形態において、通信装置は、物理層（ＰＨＹ）プリアンブルを作成し、
媒体アクセス制御層（ＭＡＣ）ヘッダを作成し、暗号化されたデータ部分を復号化するための情報を含むための暗号化情報ヘッダを作成するように構成されるネットワークインタフェースを含み、前記暗号化情報ヘッダの長さは最大４バイトである。前記ネットワークインタフェースは、さらに、前記暗号化されたデータ部分を作成し、（ｉ）前記ＰＨＹプリアンブルと、（ｉｉ）前記ＭＡＣヘッダと、（ｉｉｉ）前記暗号化情報ヘッダと、（ｉｖ）前記暗号化されたデータ部分とを含むように前記データユニットを作成するように構成される。前記ネットワークインタフェースは、さらに、前記データユニットを送信するように構成される。
【００５７】
他の実施形態において、前記装置は以下の特徴の１つ以上の組み合わせを含む。
【００５８】
前記暗号化情報ヘッダの長さは最大２バイトである。
【００５９】
前記ネットワークインタフェースは、前記ＭＡＣヘッダを、前記暗号化されたデータ部分を復号化するために使用される鍵のインジケータを含むように作成するように構成される。
【００６０】
前記ネットワークインタフェースは、（ｉ）ネットワーク識別子（ＩＤ）と、（ｉｉ）最大１２ビットの長さを有するアソシエーションＩＤの少なくとも１つを含むように前記ＭＡＣヘッダを作成するように構成され、ここで前記アソシエーションＩＤは前記データユニットの送信装置を示し、さらに、（ｉ）前記ネットワークＩＤと、（ｉｉ）前記アソシエーションＩＤとの少なくとも１つを含むようにノンスを作成し、前記ノンスを使用して前記データ部分を暗号化するように構成される。
【００６１】
前記ネットワークインタフェースは、前記データユニットがアクセスポイントから送信されるかを示すフラグを含むように前記ＰＨＹプリアンブルまたは前記ＭＡＣヘッダを作成し、前記フラグを含むようにノンスを作成し、前記ノンスを使用して前記データ部分を暗号化するように構成される。
【００６２】
前記ネットワークインタフェースは、前記データユニットの意図された受信側の媒体アクセス制御（ＭＡＣ）アドレスを含むようにノンスを作成するように構成され、ここで前記ＭＡＣアドレスは前記ＭＡＣヘッダに含められ、さらに、前記ノンスを使用して前記データ部分を暗号化するように構成される。
【００６３】
さらに別の実施形態において、制御データユニットを作成する方法は、前記制御データユニットの物理層（ＰＨＹ）プリアンブルを作成することを含む。前記ＰＨＹプリアンブルの作成は、前記データユニットの宛先として意図される通信装置を示すアドレスフィールドを作成し、前記制御データユニットのタイプを示すフレームタイプフィールドを作成し、前記アドレスフィールドおよび前記フレームタイプフィールドを前記ＰＨＹプリアンブルに含めることを含む。前記方法は、さらに、前記ＰＨＹプリアンブルを含むように前記制御データユニットを作成することを含む。前記方法は、さらに、前記制御データユニットを送信させることを含み、前記制御データユニットが（ｉ）ＭＡＣヘッダおよび（ｉｉｉ）ペイロードを省略する。
【００６４】
他の実施形態において、前記方法は、以下の特徴の１つ以上の組み合わせを含む。
【００６５】
前記アドレスフィールドのアドレスは、グローバルに一意でないアドレスを含む。
【００６６】
前記ＰＨＹプリアンブルの作成は、固定長の制御データユニットのインジケータを作成し、前記インジケータを前記ＰＨＹプリアンブルに含めることを含む。
【００６７】
前記制御データユニットは、最低変調符号化方式に従って送信される。
【００６８】
前記制御データユニットは、単一の空間ストリームを使用して送信される。
【００６９】
前記制御データユニットは、他のデータユニットのデータに対して実行される誤り検出動作に対応するフレームチェックシーケンス（ＦＣＳ）を有する前記他のデータユニットの受信を通知する確認応答データユニットであり、前記方法は、さらに、前記データユニット内の前記ＰＨＹプリアンブル内に、前記他のデータユニットからの前記ＦＣＳの少なくとも一部を含めることを含む。
【００７０】
前記制御データユニットは、送信要求（ＲＴＳ）データユニット内のデータに対して実行される誤り検出動作に対応するフレームチェックシーケンス（ＦＣＳ）を有する前記ＲＴＳデータユニットの受信を通知する送信可（ＣＴＳ）データユニットであり、
前記方法は、前記データユニットの前記ＰＨＹプリアンブルに前記ＲＴＳデータユニットの前記ＦＣＳの少なくとも一部を含めることを含む。
【００７１】
前記ＰＨＹプリアンブルの作成は、（ｉ）前記データユニットはアクセスポイント（ＡＰ）を宛先として意図したものであるか、または（ｉｉ）前記データユニットが前記ＡＰによって送信されたものであるかを示すインジケータを作成し、前記ＰＨＹプリアンブルに前記インジケータを含めることを含む。
【００７２】
前記ＰＨＹプリアンブルの作成は、デュレーションフィールドを作成し、前記ＰＨＹプリアンブルに前記デュレーションフィールドを含めることを含む。
【００７３】
前記ＰＨＹプリアンブルの作成は、通信装置が利用可能な帯域幅の量を示す帯域幅フィールドを作成し、前記ＰＨＹプリアンブルに前記帯域幅フィールドを含めることを含む。
【００７４】
前記アドレスフィールドおよび前記フレームタイプフィールドは、前記ＰＨＹプリアンブルの信号フィールドに含まれる。
【００７５】
さらに別の実施形態において、装置は、少なくとも、前記データユニットの宛先として意図される通信装置を示すアドレスフィールドを作成し、制御データユニットのタイプを示すことを含むようにフレームタイプフィールドを作成し、前記アドレスフィールドおよび前記フレームタイプフィールドを前記ＰＨＹプリアンブルに含めることによって前記制御データユニットの物理層（ＰＨＹ）プリアンブルを作成するように構成されるネットワークインタフェースを含む。前記ネットワークインタフェースは、さらに、前記ＰＨＹプリアンブルを含むように前記制御データユニットを作成するように構成される。前記ネットワークインタフェースは、さらに、前記制御データユニットを送信するように構成され、前記制御データユニットが（ｉ）ＭＡＣヘッダおよび（ｉｉｉ）ペイロードを省略する。
【００７６】
他の実施形態において、前記装置は、以下の特徴の１つ以上の組み合わせを含む。
【００７７】
前記アドレスフィールドのアドレスは、グローバルに一意でないアドレスを含む。
【００７８】
前記ネットワークインタフェースは、少なくとも、固定長の制御データユニットのインジケータを作成し、前記インジケータを前記ＰＨＹプリアンブルに含めることによってＰＨＹプリアンブルの作成するように構成される。
【００７９】
前記ネットワークインタフェースは、前記制御データユニットを、最低変調符号化方式に従って送信するように構成される。
【００８０】
前記ネットワークインタフェースは、前記制御データユニットを、単一の空間ストリームを使用して送信するように構成される。
【００８１】
前記制御データユニットは、他のデータユニットのデータに対して実行される誤り検出動作に対応するフレームチェックシーケンス（ＦＣＳ）を有する前記他のデータユニットの受信を通知する確認応答データユニットであり、前記ネットワークインタフェースは、さらに、前記データユニット内の前記ＰＨＹプリアンブル内に、前記他のデータユニットからの前記ＦＣＳの少なくとも一部を含めるように構成される。
【００８２】
前記制御データユニットは、送信要求（ＲＴＳ）データユニット内のデータに対して実行される誤り検出動作に対応するフレームチェックシーケンス（ＦＣＳ）を有する前記ＲＴＳデータユニットの受信を通知する送信可（ＣＴＳ）データユニットであり、前記ネットワークインタフェースは、前記データユニットの前記ＰＨＹプリアンブルに前記ＲＴＳデータユニットの前記ＦＣＳの少なくとも一部を含めるように構成される。
【００８３】
前記ネットワークインタフェースは、少なくとも、（ｉ）前記データユニットはアクセスポイント（ＡＰ）を宛先として意図したものであるか、または（ｉｉ）前記データユニットが前記ＡＰによって送信されたものであるかを示すインジケータを作成し、前記ＰＨＹプリアンブルに前記インジケータを含めることによって前記ＰＨＹプリアンブルの作成するように構成される。
【００８４】
前記ネットワークインタフェースは、少なくとも、デュレーションフィールドを作成し、前記ＰＨＹプリアンブルに前記デュレーションフィールドを含めることによって前記ＰＨＹプリアンブルを作成するように構成される。
【００８５】
前記ネットワークインタフェースは、少なくとも、通信装置が利用可能な帯域幅の量を示す帯域幅フィールドを作成し、前記ＰＨＹプリアンブルに前記帯域幅フィールドを含めることによって前記ＰＨＹプリアンブルを作成するように構成される。
【００８６】
前記ネットワークインタフェースは、前記アドレスフィールドおよび前記フレームタイプフィールド内に前記ＰＨＹプリアンブルの信号フィールドを含めるように構成される。
【００８７】
さらに別の実施形態において、無線ネットワークにおいて制御データユニットを送信する方法は、通信装置において、複数のベースチャンネル帯域幅からベースチャンネル帯域幅を選択して、前記制御データユニットを作成することを含む。前記方法は、さらに、前記通信装置において、前記選択されたベースチャンネル帯域幅で前記制御データユニットを作成することを含む。前記方法は、さらに、前記選択されたチャンネル帯域幅の前記制御データユニットが複製されて、前記ベースチャンネル帯域幅のＮ倍を占める伝送を実現するように前記通信装置によって前記制御データユニットを送信させることを含み、その場合、Ｎは２以上の整数である。
【００８８】
他の実施形態において、前記方法は、以下の要素の１つ以上の要素の組み合わせを含む。
【００８９】
前記ベースチャンネル帯域幅の選択はチャンネル条件に基づく。
【００９０】
前記ベースチャンネル帯域幅の選択は、前記無線ネットワークにおける１つ以上の他の通信装置のチャンネル帯域幅機能に基づく。
【００９１】
前記ベースチャンネル帯域幅の選択は、前記通信装置によって受信される送信要求（ＲＴＳ）データユニットを送信するために使用されるベースチャンネル帯域幅に基づく。
【００９２】
前記ベースチャンネル帯域幅の選択は、別の通信装置から受信されたベースチャンネル帯域幅要求に基づく。
【００９３】
前記複数のベースチャンネル帯域幅は、少なくとも（ｉ）１ＭＨｚおよび（ｉｉ）２ＭＨｚを含む。
【００９４】
全チャンネル帯域幅は４ＭＨｚ、８ＭＨｚ、または１６ＭＨｚであり、前記方法は、さらに、前記通信装置において、チャンネル条件に応じて、（ｉ）送信要求（ＲＴＳ）データユニットまたは自己へ送信可（ＣＴＳ  ｔｏ  ｓｅｌｆ）データユニットを送信しない、（ｉｉ）前記ＲＴＳデータユニットまたは前記ＣＴＳ  ｔｏ  ｓｅｌｆデータユニットを２ＭＨｚのベース帯域幅で送信する、または（ｉｉｉ）前記ＲＴＳデータユニットまたは前記ＣＴＳ  ｔｏ  ｓｅｌｆデータユニットを１ＭＨｚのベース帯域幅で送信する、を選択し、（ｉｉ）または（ｉｉｉ）が選択された場合、前記通信装置において、前記ＲＴＳデータユニットまたは前記ＣＴＳ  ｔｏ  ｓｅｌｆデータユニットを前記選択されたベース帯域幅で作成し、前記通信装置において、前記ＲＴＳデータユニットまたは前記ＣＴＳ  ｔｏ  ｓｅｌｆデータユニットが複製されて前記全チャンネル帯域幅を占める伝送を実現するように、前記通信装置によって前記ＲＴＳデータユニットまたは前記ＣＴＳ  ｔｏ  ｓｅｌｆデータユニットを送信させることを含む。
【００９５】
さらに別の実施形態において、通信装置は、複数のベースチャンネル帯域幅からベースチャンネル帯域幅を選択して、制御データユニットを作成するように構成されるネットワークインタフェースを含む。前記ネットワークインタフェースは、さらに、前記選択されたベースチャンネル帯域幅で前記制御データユニットを作成するように構成される。前記ネットワークインタフェースは、さらに、前記選択されたチャンネル帯域幅の前記制御データユニットが複製されて、前記ベースチャンネル帯域幅のＮ倍を占める伝送を実現するように前記制御データユニットを送信するように構成され、その場合、Ｎは２以上の整数である。
【００９６】
他の実施形態において、前記装置は以下の特徴の１つ以上の組み合わせを含む。
【００９７】
前記ネットワークインタフェースは、チャンネル条件に基づいて前記ベースチャンネル帯域幅を選択するように構成される。
【００９８】
前記ネットワークインタフェースは、前記無線ネットワークにおける１つ以上の他の通信装置のチャンネル帯域幅機能に基づいて前記ベースチャンネル帯域幅を選択するように構成される。
【００９９】
前記ネットワークインタフェースは、前記通信装置によって受信される送信要求（ＲＴＳ）データユニットを送信するために使用されるベースチャンネル帯域幅に基づいて前記ベースチャンネル帯域幅を選択するように構成される。
【０１００】
前記ネットワークインタフェースは、別の通信装置から受信されたベースチャンネル帯域幅要求に基づいて前記ベースチャンネル帯域幅を選択するように構成される。
【０１０１】
前記複数のベースチャンネル帯域幅は、少なくとも（ｉ）１ＭＨｚおよび（ｉｉ）２ＭＨｚを含む。
【０１０２】
全チャンネル帯域幅は４ＭＨｚ、８ＭＨｚ、または１６ＭＨｚであり、前記ネットワークインタフェースは、チャンネル条件に応じて、（ｉ）送信要求（ＲＴＳ）データユニットまたは自己へ送信可（ＣＴＳ  ｔｏ  ｓｅｌｆ）データユニットを送信しない、（ｉｉ）前記ＲＴＳデータユニットまたは前記ＣＴＳ  ｔｏ  ｓｅｌｆデータユニットを２ＭＨｚのベース帯域幅で送信する、または（ｉｉｉ）前記ＲＴＳデータユニットまたは前記ＣＴＳ  ｔｏ  ｓｅｌｆデータユニットを１ＭＨｚのベース帯域幅で送信する、を選択し、（ｉｉ）または（ｉｉｉ）が選択された場合、前記ＲＴＳデータユニットまたは前記ＣＴＳ  ｔｏ  ｓｅｌｆデータユニットを前記選択されたベース帯域幅で作成し、前記ＲＴＳデータユニットまたは前記ＣＴＳ  ｔｏ  ｓｅｌｆデータユニットが複製されて前記全チャンネル帯域幅を占める伝送を実現するように、前記ＲＴＳデータユニットまたは前記ＣＴＳ  ｔｏ  ｓｅｌｆデータユニットを送信するように構成される。
【０１０３】
さらに別の実施形態において、無線ネットワークにおいて送信されるデータユニットを作成する方法は、物理層（ＰＨＹ）プリアンブルを作成することを含む。前記ＰＨＹプリアンブルの作成は、確認応答データユニットが前記データユニットの後続となることを意図されているかを示すフィールドを作成し、前記ＰＨＹプリアンブルに前記フィールドを含めることを含む。前記方法は、さらに、媒体アクセス制御層（ＭＡＣ）ヘッダを作成し、前記ＰＨＹプリアンブルおよび前記ＭＡＣヘッダを含むように前記データユニットを作成することを含む。  前記方法は、さらに、前記データユニットが送信されるようにすることを含む。
【０１０４】
他の実施形態において、前記方法は以下の要素の１つ以上の組み合わせを含む。
【０１０５】
前記フィールドは、さらに、前記確認応答データユニットが前記データユニットの後続となることが意図されている場合に、前記確認応答データユニットがブロック確認応答であるかを示す。
【０１０６】
前記フィールドは２ビットからなり、前記フィールドの第１の値は、前記確認応答データユニットが前記データユニットの後続となることが意図されていることを示し、前記フィールドの第２の値は、ブロック確認応答確認応答データユニットが前記データユニットの後続となることが意図されてことを示し、前記フィールドの第３の値は、前記データユニットの後続となることが意図されている確認応答データユニットが存在しないことを示す。
【０１０７】
前記データユニットは第１のデータユニットであり、確認応答データユニットが前記第１のデータユニットの後続となることが意図されるかを示す前記フィールドは第１のフィールドであり、前記方法は、さらに、第２のデータユニットが前記確認応答データユニットの後に送信されるかを示す第２のフィールドを作成し、前記第２のフィールドを前記第１のデータユニットの前記ＰＨＹプリアンブルに含めて、前記第２のデータユニットを作成し、前記確認応答データユニットの受信後に、前記第２のデータユニットが送信されるようにすることを含む。
【０１０８】
さらに別の実施形態において、装置は、少なくとも、確認応答データユニットが前記データユニットの後続となることを意図されているかを示すフィールドを作成し、ＰＨＹプリアンブルに前記フィールドを含めることによって前記物理層（ＰＨＹ）プリアンブルを作成するように構成されるネットワークインタフェースを含む。前記ネットワークインタフェースは、さらに、媒体アクセス制御層（ＭＡＣ）ヘッダを作成し、前記ＰＨＹプリアンブルおよび前記ＭＡＣヘッダを含むように前記データユニットを作成するように構成される。前記ネットワークインタフェースは、さらに、前記データユニットを送信するように構成される。
【０１０９】
他の実施形態において、前記装置は、以下の特徴の１つ以上の組み合わせを含む。
【０１１０】
前記フィールドは、さらに、前記確認応答データユニットが前記データユニットの後続となることが意図されている場合に、前記確認応答データユニットがブロック確認応答であるかを示す。
【０１１１】
前記フィールドは２ビットからなり、前記フィールドの第１の値は、前記確認応答データユニットが前記データユニットの後続となることが意図されていることを示し、前記フィールドの第２の値は、ブロック確認応答確認応答データユニットが前記データユニットの後続となることが意図されてことを示し、前記フィールドの第３の値は、前記データユニットの後続となることが意図されている確認応答データユニットが存在しないことを示す。
【０１１２】
前記データユニットは第１のデータユニットであり、確認応答データユニットが前記第１のデータユニットの後続となることが意図されるかを示す前記フィールドは第１のフィールドであり、前記ネットワークインタフェースは、第２のデータユニットが前記確認応答データユニットの後に送信されるかを示す第２のフィールドを作成し、前記第２のフィールドを前記第１のデータユニットの前記ＰＨＹプリアンブルに含めて、前記第２のデータユニットを作成し、前記確認応答データユニットの受信後に、前記第２のデータユニットを送信するように構成される。
【０１１３】
さらに別の実施形態において、無線ネットワークにおいて通信媒体に対するアクセスを共有する方法は、第１の通信装置において、第２の通信装置によって送信されたデータユニットを受信することを含む。前記方法は、さらに、前記第１の通信装置において、前記データユニットの物理層（ＰＨＹ）プリアンブルのフィールドを処理して、確認応答データユニットが前記データユニットの後続となることが意図されているかを決定することを含み、前記ＰＨＹプリアンブルの前記フィールドは、確認応答データユニットが前記データユニットの後続となることが意図されているかを示し、前記確認応答データユニットが第３の通信装置によって送信されることとなる。前記方法は、さらに、前記第１の通信装置において、前記第１の通信装置による送信を禁止する期間を決定することを含み、前記期間は、（ｉ）前記データユニットを送信する時間、（ｉｉ）確認応答データユニットが前記データユニットの後続となることが意図されることが決定された場合、前記確認応答データユニットを送信する時間に対応する。前記方法は、さらに、前記決定された期間中は前記第１の通信装置において送信が禁止されることを含む。
【０１１４】
他の実施形態において、前記方法は以下の要素の１つ以上の組み合わせを含む。
【０１１５】
前記確認応答データユニットが前記データユニットの後続となることが意図されている場合、前記フィールドは、さらに、前記確認応答データユニットがブロック確認応答であるかを示す。
【０１１６】
前記フィールドは２ビットからなり、前記フィールドの第１の値は、前記確認応答データユニットが前記データユニットの後続となることが意図されることを示し、前記フィールドの第２の値は、ブロック確認応答確認応答データユニットが前記データユニットの後続となることが意図されることを示し、前記フィールドの第３の値は、前記データユニットの後続となることが意図される確認応答データユニットが存在しないことを示す。
【０１１７】
前記データユニットは第１のデータユニットであり、確認応答データユニットが前記第１のデータユニットの後続となることが意図されるかを示す前記フィールドは第１のフィールドであり、前記方法は、さらに、前記第１の通信装置において、前記第１のデータユニットの前記ＰＨＹプリアンブルの第２のフィールドを処理して、第２のデータユニットが前記確認応答データユニットの後に前記第２の通信装置によって送信されるかを決定することを含み、前記期間は、（ｉｉｉ）前記第２のデータユニットが前記確認応答データユニットの後に前記第２の通信装置によって送信されることが決定された場合、前記第２のデータユニットを送信する時間にも対応する。
【０１１８】
前記データユニットは第１のデータユニットであり、確認応答データユニットが前記第１のデータユニットの後続となることが意図されるかを示す前記フィールドは第１のフィールドであり、前記方法は、さらに前記第１の通信装置において、前記第３の通信装置によって送信された前記確認応答データユニットを受信し、前記第１の通信装置において、前記確認応答データユニットの第２のフィールドを処理して、第２のデータユニットが前記確認応答データユニットの後に前記第２の通信装置によって送信されるかを決定することを含み、前記第２のデータユニットが前記確認応答データユニットの後に前記第２の通信装置によって送信されるかを、前記確認応答データユニットの前記第２のフィールドが示し、前記期間は、（ｉｉｉ）前記第２のデータユニットが前記確認応答データユニットの後に前記第２の通信装置によって送信されることが決定された場合、前記第２のデータユニットを送信する時間にも対応する。
【０１１９】
さらに別の実施形態において、第１の通信装置は、第２の通信装置によって送信されたデータユニットを受信し、前記データユニットの物理層（ＰＨＹ）プリアンブルのフィールドを処理して、確認応答データユニットが前記データユニットの後続となることが意図されているかを決定するように構成されるネットワークインタフェースを含み、前記ＰＨＹプリアンブルの前記フィールドは、確認応答データユニットが前記データユニットの後続となることが意図されているかを示し、前記確認応答データユニットが第３の通信装置によって送信されることとなる。前記ネットワークインタフェースは、さらに、前記第１の通信装置による送信を禁止する期間を決定し、前記期間は、（ｉ）前記データユニットを送信する時間、（ｉｉ）確認応答データユニットが前記データユニットの後続となることが意図されることが決定された場合、前記確認応答データユニットを送信する時間に対応し、前記決定された期間中は送信が禁止されるように構成される。
【０１２０】
他の実施形態において、前記第１の通信装置は、以下の特徴の１つ以上の組み合わせを含む。
【０１２１】
前記確認応答データユニットが前記データユニットの後続となることが意図されている場合、前記フィールドは、さらに、前記確認応答データユニットがブロック確認応答であるかを示す。
【０１２２】
前記フィールドは２ビットからなり、前記フィールドの第１の値は、前記確認応答データユニットが前記データユニットの後続となることが意図されることを示し、前記フィールドの第２の値は、ブロック確認応答確認応答データユニットが前記データユニットの後続となることが意図されることを示し、前記フィールドの第３の値は、前記データユニットの後続となることが意図される確認応答データユニットが存在しないことを示す。
【０１２３】
前記データユニットは第１のデータユニットであり、確認応答データユニットが前記第１のデータユニットの後続となることが意図されるかを示す前記フィールドは第１のフィールドであり、前記ネットワークインタフェースは、前記第１のデータユニットの前記ＰＨＹプリアンブルの第２のフィールドを処理して、第２のデータユニットが前記確認応答データユニットの後に前記第２の通信装置によって送信されるかを決定するように構成され、前記期間は、（ｉｉｉ）前記第２のデータユニットが前記確認応答データユニットの後に前記第２の通信装置によって送信されることが決定された場合、前記第２のデータユニットを送信する時間にも対応する。
【０１２４】
前記データユニットは第１のデータユニットであり、確認応答データユニットが前記第１のデータユニットの後続となることが意図されるかを示す前記フィールドは第１のフィールドであり、前記ネットワークインタフェースは、前記第３の通信装置によって送信された前記確認応答データユニットを受信し、前記確認応答データユニットの第２のフィールドを処理して、第２のデータユニットが前記確認応答データユニットの後に前記第２の通信装置によって送信されるかを決定するように構成され、前記第２のデータユニットが前記確認応答データユニットの後に前記第２の通信装置によって送信されるかを、前記確認応答データユニットの前記第２のフィールドが示し、前記期間は、（ｉｉｉ）前記第２のデータユニットが前記確認応答データユニットの後に前記第２の通信装置によって送信されることが決定された場合、前記第２のデータユニットを送信する時間にも対応する。
【図面の簡単な説明】
【０１２５】
【図１】図１は、一実施形態による無線ローカルエリアネットワーク（ＷＬＡＮ）の一例のブロック図である。
【図２】図２は、一実施形態による２つの装置間のフレーム交換シーケンスの図である。
【０１２６】
【図３】図３は、現在のＩＥＥＥ８０２．１１標準によって規定されたフレームフォーマットを使用したデータユニット伝送の伝送効率の分析を示す表である。
【０１２７】
【図４】図４は、先行技術によるデータの図である。
【０１２８】
【図５Ａ】図５Ａは、先行技術による媒体アクセス制御（ＭＡＣ）層フレームの図である。
【０１２９】
【図５Ｂ】図５Ｂは、先行技術による、図５ＡのＭＡＣ層フレームに含まれるフレーム制御フィールドの図である。
【０１３０】
【図６】図６は、先行技術による制御データユニットの図である。
【０１３１】
【図７Ａ】図７Ａは、一実施形態による長距離データユニットの一例の図である。
【０１３２】
【図７Ｂ】図７Ｂは、一実施形態による図７Ａのデータユニットに含まれるＭＡＣヘッダの図である。
【０１３３】
【図８Ａ】いくつかの実施形態による、送信装置におけるフレームチェックシーケンス（ＦＣＳ）の演算を示す図である。
【図８Ｂ】いくつかの実施形態による、送信装置におけるフレームチェックシーケンス（ＦＣＳ）の演算を示す図である。
【図８Ｃ】いくつかの実施形態による、送信装置におけるフレームチェックシーケンス（ＦＣＳ）の演算を示す図である。
【０１３４】
【図９Ａ】いくつかの実施形態による、受信装置のＦＣＳの演算を示す図である。
【図９Ｂ】いくつかの実施形態による、受信装置のＦＣＳの演算を示す図である。
【図９Ｃ】いくつかの実施形態による、受信装置のＦＣＳの演算を示す図である。
【０１３５】
【図１０】図１０は、一実施形態による、マルチキャストデータユニットの図である。
【０１３６】
【図１１】図１１は、一実施形態による、グローバルＭＡＣアドレスのカプセル化が使用されたデータユニットの図である。
【０１３７】
【図１２】図１２は、一実施形態による、集約ＭＡＣプロトコルデータユニット（Ａ−ＭＰＤＵ）の図である。
【０１３８】
【図１３】図１３は、一実施形態による、アソシエーション識別（ＡＩＤ）アドレスに対するビット割り当ての一例の図である。
【０１３９】
【図１４】図１４は、一実施形態による、早期受信装置表示（ＥＲＩ）フィールドの図である。
【０１４０】
【図１５Ａ】いくつかの実施形態による、非データパケット（ＮＤＰ）制御データユニットの図である。
【図１５Ｂ】いくつかの実施形態による、非データパケット（ＮＤＰ）制御データユニットの図である。
【図１５Ｃ】いくつかの実施形態による、非データパケット（ＮＤＰ）制御データユニットの図である。
【図１５Ｄ】いくつかの実施形態による、非データパケット（ＮＤＰ）制御データユニットの図である。
【図１５Ｅ】いくつかの実施形態による、非データパケット（ＮＤＰ）制御データユニットの図である。
【０１４１】
【図１６】図１６は、一実施形態による、制御データユニットの信号フィールドの図である。
【０１４２】
【図１７】図１７は、別の実施形態による、制御データユニットの信号フィールドの図である。
【０１４３】
【図１８】図１８は、別の実施形態による、ＮＤＰ制御データユニットの図である。
【０１４４】
【図１９Ａ】いくつかの実施形態による、受信データユニットが通常のデータユニットか、短い制御データユニットかを決定するために、受信装置によって使用される様々な技術を示す図である。
【図１９Ｂ】いくつかの実施形態による、受信データユニットが通常のデータユニットか、短い制御データユニットかを決定するために、受信装置によって使用される様々な技術を示す図である。
【０１４５】
【図２０】図２０は、一実施形態による、クライアントステーションが別のクライアントステーションに対する隠れノードである配置の一例を示す図である。
【０１４６】
【図２１】図２１は、一実施形態による、確認応答データユニット表示を含むデータユニットの図である。
【０１４７】
【図２２】図２２は、一実施形態による、単一交換保護スキームの図である。
【０１４８】
【図２３】図２３は、一実施形態による、多重交換保護スキームの図である。
【０１４９】
【図２４】図２４は、暗号化情報ヘッダを含む先行技術データユニットの図である。
【０１５０】
【図２５】図２５は、一実施形態による、例示の方法のフロー図である。
【０１５１】
【図２６】図２６は、一実施形態による、例示の方法のフロー図である。
【０１５２】
【図２７】図２７は、一実施形態による、制御データユニットを作成する例示の方法のフロー図である。
【０１５３】
【図２８】図２８は、一実施形態による、無線ネットワークにおいて送信されるデータユニットを作成する例示の方法のフロー図である。
【０１５４】
【図２９】図２９は、一実施形態による、無線ネットワークにおける通信媒体へのアクセスを共有する例示の方法のフロー図である。
【０１５５】
【図３０】図３０は、一実施形態による、無線ネットワークにおける制御データユニットを送信する例示の方法のフロー図である。
【０１５６】
【図３１】図３１は、一実施形態による、無線ネットワークにおけるデータユニットを送信する例示の方法のフロー図である。
【発明を実施するための形態】
【０１５７】
以下で説明する実施形態において、無線ローカルエリアネットワーク（ＷＬＡＮ）のアクセスポイント（ＡＰ）などの無線ネットワーク装置は、１つ以上のクライアントステーションに対してデータストリームを送信する。ＡＰは、少なくとも通信プロトコルに従ってクライアントステーションで動作するように構成される。一実施形態において、通信プロトコルは、ｓｕｂ−１ＧＨｚ周波数範囲における動作を規定し、典型的に、（例えばＩＥＥＥ８０２．１１ｎ標準によって規定される通信プロトコルと比べて比較的低データ転送速度）での長距離無線通信を必要とする用途に使用される。本明細書において、通信プロトコル（例えばいくつかの実施形態において、現在開発中のＩＥＥＥ８０２．１１ａｆ標準またはＩＥＥＥ８０２．１１ａｈ標準で規定される）は「長距離」通信プロトコルと呼ぶ。
【０１５８】
一実施形態において、長距離通信プロトコルは、少なくとも通常速度（ＮＲ））モードおよび超低速度（ＶＬＲ）モードを含む２つ以上の通信モードを規定する。ＶＬＲモードは、ＮＲモードより低いデータ転送速度を有し、ＮＲモードと比較してさらなる長距離通信を目的としている。
【０１５９】
いくつかの実施形態において、長距離通信プロトコルは、現在の８０２．１１標準によって規定されるデータユニットフォーマットと類似した媒体アクセス制御（ＭＡＣ）層および物理的（ＰＨＹ）層データユニットフォーマットを定義する。しかしながら、長距離通信プロトコルによって通常規定される低データ転送速度に起因して、管理または制御データユニットデータなどの伝送に使用されないデータユニットの伝送と関連付けられたオーバーヘッド、ならびに実際のデータを運ぶデータユニットの非データ部分分の伝送と関連付けられたオーバーヘッドは、現在のＩＥＥＥ８０２．１１プロトコルと関連付けられた高データ転送速度伝送に対して、長距離伝送において大きくなる。さらに、低データ転送速度および長伝送時間は、結果として、少なくともいくつかの状況において、現在のＩＥＥＥ８０２．１１プロトコルに従って動作する装置と関連した消費電力と比較して、長距離プロトコルに従って動作する装置による消費電力が大きくなる。いくつかの実施形態において、いくつかの態様であるＰＨＹおよび／またはＭＡＣデータユニットフォーマットは、現在のＩＥＥＥ８０２．１１フォーマットに対して相対的に変更されて、長距離通信プロトコルによって規定される長距離伝送に対するオーバーヘッドを削減するようにしている。さらに、またはもしくは、以下で説明する技術は、いくつかの実施形態において．制御データユニットなどの非データのデータユニットの伝送に伴うオーバーヘッドを削減するために使用される。さらに、いくつかの実施形態において、以下で説明する技術は、長距離通信プロトコルに従って動作する少なくともいくつかの装置における消費電力を削減するために使用される。
【０１６０】
図１は一実施形態による、ＡＰ１４を含む無線ローカルエリアネットワーク（ＷＬＡＮ）１０の一例のブロック図である。ＡＰ１４は、ネットワークインタフェース１６に接続されたホストプロセッサ１５を含む。ネットワークインタフェース１６は、媒体アクセス制御（ＭＡＣ）処理部１８および物理層（ＰＨＹ）処理部２０を含む。ＰＨＹ処理部２０は、複数の送受信機２１を含み、送受信機２１は複数のアンテナ２４に接続される。３つの送受信機２１および３つのアンテナ２４を図１に示すが、その他の実施形態において、ＡＰ１４  は異なる数（例えば１、２、４、５等）の送受信機２１およびアンテナ２４を含んでもよい。
【０１６１】
ＷＬＡＮ１０は、さらに、複数のクライアントステーション２５を含む。４つのクライアントステーション２５を図１に示すが、ＷＬＡＮ１０は、様々な場合および実施形態において、異なる数（例えば１、２、３、５、６等）のクライアントステーション２５を含んでもよい。クライアントステーション２５の少なくとも１つ（例えばクライアントステーション２５−１）は、少なくとも長距離通信プロトコルに従って動作するように構成される。
【０１６２】
クライアントステーション２５−１は、ネットワークインタフェース２７に接続されたホストプロセッサ２６を含む。ネットワークインタフェース２７は、ＭＡＣ処理部２８およびＰＨＹ処理部２９を含む。ＰＨＹ処理部２９は複数の送受信機３０を含み、送受信機３０は複数のアンテナ３４に接続される。３つの送受信機３０および３つのアンテナ３４を図１に示すが、その他の実施形態において、クライアントステーション２５−１は、異なる数（例えば１、２、４、５等）の送受信機３０およびアンテナ３４を含んでもよい。
【０１６３】
いくつかの実施形態において、クライアントステーション２５−２、２５−３および２５−４のうちの１つ、いくつか、またはすべてはクライアントステーション２５−１と同一または類似の構造を有する。そのような実施形態において、クライアントステーション２５−１と同一または類似した構造を有するクライアントステーション２５は同数または異なる数の送受信機およびアンテナを有する。例えば、一実施形態によれば、クライアントステーション２５−２は、２つの送受信機および２つのアンテナのみを有する。
【０１６４】
様々な実施形態において、ＡＰ１４のＰＨＹ処理部２０は、長距離通信プロトコルに準拠し以下に説明するフォーマットを有するデータユニットを作成するように構成される。送受信機２１は、作成されたデータユニットを、アンテナ２４を介して送信するように構成される。同様に、送受信機２４は、アンテナ２４を介してそのようなデータユニットを受信するように構成される。様々な実施形態によれば、ＡＰ１４のＰＨＹ処理部２０は、さらに、長距離通信プロトコルに準拠し、かつ以下に説明するフォーマットを有する受信データユニットを処理するように構成される。
【０１６５】
様々な実施形態において、クライアント装置２５−１のＰＨＹ処理部２９は、長距離通信プロトコルに準拠し以下に説明するフォーマットを有するデータユニット（例えば長距離通信プロトコルによる通常モードおよび／または低転送速度モードのデータユニット）を作成するように構成される。送受信機３０は、作成されたデータユニットを、アンテナ３４を介して送信するように構成される。同様に、送受信機３０は、アンテナ３４を介してデータユニットを受信するように構成される。様々な実施形態によれば、クライアント装置２５−１のＰＨＹ処理部２９は、さらに、長距離通信プロトコルに準拠し以下に説明するフォーマットを有する受信データユニットを処理するように構成される。
【０１６６】
図２は、一実施形態による、ステーションＡとステーションＢとの間のフレーム交換シーケンス２００の図である。図１では、一実施形態において、ステーションＡがクライアントステーション２５（例えばクライアントステーション２５−１）であり、ステーションＢがＡＰ１４である。さらに図１では、別の実施形態において、ステーションＡはＡＰ１４であり、ステーションＢはクライアントステーション２５（例えばクライアントステーション２５−１）である。別の例として、さらに別の実施形態において、ステーションＡはクライアントステーション２５のうちの１つ（例えばクライアントステーション２５−１）であり、ステーションＢはクライアントステーション２５のうちの別の１つである（例えばクライアントステーション２５−２）。
【０１６７】
図２では、時間２０２においてステーションＡがウエイクアップし、期間２０４中において所定の「ｐｒｅ−ａｃｔｉｖｅ」動作を実行する。期間２０６において、ステーションＡは、例えば、キャリア検知手順を実行することによってステーションＡ近傍の通信媒体を評価する。その通信媒体が許可され、ステーションＡによる伝送のために利用可能であると決定されると、ステーションＡは、その通信媒体に対して、送信機会（ＴＸＯＰ）期間２０８によって規定される時間だけ継続する無競合アクセスを獲得する。その媒体への無競合アクセスを獲得すると、例えば、送信対象のデータのトラフィックタイプに基づいて決定される拡張分散チャンネルアクセス（ＥＤＣＡ）バックオフ期間２０８によって規定されるように、ステーションＡはある期間だけ伝送を遅延させる。ＥＤＣＡバックオフ期間２０８が終了すると、ステーションＡはデータユニット２２０のステーションＢに対する伝送を開始する。データユニット２２０は、ＰＨＹプリアンブル部分２２２と、ＭＡＣヘッダ部分２２４と、データ部分２２６とを含む。期間２１０において、ステーションＡはステーションＢから確認応答（ＡＣＫ）データユニット２２８を受信する。データユニット２２０のステーションＢによる受信が成功したことをステーションＡに知らせる確認応答データユニット２２８の受信時、および期間２１２における所定の「ｐｏｓｔ−ａｃｔｉｖｅ」動作の実行後、時間２１４において、ステーションはディープスリープモードに入る。
【０１６８】
フレーム交換シーケンス２００は、通常、現在の８０２．１１標準によって規定されるフレーム交換シーケンスに対応する。しかしながら、長距離プロトコルによって通常規定される低データ転送速度に起因して、図２の各期間は、現在の８０２．１１標準に関連したデータ転送速度での同様の伝送シーケンスと比較すると、長距離伝送としては長く、結果的に、データ（すなわちデータユニット２２０のデータ部分２２６）の伝送に対するオーバーヘッド量が増加する。参考として、図３は、現在のＩＥＥＥ８０２．１１標準によって定義されるデータユニットフォーマットを使用した場合のＩＥＥＥ８０２．１１ａｆおよび８０２．１１ａｈ標準に対して熟慮されているいくつかのデータ転送速度におけるデータユニット伝送の伝送効率分析結果を示す表３００を示す。表３００からわかるように、少なくともいくつかの伝送シーケンス部分によって、長距離通信プロトコルに関連した低データ転送速度では、大量のオーバーヘッドが発生する。例えば、図２のＭＡＣヘッダ２２４など、ＭＡＣヘッダ（３０２欄）によって発生するオーバーヘッドは、場合によっては伝送シーケンス全体の１６．９％と高くなることがある。同様に、図２のＡＣＫデータユニット２２８など、ＡＣＫデータユニット（３０４欄）によって発生するオーバーヘッドは、場合によっては伝送シーケンス全体の１８．６２％と高くなることがある。いくつかの実施形態において、後述のデータユニットフォーマットは、長距離通信プロトコルに従って動作する様々な装置間の長距離通信の伝送オーバーヘッドを削減し、それによって伝送効率を高める。
【０１６９】
参考として、図４〜６は現在の８０２．１１標準に準拠する、いくつかの先行技術によるＰＨＹおよびＭＡＣデータユニットフォーマットを示す。
【０１７０】
図４は、現在の８０２．１１標準に準拠してフォーマット化された先行技術によるデータユニット４００の図である。データユニット４００は、ＰＨＹプリアンブル部分４０２を含み、ＰＨＹプリアンブル部分４０２はショートトレーニングフィールド（ＳＴＦ）４０６と、ロングトレーニングフィールド（ＬＴＦ）４０８と、信号フィールド４１０とを含む。信号フィールド４１０は、データユニット４００の伝送に使用される変調符号化方式（ＭＣＳ）など、データユニット４００の物理層伝送に関する様々な物理層情報を送信するために使用される。プリアンブル部分４０２の後に、サービスフィールド４１２および区切りフィールド４１４がある。データユニット４００は、さらに、ＭＡＣヘッダ４１６と、ＭＡＣデータ部分４１８と、フレーム制御チェックフィールド４１８と、ｔａｉｌおよびｐａｄｄｉｎｇフィールド４２０とを含む。ＭＡＣヘッダ４１６は、通常、例えば、データユニット４００の送信装置および／または意図された受信装置を識別するアドレスなど、ユーザ専用情報を運ぶ。ＳＴＦフィールド４０２、ＬＴＦフィールド４０４およびＳＩＧフィールド４０６は、データユニット４００のＰＨＹプリアンブルを含む。ＰＨＹプリアンブルは、通常、全方向に比較的低変調（例えばＢＰＳＫ）および比較的低符号化速度を用いて送信され、したがって、典型的に、送信装置の動作範囲内の全クライアントステーションまたは大部分のクライアントステーションによって受信され、適切に解釈される。データユニット４００の残りの部分は、典型的に、高速で（高い変調次数および／または符号化速度を用いて）送信され、データユニット４００の意図される受信装置の方向にビームフォームされることが可能である。
【０１７１】
図５Ａは、先行技術による媒体アクセス制御（ＭＡＣ）フレーム５００の図である。ＭＡＣフレーム５００は、例えば図４のデータユニット４００のフィールド４１２〜４１６に対応する。ＭＡＣフレーム５００は、ＭＡＣヘッダ５０２と、フレーム本体５１８と、フレームシーケンスチェックフィールド５２０とを含む。図５Ａの各フィールド上の数字は対応するフィールドによって占有されるオクテットの数を示す。したがって、ＭＡＣヘッダ５０２は、フレーム制御フィールド５０４（２オクテット）と、デュレーション／ＩＤフィールド５０８（２オクテット）と、第１のアドレス（アドレス１）フィールド５１０−１（６オクテット）と、第２のアドレス（アドレス２）フィールド５１０−２（６オクテット）と、第３のアドレス（アドレス３）フィールド（６オクテット）５１０−３と、シーケンス制御フィールド５１２（２オクテット）と、第４のアドレス（アドレス４）フィールド５１０−４（６オクテット）と、ＱｏＳ制御フィールド５１４（２オクテット）トと、ＨＴ制御フィールド５１６（４オクテット）とを含む。データユニット５００は、さらに、フレーム本体５１８と、４オクテットのフレームチェックシーケンス（ＦＣＳ）フィールド５２０とを含む。アドレスフィールド５１０のそれぞれは、データユニット５００の送信装置、データユニット５００の受信装置等のデータユニット５００と関連付けられた装置のグローバル一意のＭＡＣアドレスを含む４８ビット（６オクテット）のフィールドである。通常、ＭＡＣヘッダ５０２は、ＭＡＣフレーム５００の３６オクテットを占有する。
【０１７２】
図５Ｂは、図５Ａのデータユニット５００に含まれる、先行技術によるフレーム制御フィールド５０４の図である。フレーム制御フィールド５０４は、プロトコルバージョンサブフィールド５５２と、タイプサブフィールド５５４と、サブタイプサブフィールド５５６と、ｔｏ  ｄｉｓｔｒｉｂｕｔｉｏｎ  ｓｙｓｔｅｍ（ＴｏＤＳ）サブフィールド５５８と、ｆｒｏｍ  ｄｉｓｔｒｉｂｕｔｉｏｎｓｙｓｔｅｍ（ＦｒｏｍＤＳ）サブフィールド５６０と、モアフラグメントサブフィールド５６２と、リトライサブフィールド５６４と、電力管理サブフィールド５６６と、モアデータサブフィールド５６８と、保護フレームサブフィールド５７０と、順序サブフィールド５７２とを含む。
【０１７３】
図６は、先行技術による、現在の８０２．１１標準に従ってフォーマット化された制御データユニット６００の図である。制御データユニット６００は、制御データユニット専用情報が制御データユニット６００のＭＡＣデータ部分に含まれる図４のデータユニット４００など、現在のＩＥＥＥ８０２．１１標準によって定義される通常のデータユニットフォーマットと同一または類似してフォーマット化される。データユニット４００と同様に、制御データユニット６００は、順に、ＳＴＦフィールド６０２と、ＬＴＦフィールド６０４と、ＳＩＧフィールド６０６とを含むＰＨＹプリアンブル６０２を含む。制御データユニット６００は、さらに、データ部分６０８と、ｔａｉｌおよびｐａｄｄｉｎｇフィールド６１０とを含む。データ部分６０８は、サービスフィールド６１２と、ＦＣフィールド６１４と、デュレーションフィールド６１６と、ＲＡフィールド６１８と、ＴＡフィールド６２０と、ＦＣＳフィールド６２２とを含む。例えば、制御データユニット６００の送信装置が制御データユニット６００において識別必要がない場合など、場合によっては、ＴＡフィールド６２０は制御データユニット６００において省略される。
【０１７４】
図７Ａは、一実施形態による、長距離通信プロトコルによって定義されるデータユニットフォーマットに応じてフォーマット化された一例の長距離データユニット７００の図である。図１において、一実施形態によれば、ＡＰ１４は、ＯＦＤＭ変調を使用してデータユニット７００をクライアントステーション２５−１へ送信するように構成される。一実施形態によれば、クライアントステーション２５−１も同様に、ＯＦＤＭ変調を使用してデータユニット７００をＡＰ１４へ送信するように構成される。データユニット７００は、図４のデータユニット４００と同様のフォーマットを有するが、データユニット７００の様々なフィールドは、データユニット４００の対応するフィールドに対して変更されている。
【０１７５】
データユニット７００は、ＳＴＦフィールド７０２と、ＬＴＦフィールド７０４と、ＳＩＧフィールド７１０とを含む。一実施形態によれば、ＳＴＦフィールド７０２と、ＬＴＦフィールド７０４と、ＳＩＧフィールド７０６とは、データユニット７００のＰＨＹプリアンブル７０１を含む。データユニット７００は、さらに、サービスフィールド７０８と、区切り（delimiter）７１０とを含む。データユニット７００は、さらに、ＭＡＣヘッダ（ＭＨ）７１２と、ＭＡＣデータ部分７１６と、ＦＣＳフィールド７１８と、ｔａｉｌ／ｐａｄｄｉｎｇフィールド７２０とを含む。一実施形態において、ＰＨＹプリアンブル７０１は、全方向に、比較的低い変調方式（例えばＢＰＳＫ）および比較的低い符号化速度（例えば長距離通信プロトコルによって定義される最低ＭＣＳによるなど）で送信され、したがって、典型的に、送信装置の通信範囲内の全クライアントステーションまたは大部分のクライアントステーションによって受信され、適切に解釈されることが可能である。データユニット７００の残りの部分は、典型的に、高速で（高い変調次数および／または符号化速度を用いて）送信され、データユニット７００の意図される受信装置の方向にビームフォームされることが可能である。
【０１７６】
図７Ｂは、一実施形態による、データユニット７００に含まれるＭＡＣヘッダ７５０の図である。一実施例によれば、ＭＡＣヘッダ７５０の各フィールド上の数字は、ＭＡＣヘッダ７５０の対応するフィールドによって占有されるオクテットの数（またはバイト）を示す。一実施形態において、ＭＡＣヘッダ７５０は、フレーム制御フィールド７５２と、受信装置アドレス（ＲＡ）フィールド７５４と、送信装置アドレス（ＴＡ）フィールド７５６と、ネットワークＩＤ（ＮＩＤ）フィールド７５８と、シーケンス制御（ＳＣ）フィールド７６０と、Ｓ−ＮＩＤフィールド７６２と、「その他」フィールド７６４とを含む。様々な実施形態によれば、ＭＡＣヘッダ７５０のビット数は、図５ＡのＭＡＣヘッダ５０２と比較して減らされている。図７Ｂの実施形態において、ＦＣフィールド７５２、ＳＣフィールド７６０、Ｓ−ＮＩＤフィールド７６２、および「その他」フィールド７６４のそれぞれは、ＭＡＣヘッダ７５０の２オクテットを占有する。ＭＡＣヘッダ５０２と比較してＭＡＣヘッダ７５０のサイズを減らすためには、いくつかの実施形態において、ＭＡＣヘッダ５０２に含まれる所定のフィールドをＭＡＣヘッダ７５０から省略される、もしくはデータユニット７００のＳＩＧフィールド７０６および／またはサービスフィールド７０８へ移動される。例えば、一実施形態において、ＭＡＣヘッダ５０２に含まれるデュレーション／ＩＤフィールドは、ＭＡＣヘッダ７０２から省略される。別の例において、一実施形態によれば、ＭＡＣヘッダ５０２のＱｏＳ制御フィールド５１６に含まれるトラフィックＩＤ（ＴＩＤ）要素は、データユニット７００のサービスフィールド７１０またはＭＡＣヘッダ７５０のフレーム制御フィールド７５２に含まれ、ＱｏＳ制御フィールドはＭＡＣヘッダ７５０から省略される。
【０１７７】
いくつかの実施形態において、ＭＡＣヘッダ７５０は、データユニット７００と関連付けられた装置を識別するための１つ以上のアドレスフィールドを含む。この場合のアドレスフィールドは、ＭＡＣヘッダ５０２に同様の目的で含められたアドレスフィールドと比較して短い。したがって、そのような実施形態において、ＭＡＣヘッダ７５０のアドレスビット数は、ＭＡＣヘッダ５０２のアドレスビット数と比較して減らされている。例えば、一実施形態において、ＭＡＣヘッダ７５０は、ネットワーク内の装置の短いローカルアドレスと、そのネットワークを識別する短いネットワークＩＤとを含むことによって、データユニット７００と関連付けられた装置を識別する。一実施形態において、装置のローカルアドレスは、装置に関連付けられた無線ネットワークにおいて一意のアドレスであるが、その他の無線ネットワークにおいては一意ではない。したがって、ＭＡＣヘッダ５０２のアドレスフィールド５１０におけるグローバル一意のＭＡＣアドレスの少なくともいくつかは、ＭＡＣヘッダ７５０において、データユニット７００において識別される装置の短いローカルアドレスに置換される。例えば、一実施形態において、ＭＡＣヘッダ７５０のＲＡフィールド７５４は、ＡＰとのアソシエーション処理中のＡＰによって、データユニット７００の受信装置（例えばＡＰ１４）に割り当てられるアソシエーション識別（ＡＩＤ）を含む。同様に、一実施形態において、ＭＡＣヘッダ７５０のＴＡフィールド７５６は、データユニット７００の送信装置と関連付けられたＡＩＤを含む。さらに、ＮＩＤサブフィールド７５８は、そのＡＰと関連付けられたネットワークＩＤまたはｂａｓｉｃ  ｓｅｒｖｉｃｅ  ｓｅｔ（ＢＳＳ）ＩＤを含む。一実施形態において、ＲＡフィールド７５４およびＴＡフィールド７５６のそれぞれは、１２ビットに限定され、したがって最大１２ビットで現れる装置ＡＩＤを含む。一実施形態によれば、ＮＩＤフィールド７５８に含まれるネットワークＩＤは、２バイト（または２オクテット）のネットワークＩＤである。一実施形態において、ＮＩＤサブフィールド７５８のネットワークアドレスが、例えば、重複ＢＳＳなど、近隣ネットワークと関連付けられたネットワークアドレスと同一でない限り、データユニット７００と関連付けられた装置は、装置の短いローカルアドレスによってＭＡＣヘッダ７５０において一意に識別される。
【０１７８】
様々な実施形態において、近隣および／または重複ネットワークと関連付けられたアドレスが互いに対して一意であることを確認するために、様々な技術が使用される。例えば、一実施形態において、新しく作成されたＡＰ（例えばＡＰ１４）が現在動作中の近隣ネットワークを走査し、走査されたネットワークと競合しないネットワークＩＤを選択する。いくつかの実施形態において、ＡＰが、継続的または定期的に近隣ネットワークを走査して、近隣ネットワークと競合するネットワークＩＤを検出する。代替としてまたは追加して、いくつかの実施形態において、クライアントステーションが共通のネットワークアドレスを使用している２つ以上のＡＰの存否を検出して、それらのＡＰの少なくとも１つに発行されている共通のアドレスを報告する。一実施形態において、ネットワークＩＤの競合の検出に応答して、および／またはクライアントステーションからの競合するネットワークのネットワークＩＤの表示の受信に応答して、ＡＰは、新規ネットワークＩＤを選択し、その新規ネットワークＩＤを、そのＡＰに関連付けられているクライアントステーションに対してアナウンスする。
【０１７９】
しかしながら、いくつかの実施形態において、節電モードまたはディープスリープモードで動作中のクライアントステーションは所定の期間アクティブではなく、アドレス競合を検出するために近隣ネットワークを走査することはできず、ダウンタイム中にＡＰに対して競合を報告できない。その結果、いくつかの実施形態および／または状況において、上述したネットワークＩＤ競合検出スキームは不十分であり、代替技術が使用される。例えば、一実施形態において、ＭＡＣヘッダ７５０のＲＡフィールド７５４は、受信装置の長くてグローバル一意のアドレス（例えば受信装置の４８ビットのＭＡＣアドレス）を含む一方、ＴＡサブフィールド７５６およびＮｅｔ  ＩＤアドレスフィールド７５８はそれぞれ、対応する短いローカルアドレスを含む。別の実施形態において、ＭＡＣヘッダ７５０は、意図した受信装置のグローバル受信装置アドレスおよび／または例えば、一意のＢＳＳＩＤなどのグローバル一意ネットワークアドレスを保持する１つ以上の追加のサブフィールドを含む。
【０１８０】
いくつかの実施形態において、ＭＡＣヘッダ７５０の全ＭＡＣアドレスを含む一方でデータユニット７００の受信装置が正確かつ明確に受信装置がデータユニット７００の意図された受信装置であることを決定可能とすることも回避するために、グローバルＭＡＣ受信装置アドレスまたはグローバルネットワークアドレス（グローバルＡＰアドレスなど）は、データユニット７００のＦＣＳフィールド７１８に含まれるフレームチェックシーケンスの演算に含まれるが、実際にはデータユニット７００に含まれない。図８Ａ〜８Ｃは、上記のいくつかの実施形態による、送信装置（例えばＡＰ１４）におけるフレームチェックシーケンス演算を示す図である。一実施形態において、送信装置（例えばＡＰ１４）は、データユニット８００（図８Ａ）を受信装置（例えばクライアントステーション２５−１）に対して送信する。データユニット８００は、図７Ａのデータユニット７００と同一または類似している。データユニット８００は、フレームヘッダ８０２と、データ部分８０４と、ＦＣＳフィールド８０６とを含む。フレームヘッダ８０２は、送信装置と関連づけられたＡＩＤなど、短いローカルアドレスを含む。同様に、フレームヘッダ８０２は、受信装置と関連付けられたＡＩＤなど、受信装置の短いローカルアドレスを含む。さらに、フレームヘッダ８０２は、送信装置および受信装置と関連付けられたネットワークまたはＢＳＳを識別する短いネットワークＩＤを含む。一実施形態において、データユニット８００のフレームチェックシーケンス演算は、受信装置の長いグローバルアドレス（受信装置の４８ビットのＭＡＣアドレスなど）を使用して実行され、それによって重複ＢＳＳなど、近隣ネットワークがデータユニット８００と関連付けられているネットワークによって使用されるネットワークＩＤと同一のネットワークＩＤを使用している場合でも、受信装置が一意に識別可能となる。図８Ｂは、上記のような一実施形態によれば、ＦＣＳ演算に対して使用されるフィールド８３０を図示する。図８Ｂの実施形態において、長い受信装置アドレス（Ｌ−ＲＡ）８０８は、データユニット８００のＦＣＳフィールド８０６に含まれるＦＣＳを演算することを目的として、データユニット８００のデータ部分８０４に添付される。図８Ｃは、別の実施形態による、ＦＣＳ演算のために使用されるフィールド８５０を示す。図８Ｃの実施形態において、長い受信装置アドレス（Ｌ−ＲＡ）８０８は、データユニット８００のＦＣＳフィールド８０６に含まれるＦＣＳの演算を目的として、データユニット８００のフレームヘッダフィールド８０２の先頭に付加される。
【０１８１】
図９Ａ〜９Ｃは、いくつかの実施形態による、受信装置（例えばクライアントステーション２５−１）におけるフレームチェックシーケンスの演算を示す図である。一実施形態において、受信装置（例えばクライアントステーション２５−１）は、送信装置（例えばＡＰ１４）からのデータユニット９００を受信する。データユニット９００は、図７Ａのデータユニット７００と同一または類似している。データユニット９００は、フレームヘッダ９０２と、データ部分９０４と、ＦＣＳフィールド９０６とを含む。ＦＣＳフィールド９０６は、受信装置の長い受信装置アドレスを使用して送信装置において演算されるＦＣＳを含む。したがって、受信装置は、受信装置において受信されたデータユニット９００の正確性を確認する際のＦＣＳ演算における対応する長い受信装置アドレスを含む。一実施形態によれば、受信装置においてＦＣＳが演算される際にデータユニット９００内に長い受信装置アドレスを配置するかは、送信装置においてＦＣＳ演算が実行された際にＬ−ＲＡをデータユニット９００内に配置したかによって決定される。図９Ｂは、上記のような一実施形態による、ＦＣＳ演算に含まれるフィールド９３０を図示する。図９Ｂの実施形態において、長い受信装置アドレス（Ｌ−ＲＡ）９０８は、受信データユニット９００の正確性を確認するためのＦＣＳ演算を目的として、データユニット９００のデータ部分９０４に対して添付される。図９Ｃは、別の実施形態による、ＦＣＳ演算のために使用されるフィールド９５０を図示する。図９Ｃの実施形態において、長い受信装置アドレス（Ｌ−ＲＡ）９０８は、受信データユニット９００の正確性を確認するためのＦＣＳ演算を目的として、データユニット９００のフレームヘッダフィールド９０２の先頭に付加される。演算されたＦＣＳが予想ＦＣＳと一致しない場合、データユニット９００はデータユニット９００の伝送時に破壊された可能性があり、もしくは受信装置がデータユニット９００の意図された受信装置でない。いずれの場合においても、一実施形態によれば、受信装置はデータユニット９００を破棄する。
【０１８２】
いくつかの実施形態および／または状況において、データユニット９００を受信するクライアントステーションは、いくつかのグローバルＭＡＣ受信装置アドレスと関連付けられている。したがって、一実施形態において、データユニット９００のＦＣＳフィールド９０６に含まれるＦＣＳに基づいて、複数アドレスの受信装置がデータユニット９００の意図された受信装置であるかを適切に判断するために、受信装置は、ＦＣＳ演算に含まれるべき長い受信装置アドレスをまず決定する必要がある。一実施形態において、受信装置は、データユニット９００のフレームヘッダ８０２に含まれる短いＲＡアドレスおよび短いネットワークＩＤアドレスに基づいて、ＦＣＳ演算に含まれるべき長いＲＡアドレスを選択する。図９Ｂにおいて、本実施形態では、ＦＣＳ演算のためにデータユニット９００のデータ部分９０４に対して長い受信装置アドレスＬ−ＲＡ９０８が添付されているため、本実施形態によればＦＣＳ演算は正しいＬ−ＲＡアドレスが実際に選択される前に開始される。すなわち、本実施形態において、Ｌ−ＲＡはＦＣＳ演算と同時に選択され、選択されたアドレスは、ＦＣＳ演算の完了前にデータユニット９０８のデータ部分９０４に対して添付される。図９Ｃにおいて、本実施形態では、ＦＣＳ演算のために、長い受信装置Ｌ−ＲＡアドレス９０８がデータユニット９００のフレームヘッダ９０８の先頭に付加されるため、データユニット９００のＦＨ９０２は、受信装置のメモリにまずキャッシュされ、データユニット９００のＦＨ９０２に含まれる情報（例えば短いＲＡおよび短いＮＩＤ）に基づいて正しいＬ−ＲＡが選択される。本実施形態によれば、その後、選択されたＬ−ＲＡはデータユニット９００のＦＨ９０２の先頭に付加され、先頭にＬ−ＲＡ９０８が付加されたデータユニット９００はＦＣＳ演算処理に渡される。
【０１８３】
図１０は、一実施形態による、長距離通信プロトコルによって定義されるようにフォーマット化されたマルチキャストデータユニット１０００の図である。一実施形態において、ＡＰ１４は、複数のクライアントステーション２５に対して送信するように構成される。マルチキャストデータユニット１０００は、図７Ａのデータユニット７００と類似しており、ＭＡＣヘッダ１００２と、集約ＭＳＤＵ部分１００４と、ＦＣＳフィールド１００６とを含む。一実施形態において、ＭＡＣヘッダ１００２は、図６のＭＡＣヘッダ６５０と同一または類似している。ＭＡＣヘッダ１００２は、ＦＣフィールド１００８と、短いＲＡフィールド１０１０と、短いＴＡフィールド１０１２と、短いＮＩＤフィールド１０１４と、シーケンス制御フィールド１０１６と、「その他」フィールド１０１８とを含む。Ａ−ＭＳＤＵ部分分１００４は１つ以上のＡ−ＭＳＤＵサブフレーム１０２０を含み、各Ａ−ＭＳＤＵサブフレーム１０２０は、サブフレームヘッダ１０２２と、サブフレームデータ部分１０２４とｐａｄｄｉｎｇフィールド１０２６とを含む。各サブフレームヘッダ１０２２は、送信先アドレス（ＤＡ）フィールド１０２８と、送信元アドレス（ＳＡ）フィールド１０３０と、長さフィールド１０３２とを含む。
【０１８４】
一実施形態において、ＡＰ（例えばＡＰ１４）が複数のクライアントステーションに対してデータユニット１０００を送信する場合、ＡＰは、ＲＡフィールド１０１０を、そのＡＰが動作するネットワーク（例えばネットワーク１０）と関連付けられた短いブロードキャストアドレス（例えば短いブロードキャストＡＩＤ）に設定し、さらにＮＩＤフィールド１０１４を短いアドレスまたはネットワークを識別する短いＩＤ（例えば短いＢＳＳ  ＩＤ）に設定する。一実施形態において、データユニット１０００の各サブフレーム１０２０は、そのネットワーク中の１つ以上のクライアントステーションによって受信されることが意図される。クライアントステーションに対して、特定のサブフレーム１０２０がそのクライアントステーションが宛先として意図されていることを知らせるために、ＡＰは意図されているサブフレーム１０２０のサブフレームヘッダ１０２２のＤＡフィールド１０２８を、そのクライアントステーションの長いアドレス（ＭＡＣアドレスなど）またはそのクライアントステーションを含むマルチキャストグループに対応する長いマルチキャストアドレスを含むように設定する。一実施形態によれば、ＲＡフィールド１０１０はブロードキャストアドレスに設定されるため、そのネットワークと関連付けられた各クライアントステーションはデータユニット１０００のＡ−ＭＳＤＵ部分分１００４を処理し、Ａ−ＭＳＤＵ１００４がそのクライアントステーションが宛先として意図されているいずれかのサブフレームを含むかを決定する。
【０１８５】
一実施形態において、サブフレーム１０２０のＳＡフィールド１０３０は、サブフレーム１０２０を送信した送信元装置のアドレスに設定される。もしくは、いくつかの実施形態および／または状況において、例えば、サブフレーム１０２０の送信元がデータユニット１０００の送信装置である場合、ＳＡフィールド１０３０はサブフレーム１０２０のヘッダから省略される。状況によっては、マルチキャストデータユニット１０００が単一のクライアントステーションが宛先として意図されたユニットキャストデータユニットとして送信される。そのような実施形態および／または状況において、データユニット１０００のＲＡフィールド１０１０は、意図されるクライアントステーションの短いアドレス（例えば短いＡＩＤ）に設定される。
【０１８６】
いくつかの実施形態において、クライアントステーション２５は別のクライアントステーション２５と直接通信し、さらに少なくとも状況によってＡＰ１４を介して通信する。状況によっては、データユニット（例えば図７Ａのデータユニット７００）を送信先クライアントステーションに対して送信する送信元クライアントステーションは、例えば、ＡＰ１４に対してＡＩＤを要求するデータユニットを送信することによって、ＡＰ１４から送信先クライアントステーションの短いローカルアドレス（例えばＡＩＤ）を入手する。一実施形態において、送信先クライアントステーションの短いアドレスを要求するためにデータユニット７００を送信する場合、送信元クライアントステーションはデータユニット７００のＭＡＣデータ部分の送信先クライアントステーションの長いアドレスをカプセル化する。
【０１８７】
図１１は、一実施形態による、アドレスのカプセル化が使用されたデータユニット１０００の図である。一実施形態において、クライアントステーション２５は、例えば、ＡＰ１４から別のクライアントステーション２５のＡＩＤアドレスを要求するために、ＡＰ１４に対してデータユニット１１００を送信するように構成される。データユニット１１００は、図１０のマルチキャストデータユニット１０００と類似しており、ＭＡＣヘッダ１１０２と、集約ＭＳＤＵ部分１１０４と、ＦＣＳフィールド１１０６とを含む。一実施形態において、ＭＡＣヘッダ１１０２は図７ＢのＭＡＣヘッダ７５０と同一または類似している。ＭＡＣヘッダ１１０２は、ＦＣフィールド１１０８と、短いＲＡフィールド１１１０と、短いＴＡフィールド１１１２と、短いＮＩＤフィールド１１１４と、シーケンス制御フィールド１１１６と、「その他」フィールド１１１８とを含む。Ａ−ＭＳＤＵ部分分１００４は、１つ以上のＡ−ＭＳＤＵサブフレーム１１２０を含み、各Ａ−ＭＳＤＵサブフレーム１１２０は、サブフレームヘッダ１１２２と、サブフレームデータ部分１０２４とｐａｄｄｉｎｇフィールド１０２６とを含む。各サブフレームヘッダ１１２２は、送信先アドレス（ＤＡ）フィールド１１４０と、送信元アドレス（ＳＡ）フィールド１１４２と、長さフィールド１１４４とを含む。
【０１８８】
一実施形態において、サブフレーム１１２０のＳＡフィールド１１３０は、サブフレーム１１２０を送信した送信元装置のアドレスに設定される。もしくは、いくつかの実施形態および／または状況において、例えば、サブフレーム１１２０の送信元がデータユニット１１００の送信装置である場合、ＳＡフィールド１１３０はサブフレーム１１２０のヘッダから省略される。状況によっては、マルチキャストデータユニット１１００は単一のクライアントステーションが宛先として意図されるユニットキャストデータユニットとして送信される。そのような実施形態および／または状況において、データユニット１１００のＲＡフィールド１１１０は、意図されるクライアントステーションの短いアドレス（例えば短いＡＩＤ）に設定される。
【０１８９】
図１２は、一実施形態による、集約ＭＡＣプロトコルデータユニット（Ａ−ＭＰＤＵ）１２００の図である。一実施形態において、ＡＰ１４は、Ａ−ＭＰＤＵ１２００をクライアントステーション２５−１に対して送信するように構成される。また、一実施形態において、クライアントステーション２５−１は、Ａ−ＭＰＤＵ１２００をＡＰ１４に送信するように構成される。Ａ−ＭＰＤＵ１２００は、長いＭＳＤＵ部分１２０１の後にｎ個の短いＭＳＤＵ部分１２０３を含む。長いＭＳＤＵ部分１２０１は、長いＭＡＣヘッダ１２０２と、ＭＡＣプロトコルデータユニット（ＭＰＤＵ）１２０４−１と、ｄｗｏｒｄ（ＤＷ）ｐａｄｄｉｎｇフィールド１２０６−１とを含む。短いＭＳＤＵ部分１２０３のそれぞれは、短いＭＡＣヘッダ１２１０と、ＭＳＤＵ部分１２１２と、ＤＷ  ｐａｄｄｉｎｇフィールド１２０６とを含む。一実施形態において、区切り１２０８は、各短いＭＳＤＵ部分１２０８の前に挿入される。一実施形態において、ＬＭＨ１２０２は、Ａ−ＭＰＤＵ１２００の送信元アドレスおよび送信先アドレスなど、Ａ−ＭＰＤＵ１２００に関連した一般的なヘッダ情報を含む。一例として、一実施形態において、ＬＭＨ１２０２は、図５ＡのＭＡＣヘッダ５０２または図７ＢのＭＡＣヘッダ７４０と同一または類似している。各ＳＨＭ１２１０は、長いヘッダ１２０２のフレーム制御フィールドの一部および／または対応するＭＳＤＵ１２０３専用の長いヘッダ１２０２のシーケンス制御フィールドなど、対応するＭＳＤＵ部分１２０３専用の情報を含む。
【０１９０】
以下で説明する様々なデータユニットフォーマットおよび早期パケットフィルタリング技術によって、受信装置は、例えば、データユニットのＰＨＹプリアンブルまたはデータユニットのＰＨＹプリアンブルおよびサービスフィールドを処理するなど、データユニットの比較的小さい部分を処理して受信装置がデータユニットの意図された受信装置でないことを決定することによってデータユニットのフィルタリングを行うことができる。そのようなデータユニットフォーマットおよび技術によって、受信装置は、データユニットの早期部分のみの処理に基づいてデータユニットを廃棄して節電を行うことができる。
【０１９１】
図１において、一実施形態によれば、ネットワーク１０は様々な装置タイプのクライアントステーションを含む。一実施形態において、ネットワーク１０は、例えば、スマートセンサネットワーク装置など、１つ以上の低電力のセンサクライアントステーションおよび／またはバッテリ駆動のセンサクライアントステーションを含む。さらに、一実施形態によれば、ネットワーク１０は、例えば３Ｇネットワークなど、異なるネットワークからネットワーク１０に対してオフロードされる１つ以上のクライアントステーションを含む。例えば、一実施例において、クライアントステーション２５−１は低電力センサ装置であり、クライアントステーション２５−２はバッテリ駆動のセンサ装置であり、クライアントステーション２５−３は「オフロード」クライアントステーションである。いくつかの実施形態において、オフロードクライアントステーションと関連するトラフィックはネットワーク１０の媒体の主流であり、オフロードクライアントステーションが長期間にわたってデータをアクティブに送受信する場合があり、および／またはセンサクライアントステーションと比較されることも多い。さらに、少なくともいくつかの実施形態において、センサクライアントステーションは、典型的に電力要件の厳しい状態で動作する。
【０１９２】
一実施形態において、クライアントステーションがデータユニットの意図された受信装置でないことを迅速に決定することによってそのクライアントステーションが節電できるようにするために、データユニットの送信装置はトラフィックおよび／またはデータユニットのＰＨＹプリアンブルなどのデータユニットの早期部分にデータユニットと関連する装置タイプを識別する特定の情報を含む。したがって、そのような実施形態において、クライアントステーション２５などの受信装置は、データユニットの一部のみを処理して受信装置がそのデータユニットの意図される受信装置でないことを決定した後にデータユニットをフィルタリングして省略できる。一実施形態において、受信装置のタイプがデータユニットの早期部分（例えばＰＨＹプリアンブル）に示された装置タイプと一致しない場合、および／またはトラフィックのタイプをサポートしない場合、受信装置はそのデータユニットをフィルタリングして省略する。
【０１９３】
図７Ａにおいて、一実施形態によれば、データユニット７００の信号フィールド７０８は、データユニット７００がＡＰまたはクライアントステーションに向けて送信されたものであるかの表示を含む。一実施形態において、例えば、信号フィールド７０８はデータユニット７００の移動方向を示すＴｏＡＰ／ＴｏＳＴＡ表示ビットを含む。一例として、本実施形態において、データユニット７００がクライアントステーション（例えばクライアントステーション２５−１）からＡＰ（例えばＡＰ１４）に対して送信されている場合、信号フィールド７０８のＴｏＡＰ／ＴｏＳＴＡビットは、他のクライアントステーションに対して、クライアントステーションはデータユニット７００の残りの部分を処理する必要がないことを知らせる論理１に設定される。一方、データユニット７００がＡＰからクライアントステーションに対して（あるクライアントステーションから別のクライアントステーションに対して）送信されている場合、信号フィールド７０８のＴｏＡＰ／ＴｏＳＴＡビットは、他のクライアントステーションに対して、クライアントステーションはデータユニット７００の処理を継続しなければならないことを知らせる論理０（ゼロ）に設定される。
【０１９４】
いくつかの実施形態において、データユニット７００の信号フィールド７０８は、例えば、データユニット７００（または例えばサービスフィールド７１０またはＭＡＣヘッダ７１４の早期部分のなどのデータユニット７００の別の早期部分）は、携帯電話通信ネットワーク（例えば３Ｇネットワーク）などのネットワーク１０とは別のネットワークからオフロードされたデータを含むかを示すインジケータを含む。さらに、またはもしくは、一実施形態において、インジケータは、そのデータユニットが、携帯電話通信ネットワークからのデータのオフロードをサポートする装置によって作成されたか、および／またはそのデータユニットがそのような装置に対してアドレス指定されているかを示す。一実施形態において、インジケータは、データがセンサなどの電力要件の厳しい装置に対してアドレス指定されているかも示す。もしくは、別の実施形態において、データユニット７００の信号フィールド７０８は、そのデータユニットが電力要件の厳しい装置に対してアドレス指定されているかを示す追加のインジケータを含む。一実施形態において、データユニット７００の信号フィールド７０８などのデータユニット７００の早期部分にオフロード表示を含むことによって、電力要件の厳しいクライアントステーションなどの非オフロードクライアントステーションが、そのデータユニット７００がセンサデータユニットでありセンサクライアントステーションによる処理が必要ないことを決定可能となる。したがって、いくつかの実施形態において、センサクライアントステーションは、そのデータユニット７００がオフロードデータユニットでありセンサデータユニットでないことを決定したことに応じてデータユニット７００の残りの部分を処理しないことによって節電する。
【０１９５】
いくつかの実施形態において、データユニット７００の装置タイプおよび／またはトラフィックタイプは、データユニット７００を送信する装置および／またはデータユニット７００の意図される受信装置である装置と関連付けられたアドレスを介して示される。例えば、いくつかの実施形態において、ＡＰと関連付けられた各クライアントステーションは、ＡＰによってアソシエーション識別（ＡＩＤ）アドレスが割り当てられる。そのような一実施形態において、ＡＰと関連付けられたネットワークにおけるアソシエーション識別（ＡＩＤ）アドレス空間は複数のアドレスグループに分離され、ＡＰはクライアントステーションのタイプに基づいてＡＩＤをクライアントステーションに対して割り当てる。例えば、一実施形態において、ネットワーク１０におけるＡＩＤアドレス空間は、オフロードクライアントステーション（例えばクライアントステーション２５−１）に対して使用される第１のアドレスグループ、低電力センサクライアントステーション（例えばクライアントステーション２５−２）に対して使用される第２のアドレスグループ、バッテリ駆動のセンサクライアントステーション（例えばクライアントステーション２５−３）に対して使用される第３のアドレスグループのうちの２つ以上を含む。
【０１９６】
いくつかの実施形態において、例えばＰＨＹプリアンブル７０１などのデータユニット７００の早期部分、サービスフィールド７１０、またはデータユニット７００のＭＡＣヘッダ７１４の早期部分（例えば最初の数ビット）は、データユニット７００の意図された受信装置の少なくとも部分的なＡＩＤアドレスを含み、それによってクライアントステーションはデータユニット７００の早期部分を処理してデータユニット７００の意図された受信装置の装置タイプを決定できる。一実施形態によれば、クライアントステーションがデータユニット７００の意図された受信装置の装置タイプと一致しないことが決定すると、クライアントステーションはデータユニット７００の残りの部分を処理せずにデータユニット７００をフィルタリングして省略する。それによって、低電力またはバッテリ駆動のセンサ装置など、電力要件の厳しいクライアントステーションは、例えば、データユニット７００がオフロード装置が宛先として意図されている場合にデータユニット７００をフィルタリングして省略することによって節電する。
【０１９７】
図１３は、一実施形態による、ＡＩＤアドレスに対するビット割り当て例の図である。図示した実施形態において、図示するように、ＡＩＤアドレスフィールド１３００はＢ０〜Ｂ１２の番号が付与されている１３ビットを有する。一実施形態において、アドレスフィールド１３００のビットＢｘ〜Ｂ１２はグループインデックス１３０２に対して割り当てられ、ビットＢ６〜Ｂｘ−１はブロックインデックス１３０４に対して割り当てられ、ビットＢ３〜Ｂ５はビットＢ６〜Ｂｘ−１に示されるブロック内のサブブロックのサブブロックインデックス１３０６に対して割り当てられ、ビットＢ０〜Ｂ２はステーション（ＳＴＡ）インデックス１３０８に対して割り当てられて、ＡＩＤ１３００が割り当てられているクライアントステーションを識別する。図示した実施形態において、ＡＩＤ１３００のビットＢ６〜Ｂ１２の割り当てはグループインデックス１３０２とブロックインデックス１３０４との間で分割され、それぞれに割り当てられるビット数はｘの値によって決定する。いくつかの実施形態において、ｘの値、したがってアドレスブロックに含まれるクライアントステーションの最大数は固定である。別の実施形態において、ｘの値は、例えば、ネットワークにおける各装置のタイプの分布に基づいて、または他のシステムを考慮して動的に調節可能である。一実施例において、ｘの値は６〜１１の範囲内で調節可能である。一実施形態において、デフォルトのｘの値は１０に設定され、例えば、アドレスブロックに同じタイプの装置（例えばセンサ）をさらに含むためにより多くのビットが必要な場合、ｘの値は装置タイプ分布に応じて調節可能である。
【０１９８】
いくつかの実施形態において、異なるＡＩＤグループインデックスビットまたはビットの組み合わせは、ネットワーク内の各装置の特定のタイプに対して確保されている。例えば、一実施形態において、１つのＡＩＤグループインデックス（例えば０００）は、オフロード装置に対して確保されている。一実施形態において、別のＡＩＤインデックス（例えば００１）は、例えば、ネットワーク内のセンサ装置に対して確保されている。いくつかの実施形態において、ネットワーク内の非オフロードクライアントステーションは、さらに例えばセンサ装置グループおよび非センサ低電力装置グループなどのグループに小分割され、異なるＡＩＤアドレスが各グループに対して確保されている。一実施形態において、ＰＨＹプリアンブル６０１など、データユニット７００の早期部分、サービスフィールド６１０、またはデータユニット７００のＭＡＣヘッダ６１４の早期部分（例えば最初の数ビット）はデータユニット７００の意図された受信装置に対して割り当てられたＡＩＤアドレスのグループインデックス１３０２を含み、それによって、意図されていない受信装置がグループインデックス１３００と関連付けられた装置タイプと一致しない場合、データユニット７００の意図されていない受信装置がそのデータユニット７００をフィルタリングして省略できる。
【０１９９】
図１４は、一実施形態による、データユニット７００の早期部分に含まれる早期受信表示（ＥＲＩ）フィールド１４００の図である。ＥＲＩフィールド１４００は、グループインデックスサブフィールド１４０２と、ＢＳＳＩＤ／ＮｅｔＩＤサブフィールド１４０４と、ＡＩＤ／ＭＡＣアドレスサブフィールド１４０６とを含む。一実施形態において、ＮｅｔＩＤサブフィールド１４０４および／またはＡＩＤ／ＭＡＣアドレスサブフィールド１４０６のビット数は、グループＩＤサブフィールド１４０２の値によって決定される。すなわち、本実施形態において、ＥＲＩフィールド１４００においてネットワークＩＤを示すために使用されるビット数および／または特定のステーションを識別するために使用されるビット数は、そのＥＲＩフィールド１４００を含むデータユニットの意図された受信装置と関連付けられた装置のタイプまたはトラフィックのタイプによって決定される。いくつかの実施形態において、ＮｅｔＩＤサブフィールド１４０４および／またはＡＩＤ／ＭＡＣアドレスサブフィールド１４０６は、グループＩＤサブフィールド１４０２が特定の値（または複数の特定の値）を有する場合に、ＥＲＩフィールド１４００から全体的に省略される。例えば、比較的少ない数のオフロードクライアントステーション（および／またはその他の電力要件の厳しくない装置）を含むネットワークにおいて、そのような装置に対して割り当てられているＡＩＤアドレスの上位ＡＩＤビット（例えばビットＢ６〜Ｂ１２）は、通常論理０（ゼロ）に設定され、したがってＥＲＩフィールド１４００に含まれる必要はない。そのため、ＥＲＩフィールド１４００のビット数を減らすために、いくつかの実施形態において、グループＩＤサブフィールド１４０２によって示される電力要件の厳しくない装置に対して、上位ＡＩＤビットはＡＩＤ／ＭＡＣアドレスサブフィールド１４０６から省略される。別の例として、ネットワークが多数の低電力センサ装置を含む場合、例えば、６０００以上のセンサ装置を「スマートグリッド」構成で含む場合、ＥＲＩフィールド１４００がネットワークにおいて送信されたセンサデータユニットに含まれていると、競合のため、ＮｅｔＩＤサブフィールド１４０４内のビット数はＥＲＩフィールド１４００から省略される。
【０２００】
いくつかの実施形態において、ＡＰ（例えばＡＰ１４）は、例えばそのＡＰと関連付けられているクライアントステーションの数に基づいてＢＳＳＩＤサブフィールド１００４およびＡＩＤサブフィールド１００６に対するビット割り当てを決定する。そのような一実施形態において、例えば、比較的少ない数のクライアントステーションがＡＰと関連付けられている場合、ＡＰはより多くのビットをＢＳＳＩＤサブフィールド１００４に対して割り当て、より少ない数のビットをＡＩＤサブフィールド１００６に割り当てる。一方、比較的多数のクライアントステーション２５がＡＰ１４と関連付けられている一実施形態において、ＡＰは多数のビットをＡＩＤサブフィールド１００６に対して割り当て、より少ない数のビットをＢＳＳＩＤサブフィールド１００４に対して割り当てる。一実施形態において、ＥＲＩフィールド１０００は使用されている特定のビット割り当てを示すために使用される追加のサブフィールド（例えば１ビットＡＩＤ／ＢＳＳＩＤ比率サブフィールド）を含む。もしくは、いくつかの実施形態において、ＥＲＩフィールド１０００はＢＳＳＩＤサブフィールド１００４とＡＩＤサブフィールド９０６の代わりに、クライアントステーションの受信装置ＭＡＣ  ＩＤを含む。
【０２０１】
一例として、一実施形態において、ＥＲＩフィールド１４００は１１ビットを有する。
【０２０２】
一実施形態によれば、ＥＲＩフィールド１４００は、データユニット７００の信号フィールド７０８に含まれる。別の実施形態において、ＥＲＩフィールド１４００は、データユニット７００のサービスフィールド５１０に含まれる。さらに別の実施形態において、ＥＲＩフィールド１４００は、信号フィールド７０８とサービスフィールド７１０との間で分割される。
【０２０３】
いくつかの実施形態および／または状況において、例えば、データユニット７００が１ＭＨｚチャンネルなどの低帯域幅チャンネルで送信される場合、信号フィールド７０８および／またはサービスフィールド７１０において利用可能なビット数は高帯域幅データユニットで利用可能なビット数と比べて小さい。一実施形態において、ＥＲＩフィールド１４００の伝送のために利用可能なサービスフィールド７１０におけるビット数を増やすために、サービスフィールド７１０は、高帯域幅データユニットのスクランブラシードのサイズと比べて小さいスクランブラシードを含む。例えば、一実施形態において、スクランブラシードのサイズは、高帯域幅データユニットに対して使用される７ビットのスクランブラシードのサイズと比較して、４ビットまたは６ビットに減らされる。そのような実施形態において、ＥＲＩビットに対して利用可能なビット数は、例えば、１０ビットまたは１２ビットに増やされる。一実施形態によれば、それらのビットを使用してＥＲＩフィールド１４００の一部を運び、ＥＲＩフィールド１４００の残りのビットは信号フィールド７１０（例えば信号フィールド７１０の確保されたビットを使用）に含まれる。
【０２０４】
一実施形態において、長距離通信プロトコルは、データユニットフォーマットからデータ部分のペイロードを省略する制御データユニットフォーマットを規定している。すなわち、そのような実施形態において、制御データユニットは非データパケット（ＮＤＰ）フォーマットを使用して送信される。図１５Ａ〜１５Ｅは、いくつかのそのような実施形態によるＮＤＰ制御データユニットの図である。様々な実施形態において、ＡＰ１４は、例えば、図１５Ａ〜１５Ｅに示すＮＤＰ制御データユニットのうちの１つなどのＮＤＰ制御データユニットをクライアントステーション２５−１に対して送信するように構成される。さらに、様々な実施形態において、クライアントステーション２５−１は、例えば、図１５Ａ〜１５Ｅに示すＮＤＰ制御データユニットのうちの１つなどのＮＤＰ制御データユニットをＡＰ１４に対して送信するように構成される。ＮＤＰ制御データユニットはペイロードを省略しているため、少なくともいくつかの実施形態および／または状況において、そのような制御データユニットはデータ伝送に関連するオーバーヘッドを減らす。一実施形態において、ＮＤＰ制御データユニットは、長距離通信プロトコルによって規定されている（および／または特定のネットワークにおいて使用されている）最低変調符号化方式に従って送信される。そのような実施形態において、ネットワーク内で動作しているあらゆる装置は、その制御データユニットを受信および解釈することができる。
【０２０５】
図１５Ａは、ＮＤＰ制御データユニット１５００−１の図である。一実施形態において、ＮＤＰ制御データユニット１５００−１はＳＴＦフィールド１５０２を含み、通常のデータユニットフォーマットの残りの部分を省略している。一実施形態において、ＳＴＦフィールド１５０２は２つのＯＦＤＭシンボルを含む。一実施形態によれば、図１５Ｂは、ＮＤＰ制御データユニット１５００−２の図である。ＮＤＰ制御データユニット１５００−２は、制御データユニット１５００−２が制御データユニット１５００−１に含まれるＳＴＦフィールド１５０２に加えてＬＴＦフィールド１５０４を含むことを除き、ＮＤＰ制御データユニット１５Ａと類似している。一実施形態において、ＬＴＦフィールド１５０４は１つのＯＦＤＭシンボルを含む。図１５Ｃは、一実施形態による、制御データユニット１５００−３の図である。制御データユニット１５００−３は、制御データユニット１５００−３がより長いＬＴＦフィールド１５０６を含むことを除き、図１５Ｂの制御データユニット１５００−２と類似している。一実施形態において、ＬＴＦフィールド１５０６は、例えば２つのＯＦＤＭシンボルを含む。図１５Ｄは、一実施形態による、制御データユニット１５００−４の図である。制御データユニット１５００−４は、制御データユニット１５００−４がＳＴＦフィールド１５０２およびＬＴＦフィールド１５０６に加えて信号フィールド１５０８を含むことを除き制御データユニット１５００−３と類似している。信号フィールド１５０８は制御データユニット１５００−４に関連した特定の情報を運び、例えば、制御データユニット１５００−４を作成した装置のアドレスや制御データユニット１５００−４の意図された受信装置である装置等の情報を運ぶ。一実施例において信号フィールド１５０８は２つのＯＦＤＭシンボルを含む。別の実施例において、信号フィールド１５０８は４つのＯＦＤＭシンボルを含む。図１５Ｅは、一実施形態による、制御データユニット１５００−５の図である。制御データユニット１５００−５は、制御データユニット１５００−５が追加フィールド１５１０を含むことを除き、図１５Ｄの制御データユニット１５００−４と類似している。フィールド１５１０の追加によって、制御データユニット１５００−５を受信するＰＨＹ処理部（例えばＰＨＹ処理部２９）に対して、制御データユニット１５００−５がＮＤＰ制御データユニットであると決定できる追加時間および制御データユニット１５００−５を処理する追加時間が与えられる。一実施例において、追加フィールド１５１０は、例えば、第２のＬＴＦフィールド（ＬＴＦ２）を含む。別の実施形態において、追加フィールド１５１０は固定長の「ダミー」データフィールドを含む。さらに別の実施形態として、この追加フィールド１５１０は、例えば、ＩＥＥＥ−８０２．１１ｎ標準によって規定されるシグナルエクステンションフィールドと同様のシグナルエクステンションフィールドに置換される。いくつかの実施形態において、追加フィールド１５１０は任意のもので、状況によって、制御データユニット１５００−５から省略される。
【０２０６】
いくつかの実施形態において、例えば、制御データユニット１５００−１、制御データユニット１５００−２および／または制御データユニット１５００−３などのシングルストリーム（ＳＳ）の短い制御データユニットは、その制御データユニットがＳＳ−ＮＤＰ制御データユニットであるという表示を含む。例えば、一実施形態において、ＳＳ−ＮＤＰデータユニットに含まれる１つ以上のフィールドのパターン（例えば、ＳＴＦフィールドパターン、ＬＴＦフィールドパターン、ＳＩＧフィールドパターン等）は、通常の（非ＮＤＰ）データユニットの対応するパターンとは異なる。別の実施形態において、ＳＳ−ＮＤＰ制御データユニットの信号フィールドは、１ビット表示など明らかな表示を含み、それによって受信装置がそのＳＳ−ＮＤＰ制御データユニットをＳＳ−ＮＤＰ制御データユニットであるとして認識できる。
【０２０７】
一実施形態によれば、ＰＨＹ処理部（例えばＰＨＹ処理部２０および／またはＰＨＹ処理部２９）は、通常、データユニットを受信し、少なくともデータユニットのＰＨＹプリアンブルなどのＰＨＹ部分を処理し、そのデータユニットのＰＨＹ部分に関連する特定のタイミング情報をＭＡＣ処理部（例えばＭＡＣ処理部１８および／またはＭＡＣ処理部２８）に与える。例えば、一実施形態において、ＰＨＹ処理部は、受信データユニットの信号フィールドが処理され正確性が確認されると、それに応じてＰＨＹ−ＲＸＳＴＡＲＴ表示プリミティブをＭＡＣ処理部に対して発行する。そのデータユニットの最後のオクテットを受信後、ＰＨＹ処理部はＰＨＹ−ＲＸＥＮＤ表示プリミティブをＭＡＣ処理部に対して発行し、データユニット全体またはデータユニットが受信されたことをＭＡＣ処理部に知らせる。
【０２０８】
しかしながら、少なくともいくつかの実施形態において、短い制御データユニット（例えばＳＳ−ＮＤＰ制御データユニット）を受信する場合、ＰＨＹ処理部は、その短い制御データユニットの信号フィールドがＰＨＹ処理部によって受信され確認されるまでそのデータユニットがＮＤＰデータユニットであると決定できない。したがって、そのようないくつかの実施形態において、ＰＨＹ処理部は、ＰＨＹ−ＲＸＳＴＡＲＴ表示プリミティブとほぼ同時に、ＰＨＹ−ＲＸＥＮＤ表示プリミティブおよびＰＨＹ−ＣＣＡ表示プリミティブをＭＡＣ処理部に対して発行する。一実施形態によれば、ＭＡＣ処理部がそのようなほぼ同時のプリミティブを受信すると、ＭＡＣ処理部はＰＨＹ−ＲＸＥＮＤ表示プリミティブのタイミングを調整して、その制御データユニットの末尾の境界に対応させる。もしくは、別の実施形態において、ＰＨＹ処理部は、制御データユニットの末尾の後の１つ以上のシンボルの境界においてＰＨＹ−ＲＸＥＮＤ表示プリミティブを発行する。この場合、ＰＨＹ処理部は、短い制御データユニットの末尾の後の１つ以上のシンボルの境界においてＰＨＹ−ＴＸＥＮＤ確認プリミティブをＭＡＣ処理部に対して発行する。
【０２０９】
図１６は、一実施形態による、制御データユニットに含まれる信号フィールド１６００の図である。一実施形態において、制御データユニット１６００はＳＳ−ＮＤＰデータユニットフォーマットに従ってフォーマット化されている。信号フィールド１６００は、ＳＳ−ＮＤＰ表示サブフィールド１６０２と、ステーションＩＤフィールド１６０４と、ＣＲＣ／パリティサブフィールド１６０６と、デュレーションサブフィールド１６０８と、第２のＣＲＣサブフィールド１６１０およびｔａｉｌビットサブフィールド１６１２とを含む。ＳＳ−ＮＤＰサブフィールドは信号フィールド１６００を含むデータユニットがＳＳ−ＮＤＰデータユニットであることを示すために使用される１ビットのフィールドである。いくつかの実施形態において、ＳＳ−ＮＤＰデータユニットはデータユニットの信号フィールドのＳＳ−ＮＤＰビットとは異なる表示によって識別される。例えば、通常のデータユニットの対応するフィールドの変調とは異なるＳＳ−ＮＤＰデータユニットのフィールドの変調によって識別される。いくつかのそのような実施形態において、ＳＳ−ＮＤＰサブフィールド１６０２は信号フィールド１６００から省略される。いくつかの実施形態において、ＳＴＡ  ＩＤサブフィールド１６０４は、信号フィールド１６００を含むデータユニットの意図された受信装置を識別するアドレスを含む。例えば、一実施形態において、ＳＴＡ  ＩＤサブフィールド１６０４は、意図された受信装置の部分的なＭＡＣアドレスを含む。別の例として、別の実施形態において、ＳＴＡ−ＩＤサブフィールド１６０４は、意図された受信装置のＡＩＤアドレスまたは部分的なＡＩＤアドレスを含む。さらに、またはもしくは、一実施形態において、ＳＴＡ  ＩＤサブフィールド１６０４は信号フィールド１６００を含むデータユニットが送信されるネットワークのネットワークＩＤ（ＢＳＳＩＤなど）を含む。いくつかの実施形態において、ＳＴＡ  ＩＤサブフィールド１６０４は、例えば、送信されている制御データユニットと関連付けられたＡＩＤおよびネットワークＩＤに基づいて作成されたハッシュ値を含む。
【０２１０】
さらに図１６では、一実施形態において、第１のパリティビットまたはＣＲＣフィールド１６０６によって、受信装置がＳＳ−ＮＤＰサブフィールド１６０２およびＳＴＡ−ＩＤサブフィールド１６０４などの信号フィールドの第１の部分の正確性を確認できる。一実施形態において、受信装置のＰＨＹ処理部は、信号フィールド１６００の末尾に到達する前に、信号フィールドの第１の部分の正確性を確認し、ＲＸＳＴＡＲＴ表示などのプリミティブをＭＡＣ処理部に対して発行する。デュレーションサブフィールドは、信号フィールド１６００を含む制御データユニットがその一部である伝送シーケンスのデュレーションに設定される。一実施形態において、ＣＲＣフィールド１６１０は、受信信号フィールド１６００全体の正確性を受信装置が確認するために使用される。単一のフィールド１６００も、信号フィールド１６００の末尾のフィールド１６１２のｔａｉｌビットを含む。例えば、制御データユニットがＳＳ−ＮＤＰ制御データユニットであることを受信装置が判断できるように早期表示が使用される実施形態などのいくつかの実施形態において、ｔａｉｌビットは信号フィールド１６００に不要であり、例えば、有用な情報を運ぶために使用可能である。さらに、そのようないくつかの実施形態において、例えば、追加のビットが信号フィールド１６００で有用な情報を運ぶ必要がある場合、信号フィールド１６００は通常のデータユニットの信号フィールド長以上に「延長」される。
【０２１１】
図１７は、一実施形態による、制御データユニットに含まれる信号フィールド１７００の図である。様々な実施形態および／または状況において、信号フィールド１７００を含む制御データユニットは、例えば、確認応答データユニット、送信要求（ＲＴＳ）データユニット、送信可（ＣＴＳ）データユニット、ＣＴＳ  ｔｏ  ｓｅｌｆデータユニット、または別のタイプの制御データユニットである。信号フィールド１７００は、タイプサブフィールド１７０２と、ＩＤサブフィールド１７０４と、モアデータ（ＭＤ）サブフィールド１７０６と、帯域幅（ＢＷ）サブフィールド１７１０と、ＣＲＣサブフィールド１７１０と、ｔａｉｌビットサブフィールド１７１２とを含む。一実施形態によれば、タイプサブフィールド１７０２は、制御データユニットのタイプ（例えばＡＣＫデータユニット、ＲＴＳデータユニット、ＣＴＳデータユニット等）を示すために使用される。様々な実施形態および／または状況において、ＩＤサブフィールド１７０４は意図された受信装置の全ＡＩＤまたは部分ＡＩＤ、またはＭＡＣアドレスを含む。ＢＷサブフィールド１７１０は、制御データユニットを送信するために使用されたチャンネル帯域幅を示すために使用される。いくつかの実施形態において、例えば、制御データユニットが送信されているネットワーク（例えばネットワーク１０）において使用された最小帯域幅（例えば１ＭＨｚ）を用いて送信された制御データユニットにおいて、ＢＷサブフィールド１７１０は信号フィールド１７００から省略される。
【０２１２】
図１８は、別の実施形態による、ＮＤＰ制御データユニット１８００の図である。制御データユニット１８００は、制御データユニット１８００がマルチストリームデータユニットであり、したがって追加のＬＴＦ１８０６を含むことを除き、図１５Ｅの制御データユニット１５００−５に類似している。一実施形態において、制御データユニット１８００は、サウンディングパケットのために使用されるＮＤＰフォーマットに従ってフォーマット化され、追加のＬＴＦは送信装置と受信装置との間の通信チャンネルの追加のディメンションの学習のために使用される。
【０２１３】
図１９Ａ〜１９Ｂは、いくつかの実施形態による、受信装置が、受信データユニットが通常のデータユニットか、または短い制御データユニットかを決定するために使用される様々な技術を示す図である。図１９Ａにおいて、ＭＵデータユニット１９５０は信号フィールド１９１０に集約ビットを含む。一実施形態によれば、集約ビットは、データユニット１９５０がＭＵデータユニットであることを示すために論理０の値に設定される。一実施形態において、制御データユニット１９５２の信号フィールド１９２４内の集約ビットは、データユニット１９５２が制御データユニットであることを示すために論理０に設定される。図１９Ｂにおいて、受信装置は、データユニットの信号フィールドの変調に基づいて、受信データユニットが制御データユニットか、または通常のデータユニットかを決定する。このため、シングルユーザデータユニット１９５４の第２の信号フィールド１９３４はＢＰＳＫ変調を用いて変調されており、制御データユニット１９５６の対応する信号フィールド１９４８はＱＰＳＫ変調を用いて変調されている。
【０２１４】
いくつかの実施形態において、ＡＣＫデータユニットまたはＣＴＳデータユニットなどの制御データユニットを受信している装置が、特定のデータユニット（例えば装置が応答または送信要求（ＲＴＳ）データユニットを期待しているデータユニット）に応答して制御データユニットが送信されたことを確認可能とするため、短い制御データユニット（例えばシングルストリームの非データパケット（ＳＳ−ＮＤＰ）の制御データユニット）はデータユニットの識別を含み、それに応じて制御データユニットが送信されている。例えば、一実施形態において、ＡＣＫデータユニットは、ＡＣＫデータユニットによって通知されているデータユニットの表示および／またはＡＣＫデータユニットを送信する装置の表示を含む。別の例として、一実施形態において、ＣＴＳデータユニットは、ＲＴＳデータユニットの表示を含み、それに応じてＤＴＳデータユニットが送信されている。いくつかのそうような実施形態において、制御データユニットはその制御データユニットを送信する装置の部分アドレスまたは全アドレス（またはＩＤ）を含む。別の実施形態において、制御データユニットは、その制御データユニットを送信する装置のアドレス（またはＩＤ）の一部から演算されたハッシュ値を含む。もしくは別の実施形態において、制御データユニットは、そのデータユニットのフレームチェックシーケンス（ＦＣＳ）または部分的なＦＣＳ（例えばＦＣＳの最後の４ビット、ＦＣＳの最後の８ビット等）を含み、それに応じて制御データユニットが送信されている。さらに、いくつかの実施形態において、制御データユニットは、それに応じてＤＴＳデータユニットが送信されているデータユニットを送信するために使用されたＰＨＹモードと同一のＰＨＹモードを使用して送信される。
【０２１５】
場合によっては、制御データユニットはフレーム交換時の保護のために使用される。例えば、通常のデータユニット送信前に、装置は、ＲＴＳデータユニットなどの制御データユニットを送信し、そのＲＴＳデータユニットに応答して、データユニットの意図された受信装置からＣＴＳデータユニットを受信する。そのような制御フレームを、そのデータユニットの意図されていない受信装置が使用して、制御データユニットが示す特定の期間媒体が利用可能でないことを判断する。そのような制御データユニットを使用して、送信装置近傍の意図されていない受信装置のネットワークアロケーションベクトル（ＮＡＶ）を設定する。いくつかの実施形態において、送信装置の通信範囲内の全受信装置が制御データユニットを受信して適切に解釈できるようにするために、送信装置は制御データユニット送信用のベースチャンネル帯域幅を選択する。例えば、一実施形態および／または状況において、ベースチャンネル帯域幅は、ネットワーク内の最小帯域幅の受信装置（例えば１ＭＨｚのＢＷ）に対応する。その後、制御データユニットはネットワーク内の装置によって使用される全チャンネルを網羅するために１回以上複製されて、全装置がネットワークアロケーションベクトルを適切に設定できるようにし、それによって現在のフレーム交換に関係しない装置によって媒体が伝送されないように適切に保護する。
【０２１６】
この目的を達成するため、様々な実施形態および／または状況において、ＡＰ（例えばＡＰ１４）は、制御データユニットの伝送のために使用される１つ以上の複製モードで動作するように構成される。例えば、一実施形態において、ＡＰは２ＭＨｚの複製制御データユニットモードで動作するように構成される。２ＭＨｚ複製制御データユニットモードで動作している場合、ＡＰは２ＭＨｚ帯域幅チャンネルでの伝送に対応する制御データユニットを作成して、例えば４ＭＨｚ帯域、８ＭＨｚ帯域、１６ＭＨｚ帯域などのそのＡＰによる通信のために使用される全チャンネルにおける伝送に対応するように作成データユニットを複製する。同様に、１ＭＨｚの複製制御データユニットモードにおいて、ＡＰは１ＭＨｚ帯域幅チャンネルでの伝送に対応するように制御データユニットを作成して、例えば２ＭＨｚ帯域、４ＭＨｚ帯域、８ＭＨｚ帯域、１６ＭＨｚ帯域などのそのＡＰによる通信のために使用される全チャンネルにおける伝送に対応するように作成データユニットを複製する。
【０２１７】
いくつかの実施形態において、送信装置および受信装置（または複数の装置）間の通信チャンネルと関連したパケットエラーレート（ＰＥＲ）に基づくなど、チャンネル状態に基づいて、特定のベースチャンネルおよび特定の複製モードが送信装置によって決定または選択される。例えば、一実施形態において、チャンネル状態が良くない（またはＰＥＲが高い）通信チャンネルが使用されている場合に高い保護度が望ましい。逆に、一実施形態において、より良質な通信チャンネル（または低ＰＥＲと関連したチャンネル）は保護をあまり必要としないか、もしくは保護をまったく必要としない。したがって、一実施形態において、送信装置は、チャンネルに対してより高い保護度を実現するために、状態が良くないチャンネルに対しては低帯域幅ベースチャンネルを選択する。一実施形態および／または状況において、良好なチャンネル状態に対して、送信装置はＲＴＳデータユニットまたはＣＴＳ  ｔｏ  ｓｅｌｆデータユニットを送信しないことを選択することが適切である。一実施形態および／または状況において、送信装置は、比較的良くないチャンネル状態に対しては１ＭＨｚのベース帯域幅で、比較的良好なチャンネル状態に対しては２ＭＨｚのベースチャンネルでＲＴＳまたはＣＴＳ  ｔｏ  ｓｅｌｆデータユニットを送信することを選択する。いずれの場合においても、一実施形態において、１ＭＨｚまたは２ＭＨｚ制御データユニットは１回以上複製され、それによってその通信ネットワークで使用されている全帯域幅（例えば４ＭＨｚ、８ＭＨｚ、１６ＭＨｚ等）で制御データユニットが送信される。
【０２１８】
もしくは、別の実施形態において、クライアントステーションは特定の帯域幅（例えば２ＭＨｚ帯域幅）を使用してＲＴＳデータユニットをＡＰに対して送信し、適した保護が実現するように、より小さいベース帯域幅（例えば１ＭＨｚベース帯域幅）でＣＴＳデータユニットを送信するようにＡＰに対して要求する。この場合、ＡＰはＣＴＳデータユニットを送信するために要求された、より小さい帯域幅を選択する。別の実施形態において、送信装置は、対応するＲＴＳデータユニットを送信するために使用された帯域幅と同一となるように、ＣＴＳデータユニット送信用のベース帯域幅を選択する。いずれにしても、いくつかの実施形態および／または状況において、ＣＴＳデータユニットは１回以上複製され、例えばネットワークで使用される全帯域幅など、所望の全帯域幅を網羅する。
【０２１９】
ＡＰ１４からの伝送および／またはクライアントステーション２５からの伝送は、図２に関して上述した手順など、衝突回避方式を用いたキャリア検知多重アクセス（ＣＳＭＡ／ＣＡ）によって保護される。一実施形態において、ＣＳＭＡ／ＣＡは、ＡＰおよび様々なクライアントステーションとの伝送間の衝突を回避するために、ＡＰ１４およびクライアントステーション２５によって共有されている媒体に対するアクセスを管理するために使用される。衝突を回避するために、クライアントステーション２５またはＡＰ１４は媒体における現在の伝送を検出するためにキャリア検知手順を実行し、その時点で存在する伝送の少なくともデュレーションだけ伝送を遅延させる。送信装置が送信を実行するべきでない期間をクライアントステーション２５および／またはＡＰ１４が決定可能とするために、送信データユニットは、典型的に、例えば、データユニット７００の信号フィールド７０８におけるデータユニットのデュレーションまたは長さの表示を含む。
【０２２０】
図２０は、一実施形態による、クライアントステーション２００２−１がクライアントステーション２００２−２に対して隠れノードである（またはその逆）構成例２０００を示す図である。クライアントステーション２００２のそれぞれはＡＰ２００４の通信範囲内にあるが、その他のクライアントステーション２００２の通信範囲内にはない。ＡＰ２００４はデータユニット２００６をクライアントステーション２００６−２に対して送信する。クライアントステーション２００６−１はＡＰ２００４の通信範囲内にあるため、クライアントステーション２００６−１はデータユニット２００６を検出し、例えば、データユニット２００６に含まれる信号フィールドに含まれる特定の情報に基づいてクライアントステーション２００６−１がデータユニット２００６の意図された受信装置ではないことを決定し、データユニット２００６の残りのフィールドを処理せずにデータユニット２００６を廃棄できる。データユニット２００６を廃棄する前に、クライアントステーション２００２−１は、例えば、データユニット２００６のＰＨＹプリアンブルに同様に含まれるデュレーション表示からデータユニット２００６のデュレーションを決定する。それによって、クライアントステーション２００２−１は、少なくともデータユニット２００６のデュレーションまでＡＰ２００４の伝送を遅延させる。データユニット２００６の受信に成功すると、クライアントステーション２００６−２は確認応答（ＡＣＫ）データユニット２００８をＡＰ２００４に対して送信する。クライアントステーション２００６−１はクライアントステーション６０６−２の通信範囲外であるため、クライアントステーション２００６−１はＡＣＫデータユニット２００８を検出せず、ＡＣＫデータユニット２００８の少なくとも一部と同時にＡＰ２００４に対するデータユニット２０１０の伝送を開始する。その結果、データユニット２０１０とＡＣＫデータユニット２００８との衝突がＡＰ２００４において発生する。すなわち、そのような状況では、ＡＣＫデータユニット２００８はクライアントステーション２００２−１による伝送から保護されていない。
【０２２１】
以下で説明する実施形態において、そのような隠れノード衝突は、データユニット２００６の信号フィールドに、クライアントステーション２００２−１がデータユニット２００６の伝送と関連した伝送シーケンスのデュレーションを決定または演算する情報を含むことによって回避される。
【０２２２】
図２１は、一実施形態による、データユニットのＰＨＹプリアンブルにおける確認応答データユニット表示を含むデータユニット２１００の図である。一実施形態において、データユニット２１０２は、図７Ａのデータユニット７００と同一または類似している。データユニット２１００は、信号フィールド２１０２と、ＭＡＣヘッダ２１０４と、データ部分２１０８とを含む。信号フィールド２１０２は、確認応答データユニットがデータユニット２１００の受信装置によって送信されることが予想されるかを受信装置に知らせる表示を含む。いくつかの実施形態において、ＡＣＫ表示は、予想ＡＣＫ応答のタイプを知らせるためにも使用される。例えば、一実施形態において、ＡＣＫデータユニット表示は信号フィールド２１０２の２ビットを占有し、例えば、その２ビットは通常のＡＣＫデータユニットを示すために００に設定され、ブロックＡＣＫ（ＢＡ）データユニットを示すために０１に設定され、通知が全く予想されないことを示すために１０に設定される。いくつかの実施形態において、ＡＣＫ表示ビットの１１の組み合わせは使用せずに残しておく。一実施形態において、組み合わせ１１は、データユニット２１００がブロードキャストデータユニットを示すために使用される。いくつかのそのような実施形態において、信号フィールド２１０２は、ＡＣＫ表示ビットが他の値に設定された場合と比べてＡＣＫ表示ビットが１１に設定された場合に異なって解釈される。例えば、典型的に、ブロードキャストデータユニットで有用な情報を運ぶために使用されない信号フィールドビット（例えばビームフォーミングビットなど、ブロードキャストデータユニットにおいて常に０に設定される信号フィールドビット）は、そのブロードキャストデータユニットに関する特定の情報を運ぶために使用される。例えば、ビーコンまたは短いビーコンデータユニット、プローブ／サービス応答データユニット、短いＡＣＫ／ＮＤＰデータユニット等、特定のタイプのブロードキャスティングデータユニットを示すために、１ビットが使用される。
【０２２３】
図２２は、一実施形態による、単一交換保護スキーム２２００の図である。送信装置（例えばＡＰ１４）はデータユニット２２０２を送信し、ＡＣＫデータユニット２２０６がデータユニット２２０４受信の後続となることが予想されることを示す表示を、信号フィールド２２０４に含める。データユニット２００の意図された受信装置でない受信装置（例えばクライアントステーション２５−１）はＡＣＫデータユニット２２０６が予想されると決定する。受信装置はＡＣＫデータユニット２２０６の伝送を含むフレーム交換シーケンスのデュレーション（継続期間）を決定し、そのデュレーションが終了するまでチャンネルアクセスを遅延させる。
【０２２４】
図２３は、一実施形態による、多重交換保護スキーム２３００の図である。送信装置（例えばＡＰ１４）はデータユニット２３０２を送信し、ＡＣＫデータユニット２３０６がデータユニット２３０４の受信の後続となることが予想されることを示す表示を信号フィールド２３０４に含める。多重交換保護スキーム２３００は、スキーム２３００が、追加のデータが確認応答データユニット２３０６の後に送信されることが予想されるかを示す表示も含むことを除き、単一の交換保護スキーム２２００と類似している。この目的を達成するため、データユニット２３００の信号フィールド２３０４は、データユニット２３０２の意図されない受信装置に対して、データユニット２３０８がＡＣＫデータユニット２３０６の受信後に送信されるであろうことを知らせるために使用されるモアデータ（ＭＤ）表示（例えば１ビット）も含む。一実施形態において、データユニット２３００の意図された受信装置は、媒体がデータユニット２３０８の伝送を含むデュレーションに対して確保されるべきであることを受信装置の通信範囲内にある装置に伝えるために、ＡＣＫデータユニット２３０６に対応するＭＤ表示を含める。
【０２２５】
図２４は、先行技術による、暗号化情報ヘッダ（またはセキュリティヘッダ）２４０２を含むデータユニット２４００の図である。セキュリティヘッダ２４０２は、ヘッダ（ＰＮ０−ＰＮ５）２４０４の６オクテットを含むパケット番号と、拡張ＩＶフィールド２４０８と、鍵ＩＤフィールド２４１０と、予備（ｒｅｓｅｒｖｅｄ）フィールド２４０６とを含む。また、データユニット２４００は、８オクテットのメッセージ完全性符号（ＭＩＣ）フィールド２４１２を含む。
【０２２６】
いくつかの実施形態において、長距離通信プロトコルによって規定される暗号化情報ヘッダ（本明細書においてセキュリティヘッダと呼ぶ場合がある）および／またはＭＩＣフィールドは、データユニット２４００の対応するフィールドと比較して短い。例えば、一実施形態において、長距離通信プロトコルは４バイトを含むパケット番号を含む４バイトのセキュリティヘッダを規定している。いくつかの実施形態において、暗号化された長距離データユニットのＭＩＣフィールドは、少なくとも比較的小さいサイズのデータユニットにおいて、および／または比較的低セキュリティレベルを求めるデータユニットにおいて、（データユニット２４００の８バイトのＭＩＣフィールド２４１２と比較すると）４バイトのみを含む。一実施形態において、長距離データユニット用の鍵ｌＤは、データユニットのＭＡＣヘッダに含まれている。
【０２２７】
別の実施形態において、長距離データユニット用に使用されるセキュリティヘッダは、さらに２バイト長に圧縮される。いくつかの実施形態において、２バイトのセキュリティヘッダは、２バイトのパケット番号（例えば図２４のＰＮ２およびＰＮ３）を含む。一実施形態において、データユニットのＭＡＣヘッダのシーケンス制御フィールドは、パケット番号ＰＮ０およびＰＮ１として使用される。
【０２２８】
一実施形態において、データユニットが暗号化される場合、データユニットの暗号化のために一意のノンス値を確実に作成するために、そのデータユニットのノンスは、データユニットのＭＡＣヘッダに含まれるＮｅｔＩＤアドレスを使用して構成される。別の実施形態において、データユニットのノンスは、ＭＡＣヘッダに含まれるＴｏＡＰ／ＦｒｏｍＡＰフラグまたはデータユニットのＰＨＹプリアンブルを含んで、データユニットがＡＰから送信されたかを示す。別の実施形態において、データユニットのノンスブロックは、データユニットの意図された受信装置のＭＡＣアドレスを含む。
【０２２９】
図２５は、一実施形態による、例示の方法２５００のフロー図である。図１では、一実施形態において、方法２５００はネットワークインタフェース１６によって実行される。例えば、そのような一実施形態において、ＰＨＹ処理部２０は方法２５００を実行するように構成される。別の実施形態によれば、ＭＡＣ処理１８は、さらに、方法２５００の少なくとも一部を実行するように構成される。さらに図１では、さらに別の実施形態において、方法２５００はネットワークインタフェース２７（例えばＰＨＹ処理部２９および／またはＭＡＣ処理部２８）によって実行される。他の実施形態において、方法２５００は他の適切なネットワークインタフェースによって実行される。
【０２３０】
ブロック２５０２において、ＰＨＹプリアンブルが作成される。一実施形態において、データユニット７００（図７Ａ）のＰＨＹプリアンブル７０１が作成される。別の実施形態において、異なるＰＨＹプリアンブルが作成される。ブロック２５０４において、ＭＡＣヘッダが作成される。ブロック２５０４はブロック２５０６〜２５１０を含む。ＭＡＣヘッダに含まれる第１アドレスフィールドは、ブロック２５０６で作成される。第１のＭＡＣアドレスフィールドは、ｉ）データユニットの宛先として意図される通信装置またはｉｉ）データユニットを送信している通信装置のうちのいずれか１つを示す。第１アドレスフィールドはグローバルに一意でないアドレスを含む。一実施形態において、第１アドレスフィールドは装置と関連付けられたグローバルＭＡＣアドレスよりも短いローカルアドレスを含む短縮フィールドである。いくつかの実施形態において、ブロック２５０６で作成された第１アドレスフィールドは、図７Ｂについて上述した短縮ＲＡまたは短縮ＴＡを含む。一例として、一実施形態において、ブロック２５０６で作成された第１アドレスフィールドは、図１３について上述したようにビット割り当てを有するＡＩＤアドレスを含む。
【０２３１】
ブロック２５０８において、ＭＡＣヘッダに含まれる第２アドレスフィールドが作成される。第２アドレスフィールドは、ｉ）データユニットの宛先として意図された通信装置またはｉｉ）データユニットを送信している通信装置のうちのもう一方を示す。一実施形態において、第２アドレスフィールドは、ブロック２５０６で作成された第１アドレスフィールドに含まれるアドレスと同様に、短縮化された非グローバルアドレスを含む。別の実施形態において、第２アドレスフィールドは、装置と関連付けられたグローバルＭＡＣアドレスを含む。
【０２３２】
ブロック２５１０において、ブロック２５０６で作成されたフィールドアドレスフィールドとブロック２５０８で作成された第２アドレスフィールドは、ブロック２５０４で作成されたＭＡＣヘッダに含まれる。ブロック２５１２において、データユニットが作成される。一実施形態において図７Ａのデータユニット７００が作成される。別の実施形態において、異なるデータユニットが作成される。ブロック２５１２で作成されたデータユニットは、ブロック２５０２で作成されたＰＨＹプリアンブルと、ブロック２５１２で作成されたＭＡＣヘッダとを含む。ブロック２５１２で作成されたデータユニットは、第１アドレスフィールドに含まれる第１のアドレスに対応するするグローバル一意アドレスを省略する。したがって、ブロック２５１２で作成されたデータユニットがブロック２５０６で作成された第１アドレスフィールドの短縮化された非グローバルアドレスを含むため、データユニットのＭＡＣヘッダは通常短く、それによって現在のＩＥＥＥ８０２．１１標準に準拠してフォーマット化されたＭＡＣヘッダと比較してオーバーヘッドが小さくなる。ブロック２５１４において、ブロック２５１２で作成されたデータユニットが送信される。
【０２３３】
図２６は、一実施形態による、例示の方法２６００のフロー図である。図１では、一実施形態において、方法２６００は、ネットワークインタフェース１６によって実行される。例えば、そのような一実施形態において、ＰＨＹ処理部２０は方法２６００を実行するように構成される。別の実施形態によれば、さらに、ＭＡＣ処理１８は、方法２６００の少なくとも一部を実行するように構成される。さらに図１では、さらに別の実施形態において、方法２６００は、ネットワークインタフェース２７（例えばＰＨＹ処理部２９および／またはＭＡＣ処理部２８）によって実行される。他の実施形態において、方法２６００は他の適切なネットワークインタフェースによって実行される。
【０２３４】
ブロック２６０２において、データユニットのＰＨＹプリアンブルが作成される。一実施形態においてデータユニット７００（図７Ａ）のＰＨＹプリアンブル７０１が作成される。別の実施形態において、異なるＰＨＹプリアンブルが作成される。ブロック２６０２におけるＰＨＹプリアンブルの作成はブロック２６０４および２６０６を含む。ブロック２６０４において、第１のインジケータが作成される。一実施形態において、第１のインジケータは、そのデータユニットがデータユニットを作成した装置が動作しているネットワークとは別の携帯電話通信ネットワークからオフロードされたデータを含むかを示す。別の実施形態において、第１のインジケータは、そのデータユニットが送信されたネットワーク装置とは別の携帯電話通信ネットワークからのデータのオフロードをサポートする装置によって作成されたかを示す。さらに別の実施形態において、第１のインジケータは、そのデータユニットが送信されているネットワークとは別の携帯電話通信ネットワークからのデータのオフロードをサポートする装置に対してアドレス指定されているかを示す。一実施形態において、第１のインジケータは、例えば、図１３について上述した部分ＡＩＤなど、データユニットの意図された受信装置の部分アドレスを少なくとも含むアドレスフィールドに含まれる。
【０２３５】
ブロック２６０８において、データユニットのＭＡＣヘッダが作成される。一実施形態において、図７ＢのＭＡＣヘッダ７５０が作成される。別の実施形態において、異なるＭＡＣヘッダが作成される。ブロック２６１０において、データユニットが作成される。ブロック２６１０で作成されたデータユニットは、ブロック２６０２で作成されたＰＨＹプリアンブルと、ブロック２６０２で作成されたＭＡＣヘッダとを含む。一実施形態において、ブロック２６０４で作成された第１のインジケータによって、例えば、低電力センサ装置などの非オフロード装置は、ブロック２６０２で作成されたＰＨＹプリアンブルに基づいて、例えば、その装置がそのデータユニットの意図された受信装置ではないことを決定し、節電するためにそのデータユニットを廃棄することを可能にする。ブロック２６１２において、ブロック２６１０で作成されたデータユニットは送信される。
【０２３６】
図２７は、一実施形態による、制御データユニットを作成する例示の方法２７００のフロー図である。図１では、一実施形態において、方法２７００はネットワークインタフェース１６によって実行される。例えば、そのような一実施形態において、ＰＨＹ処理部２０は方法２７００を実行するように構成される。別の実施形態によれば、ＭＡＣ処理１８は同様に方法２７００の少なくとも一部を実行するように構成される。さらに図１では、さらに別の実施形態において、方法２７００はネットワークインタフェース２７（例えばＰＨＹ処理部２９および／またはＭＡＣ処理部２８）によって実行される。他の実施形態において、方法２７００は他の適切なネットワークインタフェースによって実行される。
【０２３７】
ブロック２７０２において、制御データユニットに含まれるＰＨＹプリアンブルが作成される。ブロック２７０４において、アドレスフィールドが作成される。アドレスフィールドは、制御データユニットが作成される通信装置を示す。例えば、一実施形態において、制御データの意図された受信装置と関連付けられた部分ＡＩＤを含むように部分ＡＩＤフィールドが作成される。別の例として、別の実施形態において、アドレスフィールドは、意図された受信装置の全ＡＩＤまたは全ＭＡＣアドレスを含むために作成される。一実施形態において、図１７のＩＤフィールド１７０４が作成される。別の実施形態において、異なるアドレスフィールドが作成される。
【０２３８】
ブロック２７０６において、フレームタイプフィールドが作成される。フレームタイプフィールドは、制御データユニットのタイプ（例えば確認応答、ＲＴＣ、ＣＴＣ等）を示す。一実施形態において、図１７のフレームタイプフィールド１７０２が作成される。別の実施形態において、異なるフレームタイプフィールドが作成される。
【０２３９】
ブロック２７０８において、ブロック２７０４で作成されたアドレスフィールドとブロック２７０８で作成されたフレームタイプフィールドとは、ブロック２７０２で作成されたＰＨＹプリアンブルに含まれる。ブロック２７１０において、制御データユニットが作成される。一実施形態において、図１７の制御データユニット１７００が作成される。別の実施形態において、異なる制御データユニットが作成される。制御データユニットは、ブロック２７０２で作成されたＰＨＹプリアンブルを含み、ＭＡＣヘッダおよびペイロードを省略する。ブロック２７１２において、ブロック２７０１で作成された制御データユニットは送信される。
【０２４０】
図２８は、一実施形態による、無線ネットワークにおいて伝送されるデータユニットを作成する例示の方法２８００のフロー図である。図１では、一実施形態において、方法２８００がネットワークインタフェース１６によって実行される。例えば、そのような一実施形態において、ＰＨＹ処理部２０は方法２８００を実行するように構成される。別の実施形態によれば、ＭＡＣ処理１８も同様に方法２８００の少なくとも一部を実行するように構成される。さらに図１では、さらに別の実施形態において、方法２８００はネットワークインタフェース２７（例えばＰＨＹ処理部２９および／またはＭＡＣ処理部２８）によって実行される。他の実施形態において、方法２８００は他の適切なネットワークインタフェースによって実行される。
【０２４１】
ブロック２８０２において、ＰＨＹプリアンブルが作成される。ブロック２８０２におけるＰＨＹプリアンブルの作成はブロック２８０４および２８０６を含む。ブロック２８０４において、確認応答フレームがデータユニットの後続となることが意図されているかを示すフィールドが作成される。ブロック２８０６において、ブロック２８０４で作成された確認応答表示フィールドがブロック２８０２で作成されたＰＨＹプリアンブルに含められる。一実施形態において、この確認応答表示は、例えば、図２１のデータユニット２１００の信号フィールド２１０２など、ＰＨＹプリアンブルの信号フィールドに含められる。ブロック２８０８において、データユニットに含められるＭＡＣヘッダが作成される。一実施形態において、図２１のＭＡＣヘッダ２１０４が作成される。別の実施形態において、別の適切なＭＡＣヘッダが作成される。ブロック２８１０において、データユニット（例えば図２１のデータユニット２１００）が作成される。ブロック２８１０で作成されたデータユニットは、ブロック２８０２で作成されたＰＨＹプリアンブルと、ブロック２８０８で作成されたＭＡＣヘッダとを含む。ブロック２８１２において、ブロック２８１０で作成されたデータユニットは送信される。
【０２４２】
図２９は、一実施形態による、無線ネットワーク内の通信媒体に対するアクセスを共有する例示の方法２９００のフロー図である。図１では、一実施形態において、方法２９００がネットワークインタフェース１６によって実行される。例えば、そのような一実施形態において、ＰＨＹ処理部２０は方法２９００を実行するように構成される。別の実施形態によれば、ＭＡＣ処理１８は同様に方法２９００の少なくとも一部を実行するように構成される。さらに図１では、さらに別の実施形態において、方法２５００はネットワークインタフェース２７（例えばＰＨＹ処理部２９および／またはＭＡＣ処理部２８）によって実行される。他の実施形態において、方法２５００は他の適切なネットワークインタフェースによって実行される。
【０２４３】
ブロック２９０２において、データユニットは第１の通信装置（例えばクライアントステーション２５−１）において受信される。一実施形態において、図２１のデータユニット２１００は第１の通信装置において受信される。別の実施形態において、別の適切なデータユニットが第１の通信装置において受信される。このデータユニットは、確認応答フレームがそのデータユニットの後続となることが意図されているかを示す表示を含むＰＨＹプリアンブルを含む。その場合、確認応答フレームは第２の通信装置（例えばクライアントステーション２５−２）によって送信される。ブロック２９０４において、第１の通信装置はブロック２９０２で受信されたデータユニットのＰＨＹプリアンブル内のフィールド（例えば信号フィールド）を処理して、確認応答フレームがそのデータユニットの後続となることが意図されているかを決定する。その場合、確認応答フレームは第３の通信装置（例えばＡＰ１４）に対して送信される。
【０２４４】
ブロック２９０６において、第１の通信装置は第１の通信装置が送信を禁止する期間を決定する。一実施形態において、ブロック２９０６で決定された期間は、少なくとも、そのデータユニットを送信する時間に対応する。さらに、確認応答フレームがそのデータユニットの後続となることが意図されていることがブロック２９０４で決定された場合、ブロック２９０６で決定された期間も同様に確認応答フレームを送信する時間に対応する。一実施形態において、第１の通信装置は、第１の通信装置のネットワークアロケーションベクトルをブロック２９０６で決定された期間に設定する。
【０２４５】
ブロック２９０８において、第１の通信装置はブロック２９０６で決定された期間において通信媒体における送信を禁止する。一実施形態において、ブロック２９０８における第１の通信装置による伝送の禁止によって、データユニットが第２の通信装置によって受信されるのに必要な期間および確認応答フレームが第３の通信装置によって受信されるのに必要な期間、第１の通信装置によって通信媒体が伝送されないように保護する。
【０２４６】
図３０は、一実施形態による、無線ネットワークにおいて制御データユニットを送信する例示の方法３０００のフロー図である。図１では、一実施形態において、方法３０００がネットワークインタフェース１６によって実行される。例えば、そのような一実施形態において、ＰＨＹ処理部２０は方法３０００を実行するように構成される。別の実施形態によれば、ＭＡＣ処理１８は同様に方法３０００の少なくとも一部を実行するように構成される。さらに図１では、さらに別の実施形態において、方法３０００はネットワークインタフェース２７（例えばＰＨＹ処理部２９および／またはＭＡＣ処理部２８）によって実行される。他の実施形態において、方法３０００は他の適切なネットワークインタフェースによって実行される。
【０２４７】
ブロック３００２において、制御データユニットを作成するためのベースチャンネル帯域幅が通信装置（例えばＡＰ１４またはクライアントステーション２５−１）において選択される。その後、ブロック３００４において、制御データユニットはブロック３００２で選択されたベース帯域幅で作成される。ブロック３００６において、ブロック３００４で作成された制御データユニットは、ベース帯域幅チャンネルで作成された制御データユニットがベースチャンネル帯域幅のＮ倍の帯域幅を占有する伝送を実現するように複製されるように送信される。この場合Ｎは２以上の整数である。一実施形態において、制御データユニットはこのように複製されるため、ブロック２９０２で決定された帯域幅とは異なる帯域幅で動作している装置は、制御データユニットを受信および解釈できる。一実施形態において、そのような制御データユニットの伝送の複製によって、例えば、制御データユニット（ＲＴＳ制御データユニット、ＣＴＳ制御データユニット等）によって保護されるべき伝送は、ブロック３００２で選択されたベース帯域幅とは異なる帯域幅で動作している装置による伝送から確実に保護されることとなる。
【０２４８】
図３１は、一実施形態による、無線ネットワークにおいてデータユニットを送信する例示の方法３１００のフロー図である。図１では、一実施形態において、方法３１００は、ネットワークインタフェース１６によって実行される。例えば、そのような一実施形態において、ＰＨＹ処理部２０は方法３１００を実行するように構成される。別の実施形態によれば、ＭＡＣ処理１８は同様に方法３１００の少なくとも一部を実行するように構成される。さらに図１では、さらに別の実施形態において、方法３１００はネットワークインタフェース２７（例えばＰＨＹ処理部２９および／またはＭＡＣ処理部２８）によって実行される。他の実施形態において、方法３１００は他の適切なネットワークインタフェースによって実行される。
【０２４９】
ブロック２１０３において、データユニットのＰＨＹプリアンブルが作成される。ブロック３１０４において、データユニットのＭＡＣヘッダが作成される。ブロック３１０６において、暗号化情報ヘッダが作成される。暗号化情報ヘッダは、データユニットの暗号化されたデータ部分の復号化のための情報を含む。一実施形態において、暗号化情報ヘッダの長さは最大４バイトである。ブロック３１１０において、データユニットが作成される。ブロック３１１０で作成されたデータユニットは、ブロック３１０２で作成されたＰＨＹプリアンブルと、ブロック３１０４で作成されたＭＡＣヘッダと、ブロック３１０８で作成された暗号化情報ヘッダとを含む。ブロック３１１０で作成されたデータユニットは、暗号化されたデータ部分を含む。ブロック３１１２において、ブロック３１１０で作成されたデータユニットが送信される。一実施形態において、ブロック３１１２で送信されたデータユニットを受信する受信装置は、ブロック３１０４で作成された短い（例えば４バイト）の暗号化情報ヘッダに含まれる情報に基づいてデータユニット暗号化されたデータ部分を復号化できる。
【０２５０】
上述した様々なブロック、動作、および技術の少なくともいくつかはハードウェア、ファームウェア命令を実行するプロセッサ、ソフトウェア命令を実行するプロセッサ、またはそのいずれかの組み合わせを用いて実行可能である。ソフトウェアまたはファームウェア命令を実行するプロセッサを用いて実行される場合、ソフトウェアまたはファームウェア命令は、ＲＡＭまたはＲＯＭまたはフラッシュメモリ、プロセッサ、ハードディスクドライブ、光ディスクドライブ、テープドライブ等の磁気ディスク、光ディスク、または他の格納媒体などのコンピュータ読取可能メモリに格納されてもよい。同様に、ソフトウェアまたはファームウェア命令は、例えば、コンピュータ読取可能ディスクまたはその他の可搬型コンピュータ格納装機構または通信媒体を介することを含む既知または所望の提供方法を介してユーザまたはシステムに対して提供されてもよい。通信媒体は、典型的に、コンピュータ読取可能命令、データ構造、プログラムモジュール、または搬送波またはその他の搬送機構などの変調データ信号内の他のデータを具体化したものである。「変調データ信号」なる用語は、信号内の情報を符号化するように設定または変更された特性のうちの１つ以上を有する信号を意味する。例として、この場合の通信媒体は有線ネットワークまたはダイレクト配線接続などの有線媒体や音響、無線周波数、赤外線などの無線媒体およびその他の無線媒体を含むがそれに限定されない。したがって、ソフトウェアまたはファームウェア命令は、電話線、ＤＳＬ回線、ケーブルテレビ回線、ファイバ光学線、無線通信チャンネル、インターネットなどの通信チャンネルを介してユーザまたはシステムに対して提供されてもよい。（これは可搬型格納媒体を介してソフトウェアを提供することと同一または置換え可能であるとみなされる）。ソフトウェアまたはファームウェア命令は、プロセッサによって実行されると、プロセッサに対して様々なＣＴＳを実行させる機械可読な命令も含んでもよい。
【０２５１】
ハードウェアにおいて実行される場合、そのハードウェアは個別部品、集積回路、特定用途集積回路（ＡＳＩＣ）等のうちの１つ以上を含んでもよい。
【０２５２】
本発明を特定の例を参照して説明してきたが、それらの例は例示目的であげられたに過ぎず、本発明を限定しないことを意図しており、開示された実施形態は本発明の範囲を逸脱せずに変更、追加および／または削除を行うことが可能である。
【図１】
2014524709.tif 000003
【図２】
2014524709.tif 000004
【図３】
2014524709.tif 000005
【図４】
2014524709.tif 000006
【図５Ａ】
2014524709.tif 000007
【図５Ｂ】
2014524709.tif 000008
【図６】
2014524709.tif 000009
【図７Ａ】
2014524709.tif 000010
【図７Ｂ】
2014524709.tif 000011
【図８Ａ】
2014524709.tif 000012
【図８Ｂ】
2014524709.tif 000013
【図８Ｃ】
2014524709.tif 000014
【図９Ａ】
2014524709.tif 000015
【図９Ｂ】
2014524709.tif 000016
【図９Ｃ】
2014524709.tif 000017
【図１０】
2014524709.tif 000018
【図１１】
2014524709.tif 000019
【図１２】
2014524709.tif 000020
【図１３】
2014524709.tif 000021
【図１４】
2014524709.tif 000022
【図１５Ａ】
2014524709.tif 000023
【図１５Ｂ】
2014524709.tif 000024
【図１５Ｃ】
2014524709.tif 000025
【図１５Ｄ】
2014524709.tif 000026
【図１５Ｅ】
2014524709.tif 000027
【図１６】
2014524709.tif 000028
【図１７】
2014524709.tif 000029
【図１８】
2014524709.tif 000030
【図１９Ａ】
2014524709.tif 000031
【図１９Ｂ】
2014524709.tif 000032
【図２０】
2014524709.tif 000033
【図２１】
2014524709.tif 000034
【図２２】
2014524709.tif 000035
【図２３】
2014524709.tif 000036
【図２４】
2014524709.tif 000037
【図２５】
2014524709.tif 000038
【図２６】
2014524709.tif 000039
【図２７】
2014524709.tif 000040
【図２８】
2014524709.tif 000041
【図２９】
2014524709.tif 000042
【図３０】
2014524709.tif 000043
【図３１】
2014524709.tif 000044
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
無線通信ネットワークにおいてデータユニットを送信する方法であって、
物理層プリアンブル（ＰＨＹプリアンブル）を作成する段階と、
媒体アクセス制御層ヘッダ（ＭＡＣヘッダ）を作成する段階と、を備え、
前記ＭＡＣヘッダを作成する段階は、
グローバルに一意でない第１のアドレスを含むための、（ｉ）前記データユニットの宛先として意図されている通信装置および（ｉｉ）前記データユニットを送信している通信装置の一方を示す第１アドレスフィールドを作成する段階、および、
第２のアドレスを含むための、（ｉ）前記データユニットの宛先として意図されている通信装置および（ｉｉ）前記データユニットを送信している通信装置の他方を示す第２アドレスフィールドを作成する段階を有し、
前記方法は、更に、
前記第１アドレスフィールドおよび前記第２アドレスフィールドを前記ＭＡＣヘッダに含める段階と、
前記ＰＨＹプリアンブルおよび前記ＭＡＣヘッダを含むための前記データユニットを作成する段階と、
前記データユニットが送信されるようにする段階と、を備え、
前記データユニットの前記ＭＡＣヘッダは、前記第１アドレスフィールドの前記第１のアドレスに対応するグローバル一意アドレスを省略する、方法。
【請求項２】
前記第１のアドレスは、前記無線通信ネットワーク内において一意であるが、その他の無線通信ネットワーク内では一意でない、請求項１に記載の方法。
【請求項３】
前記第２のアドレスはグローバルに一意ではなく、
前記データユニットの前記ＭＡＣヘッダは、送信時に、前記第２アドレスフィールドの前記第２のアドレスに対応するグローバル一意アドレスを省略する、請求項１または２に記載の方法。
【請求項４】
前記第２のアドレスは、グローバル一意のＭＡＣアドレスである、請求項１または２に記載の方法。
【請求項５】
前記第２のアドレスは、ネットワーク識別子（ネットワークＩＤ）である、請求項１または２に記載の方法。
【請求項６】
前記ネットワークＩＤは、グローバルに一意である、請求項５に記載の方法。
【請求項７】
前記第２のアドレスは、完全長のネットワーク識別子ＩＤを用いて作成される短縮ネットワークＩＤである、請求項１または２に記載の方法。
【請求項８】
（ｉ）グローバルに一意であり（ｉｉ）前記第１のアドレスに対応する、第３のアドレスを含むように前記データユニットのペイロードを作成する段階をさらに備え、
前記データユニットは、前記ペイロードを含むように作成される、請求項１から７の何れか１項に記載の方法。
【請求項９】
（ｉ）前記ＭＡＣヘッダと、（ｉｉ）グローバルに一意であり前記第１のアドレスに対応する第３のアドレスとを用いて、フレームチェックシーケンスフィールドを作成する段階をさらに備え、
前記データユニットは、（ｉ）前記フレームチェックシーケンスフィールドを含むように、および、（ｉｉ）前記第３のアドレスを省略するように作成される、請求項１から８の何れか１項に記載の方法。
【請求項１０】
前記ＭＡＣヘッダを作成することは、
前記無線通信ネットワークと関連付けられたネットワークアドレスを含むための第３アドレスフィールドを作成し、
前記ＭＡＣヘッダに前記第３アドレスフィールドを含めることをさらに含む、
請求項１から９の何れか１項に記載の方法。
【請求項１１】
前記第３のアドレスはグローバルに一意でない、請求項１０に記載の方法。
【請求項１２】
データユニットの物理層プリアンブル（ＰＨＹプリアンブル）を作成し、
媒体アクセス制御層ヘッダ（ＭＡＣヘッダ）を作成し、
前記ＰＨＹプリアンブルおよび前記ＭＡＣヘッダを含むように前記データユニットを作成し、および、
前記データユニットを送信する、ように構成されたネットワークインタフェースを備え、
前記ＭＡＣヘッダは、少なくとも、
グローバルに一意でない第１のアドレスを含むための、（ｉ）前記データユニットの宛先として意図されている通信装置および（ｉｉ）前記データユニットを送信している通信装置の一方を示す第１アドレスフィールドを作成すること、
第２のアドレスを含むための、（ｉ）前記データユニットの宛先として意図される通信装置および（ｉｉ）前記データユニットを送信している通信装置の他方を示す第２アドレスフィールドを作成すること、および、
前記第１アドレスフィールドおよび前記第２アドレスフィールドを前記ＭＡＣヘッダに含めること、によって作成され、
前記データユニットの前記ＭＡＣヘッダは、前記第１アドレスフィールドの前記第１のアドレスに対応するグローバル一意アドレスを省略する、通信装置。
【請求項１３】
前記第１のアドレスは、一の無線ネットワーク内において一意であるが、その他の無線ネットワーク内では一意でない、請求項１２に記載の通信装置。
【請求項１４】
前記第２のアドレスは、グローバルに一意ではなく、
前記データユニットの前記ＭＡＣヘッダは、送信時に、前記第２アドレスフィールドの前記第２のアドレスに対応するグローバル一意アドレスを省略する、請求項１２または１３に記載の通信装置。
【請求項１５】
前記第２のアドレスは、グローバル一意のＭＡＣアドレスである、請求項１２または１３に記載の通信装置。
【請求項１６】
前記第２のアドレスは、ネットワーク識別子（ネットワークＩＤ）である、請求項１２または１３に記載の通信装置。
【請求項１７】
前記ネットワークＩＤは、グローバルに一意である、請求項１６に記載の通信装置。
【請求項１８】
前記第２のアドレスは、完全長のネットワーク識別子ＩＤを用いて作成される短縮ネットワークＩＤである、請求項１２または１３に記載の通信装置。
【請求項１９】
前記ネットワークインタフェースは、（ｉ）グローバルに一意であり（ｉｉ）前記第１のアドレスに対応する、第３のアドレスを含むように前記データユニットのペイロードを作成するように構成され、
前記データユニットは、前記ペイロードを含むように作成される、請求項１２から１８の何れか１項に記載の通信装置。
【請求項２０】
前記ネットワークインタフェースは、（ｉ）前記ＭＡＣヘッダと、（ｉｉ）グローバルに一意であり前記第１のアドレスに対応する第３のアドレスとを用いて、フレームチェックシーケンスフィールドを作成するように構成され、
前記データユニットは、（ｉ）前記フレームチェックシーケンスフィールドを含むように、および、（ｉｉ）前記第３のアドレスを省略するように作成される、請求項１２から１９の何れか１項に記載の通信装置。
【請求項２１】
前記ネットワークインタフェースは、
一の無線ネットワークと関連付けられたネットワークアドレスを含むための第３アドレスフィールドを作成し、
前記ＭＡＣヘッダに前記第３アドレスフィールドを含めるように構成される、
請求項１２から２０の何れか１項に記載の通信装置。
【請求項２２】
前記第３のアドレスは、グローバルに一意でない、請求項２１に記載の通信装置。
【手続補正２】
【補正対象書類名】明細書
【補正対象項目名】０２５２
【補正方法】変更
【補正の内容】
【０２５２】
本発明を特定の例を参照して説明してきたが、それらの例は例示目的であげられたに過ぎず、本発明を限定しないことを意図しており、開示された実施形態は本発明の範囲を逸脱せずに変更、追加および／または削除を行うことが可能である。
（項目１）
無線通信ネットワークにおいてデータユニットを送信する方法であって、
物理層プリアンブル（ＰＨＹプリアンブル）を作成する段階と、
媒体アクセス制御層ヘッダ（ＭＡＣヘッダ）を作成する段階と、を備え、
上記ＭＡＣヘッダを作成する段階は、
グローバルに一意でない第１のアドレスを含むための、（ｉ）上記データユニットの宛先として意図されている通信装置および（ｉｉ）上記データユニットを送信している通信装置の一方を示す第１アドレスフィールドを作成する段階、および、
第２のアドレスを含むための、（ｉ）上記データユニットの宛先として意図される通信装置および（ｉｉ）上記データユニットを送信している通信装置の他方を示す第２アドレスフィールドを作成する段階を有し、
上記方法は、更に、
上記第１アドレスフィールドおよび上記第２アドレスフィールドを上記ＭＡＣヘッダに含める段階と、
上記ＰＨＹプリアンブルおよび上記ＭＡＣヘッダを含むための上記データユニットを作成する段階と、
上記データユニットが送信されるようにする段階と、を備え、
上記データユニットの上記ＭＡＣヘッダは、上記第１アドレスフィールドの上記第１のアドレスに対応するグローバル一意アドレスを省略する、方法。
（項目２）
上記第１のアドレスは、上記無線通信ネットワーク内において一意であるが、その他の無線通信ネットワーク内では一意でない、項目１に記載の方法。
（項目３）
上記第２のアドレスはグローバルに一意ではなく、
上記データユニットの上記ＭＡＣヘッダは、送信時に、上記第２アドレスフィールドの上記第２のアドレスに対応するグローバル一意アドレスを省略する、項目１に記載の方法。
（項目４）
上記第２のアドレスは、グローバル一意のＭＡＣアドレスである、項目１に記載の方法。
（項目５）
上記第２のアドレスは、ネットワーク識別子（ネットワークＩＤ）である、項目１に記載の方法。
（項目６）
上記ネットワークＩＤは、グローバルに一意である、項目５に記載の方法。
（項目７）
上記第２のアドレスは、完全長のネットワーク識別子ＩＤを用いて作成される短縮ネットワークＩＤである、項目１に記載の方法。
（項目８）
（ｉ）グローバルに一意であり（ｉｉ）上記第１のアドレスに対応する、第３のアドレスを含むように上記データユニットのペイロードを作成する段階をさらに備え、
上記データユニットは、上記ペイロードを含むように作成される、項目１に記載の方法。
（項目９）
（ｉ）上記ＭＡＣヘッダと、（ｉｉ）グローバルに一意であり上記第１のアドレスに対応する第３のアドレスとを用いて、フレームチェックシーケンスフィールドを作成する段階をさらに備え、
上記データユニットは、（ｉ）上記フレームチェックシーケンスフィールドを含むように、および、（ｉｉ）上記第３のアドレスを省略するように作成される、項目１に記載の方法。
（項目１０）
上記ＭＡＣヘッダを作成することは、
上記無線通信ネットワークと関連付けられたネットワークアドレスを含むための第３アドレスフィールドを作成し、
上記ＭＡＣヘッダに上記第３アドレスフィールドを含めることをさらに含む、
項目１に記載の方法。
（項目１１）
上記第３のアドレスはグローバルに一意でない、項目１０に記載の方法。
（項目１２）
データユニットの物理層プリアンブル（ＰＨＹプリアンブル）を作成し、
媒体アクセス制御層ヘッダ（ＭＡＣヘッダ）を作成し、
上記ＰＨＹプリアンブルおよび上記ＭＡＣヘッダを含むように上記データユニットを作成し、および、
上記データユニットを送信する、ように構成されたネットワークインタフェースを備え、
上記ＭＡＣヘッダは、少なくとも、
グローバルに一意でない第１のアドレスを含むための、（ｉ）上記データユニットの宛先として意図されている通信装置および（ｉｉ）上記データユニットを送信している通信装置の一方を示す第１アドレスフィールドを作成すること、
第２のアドレスを含むための、（ｉ）上記データユニットの宛先として意図される通信装置および（ｉｉ）上記データユニットを送信している通信装置の他方を示す第２アドレスフィールドを作成すること、および、
上記第１アドレスフィールドおよび上記第２アドレスフィールドを上記ＭＡＣヘッダに含めること、によって作成され、
上記データユニットの上記ＭＡＣヘッダは、上記第１アドレスフィールドの上記第１のアドレスに対応するグローバル一意アドレスを省略する、通信装置。
（項目１３）
上記第１のアドレスは、一の無線ネットワーク内において一意であるが、その他の無線ネットワーク内では一意でない、項目１２に記載の通信装置。
（項目１４）
上記第２のアドレスは、グローバルに一意ではなく、
上記データユニットの上記ＭＡＣヘッダは、送信時に、上記第２アドレスフィールドの上記第２のアドレスに対応するグローバル一意アドレスを省略する、項目１２に記載の通信装置。
（項目１５）
上記第２のアドレスは、グローバル一意のＭＡＣアドレスである、項目１２に記載の通信装置。
（項目１６）
上記第２のアドレスは、ネットワーク識別子（ネットワークＩＤ）である、項目１２に記載の通信装置。
（項目１７）
上記ネットワークＩＤは、グローバルに一意である、項目１６に記載の通信装置。
（項目１８）
上記第２のアドレスは、完全長のネットワーク識別子ＩＤを用いて作成される短縮ネットワークＩＤである、項目１２に記載の通信装置。
（項目１９）
上記ネットワークインタフェースは、（ｉ）グローバルに一意であり（ｉｉ）上記第１のアドレスに対応する、第３のアドレスを含むように上記データユニットのペイロードを作成するように構成され、
上記データユニットは、上記ペイロードを含むように作成される、項目１２に記載の通信装置。
（項目２０）
上記ネットワークインタフェースは、（ｉ）上記ＭＡＣヘッダと、（ｉｉ）グローバルに一意であり上記第１のアドレスに対応する第３のアドレスとを用いて、フレームチェックシーケンスフィールドを作成するように構成され、
上記データユニットは、（ｉ）上記フレームチェックシーケンスフィールドを含むように、および、（ｉｉ）上記第３のアドレスを省略するように作成される、項目１２に記載の通信装置。
（項目２１）
上記ネットワークインタフェースは、
一の無線ネットワークと関連付けられたネットワークアドレスを含むための第３アドレスフィールドを作成し、
上記ＭＡＣヘッダに上記第３アドレスフィールドを含めるように構成される、
項目１２に記載の通信装置。
（項目２２）
上記第３のアドレスは、グローバルに一意でない、項目２１に記載の通信装置。
（項目２３）
無線ネットワークにおいて送信されるデータユニットを作成する方法であって、
上記方法は、
物理層プリアンブル（ＰＨＹプリアンブル）を作成する段階と、
媒体アクセス制御層ヘッダ（ＭＡＣヘッダ）を作成する段階と、
上記ＰＨＹプリアンブルおよび上記ＭＡＣヘッダを含むように上記データユニットを作成する段階と、
上記データユニットが送信されるようにする段階と、を備え、
上記ＰＨＹプリアンブルを作成する段階は、
（ｉ）上記データユニットが、上記無線ネットワークとは別の携帯電話通信ネットワークからオフロードされたデータを含むか、および、（ｉｉ）上記データユニットが、上記携帯電話通信ネットワークから上記無線ネットワークへのデータのオフロードをサポートする通信装置によって（ａ）作成されるかまたは（ｂ）上記通信装置に対してアドレス指定されるか、のうちの少なくとも１つを示す第１のインジケータを作成する段階、および、
上記第１のインジケータを上記ＰＨＹプリアンブルに含める段階、を有する、方法。
（項目２４）
上記第１のインジケータは、さらに、上記データユニットが、上記無線ネットワークにおける電力要件の厳しい通信装置に対してアドレス指定されているかを示す、項目２３に記載の方法。
（項目２５）
上記ＰＨＹプリアンブルを作成する段階は、さらに、
上記データユニットが上記無線ネットワークにおいて電力要件の厳しい通信装置に対してアドレス指定されているかを示す第２のインジケータを作成する段階と、
上記第２のインジケータを上記ＰＨＹプリアンブルに含める段階と、を備える、項目２３に記載の方法。
（項目２６）
上記ＰＨＹプリアンブルの作成は、さらに、
上記データユニットの宛先として意図された通信装置の少なくとも部分的なアドレスを含むためのアドレスフィールドを作成する段階と、
上記ＰＨＹプリアンブルに上記アドレスフィールドを含める段階と、を備える、項目２３に記載の方法。
（項目２７）
上記第１のインジケータは、上記アドレスフィールドの一部である、項目２６に記載の方法。
（項目２８）
上記第１のインジケータは、上記アドレスフィールドとは別のフィールドである、項目２６に記載の方法。
（項目２９）
上記ＰＨＹプリアンブルを作成する段階は、さらに、
上記データユニットがアクセスポイントによって送信されるかを示す第２のインジケータを作成する段階と、
上記ＰＨＹプリアンブルに上記第２のインジケータを含める段階と、を有する、項目２３に記載の方法。
（項目３０）
上記ＰＨＹプリアンブルを作成する段階は、さらに、
ネットワーク識別子（ＩＤ）フィールドを作成する段階と、
上記ＰＨＹプリアンブルに上記ネットワークＩＤフィールドを含める段階と、を有する、項目２３に記載の方法。
（項目３１）
データユニットの物理層プリアンブル（ＰＨＹプリアンブル）を作成し、
媒体アクセス制御層ヘッダ（ＭＡＣヘッダ）を作成し、
上記ＰＨＹプリアンブルおよび上記ＭＡＣヘッダを含むように上記データユニットを作成し、および、
上記データユニットを送信する、ように構成されるネットワークインタフェースを備え、
上記ＰＨＹプリアンブルは、少なくとも、
（ｉ）上記データユニットが一の無線ネットワークとは別の携帯電話通信ネットワークからオフロードされたデータを含むか、および、（ｉｉ）上記データユニットが、上記携帯電話通信ネットワークから上記一の無線ネットワークへのデータのオフロードをサポートする通信装置によって（ａ）作成されるかまたは（ｂ）上記通信装置に対してアドレス指定されるか、のうちの少なくとも１つを示す第１のインジケータを作成すること、および、
上記第１のインジケータを上記ＰＨＹプリアンブルに含めること、によって作成される、装置。
（項目３２）
上記第１のインジケータは、さらに、上記データユニットが上記一の無線ネットワークにおける電力要件の厳しい通信装置に対してアドレス指定されているかを示す、項目３１に記載の装置。
（項目３３）
上記ネットワークインタフェースは、さらに、
上記データユニットが上記一の無線ネットワークにおいて電力要件の厳しい通信装置に対してアドレス指定されているかを示す第２のインジケータを作成し、および、
上記第２のインジケータを上記ＰＨＹプリアンブルに含める、ように構成される、項目３１に記載の装置。
（項目３４）
上記ネットワークインタフェースは、さらに、
上記データユニットの宛先として意図された通信装置の少なくとも部分的なアドレスを含むためのアドレスフィールドを作成し、および、
上記ＰＨＹプリアンブルに上記アドレスフィールドを含める、ように構成される、項目３１に記載の装置。
（項目３５）
上記第１のインジケータは、上記アドレスフィールドの一部である、項目３４に記載の装置。
（項目３６）
上記第１のインジケータは、上記アドレスフィールドとは別のフィールドである、項目３４に記載の装置。
（項目３７）
上記ネットワークインタフェースは、さらに、
上記データユニットがアクセスポイントによって送信されるかを示す第２のインジケータを作成し、および、
上記ＰＨＹプリアンブルに上記第２のインジケータを含める、ように構成される、項目３１に記載の装置。
（項目３８）
上記ネットワークインタフェースは、さらに、
ネットワーク識別子（ＩＤ）フィールドを作成し、および、
上記ＰＨＹプリアンブルに上記ネットワークＩＤフィールドを含める、ように構成される、項目３１に記載の装置。
（項目３９）
無線ネットワークにおいて送信されるデータユニットを作成する方法であって、
上記方法は、
物理層プリアンブル（ＰＨＹプリアンブル）を作成する段階と、
媒体アクセス制御層ヘッダ（ＭＡＣヘッダ）を作成する段階と、
暗号化されたデータ部分を復号化するための情報を含むための暗号化情報ヘッダを作成する段階と、
上記暗号化されたデータ部分を作成する段階と、
（ｉ）上記ＰＨＹプリアンブルと、（ｉｉ）上記ＭＡＣヘッダと、（ｉｉｉ）上記暗号化情報ヘッダと、（ｉｖ）上記暗号化されたデータ部分とを含むように上記データユニットを作成する段階と、
上記データユニットを送信させる段階と、を備え、
上記暗号化情報ヘッダの長さは、最大４バイトである、方法。
（項目４０）
上記暗号化情報ヘッダの長さは最大２バイトである、項目３９に記載の方法。
（項目４１）
上記ＭＡＣヘッダは、上記暗号化されたデータ部分を復号化するために使用される鍵のインジケータを含むように作成される、項目３９に記載の方法。
（項目４２）
上記ＭＡＣヘッダを作成する段階は、
（ｉ）ネットワーク識別子（ネットワークＩＤ）および（ｉｉ）最大１２ビットの長さを有するアソシエーションＩＤのうちの少なくとも１つを含むように、上記ＭＡＣヘッダを作成する段階を有し、
上記アソシエーションＩＤは、上記データユニットの送信装置を示し、
上記暗号化されたデータ部分を作成する段階は、
（ｉ）上記ネットワークＩＤおよび（ｉｉ）上記アソシエーションＩＤのうちの少なくとも１つを含むようにノンスを作成する段階と、
上記ノンスを使用して上記データ部分を暗号化する段階と、を有する、項目３９に記載の方法。
（項目４３）
上記ＰＨＹプリアンブルを作成する段階または上記ＭＡＣヘッダを作成する段階は、
上記データユニットがアクセスポイントから送信されるかを示すフラグを含むように上記ＰＨＹプリアンブルまたは上記ＭＡＣヘッダを作成する段階を有し、
上記暗号化されたデータ部分を作成する段階は、
上記フラグを含むようにノンスを作成する段階と、
上記ノンスを使用して上記データ部分を暗号化する段階と、を有する、項目３９に記載の方法。
（項目４４）
上記暗号化されたデータ部分を作成する段階は、
上記データユニットの意図された受信側の媒体アクセス制御アドレス（ＭＡＣアドレス）を含むようにノンスを作成する段階と、
上記ノンスを使用して上記データ部分を暗号化する段階と、を有し、
上記ＭＡＣアドレスは、上記ＭＡＣヘッダに含められる、項目３９に記載の方法。
（項目４５）
物理層プリアンブル（ＰＨＹプリアンブル）を作成し、
媒体アクセス制御層ヘッダ（ＭＡＣヘッダ）を作成し、
暗号化されたデータ部分を復号化するための情報を含むように暗号化情報ヘッダを作成し、
上記暗号化されたデータ部分を作成し、
（ｉ）上記ＰＨＹプリアンブルと、（ｉｉ）上記ＭＡＣヘッダと、（ｉｉｉ）上記暗号化情報ヘッダと、（ｉｖ）上記暗号化されたデータ部分とを含むようにデータユニットを作成し、および、
上記データユニットを送信する、ように構成されるネットワークインタフェースを備え、
上記暗号化情報ヘッダの長さは最大４バイトである、通信装置。
（項目４６）
上記暗号化情報ヘッダの長さは、最大２バイトである、項目４５に記載の通信装置。
（項目４７）
上記ネットワークインタフェースは、上記暗号化されたデータ部分を復号化するために使用される鍵のインジケータを含むように上記ＭＡＣヘッダを作成するように構成される、項目４５に記載の通信装置。
（項目４８）
上記ネットワークインタフェースは、
（ｉ）ネットワーク識別子（ネットワークＩＤ）および（ｉｉ）最大１２ビットの長さを有するアソシエーションＩＤのうちの少なくとも１つを含むように上記ＭＡＣヘッダを作成し、
（ｉ）上記ネットワークＩＤおよび（ｉｉ）上記アソシエーションＩＤのうちの少なくとも１つを含むようにノンスを作成し、および、
上記ノンスを使用して上記データ部分を暗号化する、ように構成され、
上記アソシエーションＩＤは、上記データユニットの送信装置を示す、項目４５に記載の通信装置。
（項目４９）
上記ネットワークインタフェースは、
上記データユニットがアクセスポイントから送信されるかを示すフラグを含むように上記ＰＨＹプリアンブルまたは上記ＭＡＣヘッダを作成し、
上記フラグを含むようにノンスを作成し、および、
上記ノンスを使用して上記データ部分を暗号化する、ように構成される、項目４５に記載の通信装置。
（項目５０）
上記ネットワークインタフェースは、
上記データユニットの意図された受信側の媒体アクセス制御アドレス（ＭＡＣアドレス）を含むようにノンスを作成し、
上記ノンスを使用して上記データ部分を暗号化するように構成され、
上記ＭＡＣアドレスは上記ＭＡＣヘッダに含められる、項目４５に記載の通信装置。
（項目５１）
制御データユニットを作成する方法であって、
上記方法は、
上記制御データユニットの物理層プリアンブル（ＰＨＹプリアンブル）を作成する段階と、
上記ＰＨＹプリアンブルを含むように上記制御データユニットを作成する段階と、
上記制御データユニットを送信させる段階と、を備え、
上記ＰＨＹプリアンブルを作成する段階は、
上記データユニットの宛先として意図される通信装置を示すアドレスフィールドを作成する段階と、
上記制御データユニットのタイプを示すフレームタイプフィールドを作成する段階と、
上記アドレスフィールドおよび上記フレームタイプフィールドを上記ＰＨＹプリアンブルに含める段階と、を有し、
上記制御データユニットが（ｉ）ＭＡＣヘッダおよび（ｉｉｉ）ペイロードを省略する、方法。
（項目５２）
上記アドレスフィールドのアドレスは、グローバルに一意でないアドレスを含む、項目５１に記載の方法。
（項目５３）
上記ＰＨＹプリアンブルの作成する段階は、
固定長の制御データユニットのインジケータを作成する段階と、
上記インジケータを上記ＰＨＹプリアンブルに含める段階とを含む、項目５１に記載の方法。
（項目５４）
上記制御データユニットは、最低変調符号化方式に従って送信される、項目５１に記載の方法。
（項目５５）
上記制御データユニットは、単一の空間ストリームを使用して送信される、項目５１に記載の方法。
（項目５６）
上記制御データユニットは、他のデータユニットのデータに対して実行される誤り検出動作に対応するフレームチェックシーケンス（ＦＣＳ）を有する上記他のデータユニットの受信を通知する確認応答データユニットであり、
上記方法は、さらに、上記データユニットの上記ＰＨＹプリアンブル内に、上記他のデータユニットからの上記ＦＣＳの少なくとも一部を含めることを含む、項目５１に記載の方法。
（項目５７）
上記制御データユニットは、送信要求データユニット（ＲＴＳデータユニット）内のデータに対して実行される誤り検出動作に対応するフレームチェックシーケンス（ＦＣＳ）を有する上記ＲＴＳデータユニットの受信を通知する送信可（ＣＴＳ）データユニットであり、
上記方法は、上記データユニットの上記ＰＨＹプリアンブルに上記ＲＴＳデータユニットの上記ＦＣＳの少なくとも一部を含めることを含む、
項目５１に記載の方法。
（項目５８）
上記ＰＨＹプリアンブルの作成は、
（ｉ）上記データユニットはアクセスポイント（ＡＰ）を宛先として意図したものであるか、または（ｉｉ）上記データユニットが上記ＡＰによって送信されたものであるかを示すインジケータを作成し、
上記ＰＨＹプリアンブルに上記インジケータを含める
ことを含む、項目５１に記載の方法。
（項目５９）
上記ＰＨＹプリアンブルの作成は、
デュレーションフィールドを作成し、
上記ＰＨＹプリアンブルに上記デュレーションフィールドを含める
ことを含む、項目５１に記載の方法。
（項目６０）
上記ＰＨＹプリアンブルの作成は、
通信装置が利用可能な帯域幅の量を示す帯域幅フィールドを作成し、
上記ＰＨＹプリアンブルに上記帯域幅フィールドを含める
ことを含む、項目５１に記載の方法。
（項目６１）
上記アドレスフィールドおよび上記フレームタイプフィールドは、上記ＰＨＹプリアンブルの信号フィールドに含まれる、項目５１に記載の方法。
（項目６２）
制御データユニットの物理層プリアンブル（ＰＨＹプリアンブル）を作成し、
上記ＰＨＹプリアンブルを含むように上記制御データユニットを作成し、
上記制御データユニットを送信する、ように構成されるネットワークインタフェースを備え、
上記制御データユニットは、少なくとも、
上記データユニットの宛先として意図される通信装置を示すアドレスフィールドを作成すること、
制御データユニットのタイプを示すフレームタイプフィールドを作成すること、および、
上記アドレスフィールドおよび上記フレームタイプフィールドを上記ＰＨＹプリアンブルに含めること、によって作成され、
上記制御データユニットが（ｉ）ＭＡＣヘッダおよび（ｉｉｉ）ペイロードを省略する、
装置。
（項目６３）
上記アドレスフィールドのアドレスは、グローバルに一意でないアドレスを含む、項目６２に記載の装置。
（項目６４）
上記ネットワークインタフェースは、少なくとも、
固定長の制御データユニットのインジケータを作成すること、および、
上記インジケータを上記ＰＨＹプリアンブルに含めること、によって上記ＰＨＹプリアンブルを作成するように構成される、項目６２に記載の装置。
（項目６５）
上記ネットワークインタフェースは、上記制御データユニットを、最低変調符号化方式に従って送信するように構成される、項目６２に記載の装置。
（項目６６）
上記ネットワークインタフェースは、上記制御データユニットを、単一の空間ストリームを使用して送信するように構成される、項目６２に記載の装置。
（項目６７）
上記制御データユニットは、他のデータユニットのデータに対して実行される誤り検出動作に対応するフレームチェックシーケンス（ＦＣＳ）を有する上記他のデータユニットを受信したことを通知する確認応答データユニットであり、
上記ネットワークインタフェースは、上記データユニットの上記ＰＨＹプリアンブル内に、上記他のデータユニットからの上記ＦＣＳの少なくとも一部を含めるように構成される、項目６２に記載の装置。
（項目６８）
上記制御データユニットは、送信要求データユニット（ＲＴＳデータユニット）内のデータに対して実行される誤り検出動作に対応するフレームチェックシーケンス（ＦＣＳ）を有する上記ＲＴＳデータユニットを受信したことを通知する送信可（ＣＴＳ）データユニットであり、
上記ネットワークインタフェースは、上記データユニットの上記ＰＨＹプリアンブルに上記ＲＴＳデータユニットの上記ＦＣＳの少なくとも一部を含めるように構成される、
項目６２に記載の装置。
（項目６９）
上記ネットワークインタフェースは、少なくとも、
（ｉ）上記データユニットはアクセスポイント（ＡＰ）を宛先として意図したものであるか、または（ｉｉ）上記データユニットが上記ＡＰによって送信されたものであるかを示すインジケータを作成し、
上記ＰＨＹプリアンブルに上記インジケータを含める、ことによって上記ＰＨＹプリアンブルを作成するように構成される、項目６２に記載の装置。
（項目７０）
上記ネットワークインタフェースは、少なくとも、
デュレーションフィールドを作成し、
上記ＰＨＹプリアンブルに上記デュレーションフィールドを含めること、によって上記ＰＨＹプリアンブルを作成するように構成される、項目６２に記載の装置。
（項目７１）
上記ネットワークインタフェースは、少なくとも、
通信装置が利用可能な帯域幅の量を示す帯域幅フィールドを作成し、
上記ＰＨＹプリアンブルに上記帯域幅フィールドを含める、ことによって上記ＰＨＹプリアンブルを作成するように構成される、項目６２に記載の装置。
（項目７２）
上記ネットワークインタフェースは、上記アドレスフィールドおよび上記フレームタイプフィールドを、上記ＰＨＹプリアンブルの信号フィールド内に含めるように構成される、項目６２に記載の装置。
（項目７３）
無線ネットワークにおいて制御データユニットを送信する方法であって、上記方法は、
通信装置において、上記制御データユニットを作成するために、複数のベースチャンネル帯域幅からベースチャンネル帯域幅を選択する段階と、
上記通信装置において、上記選択されたベースチャンネル帯域幅で上記制御データユニットを作成する段階と、
上記選択されたチャンネル帯域幅の上記制御データユニットが複製されて、上記ベースチャンネル帯域幅のＮ倍を占める伝送を実現するように上記通信装置によって上記制御データユニットを送信させる段階と、を備え、
Ｎは２以上の整数である、方法。
（項目７４）
上記ベースチャンネル帯域幅の選択はチャンネル条件に基づく、項目７３に記載の方法。
（項目７５）
上記ベースチャンネル帯域幅の選択は、上記無線ネットワークにおける１つ以上の他の通信装置のチャンネル帯域幅機能に基づく、項目７３に記載の方法。
（項目７６）
上記ベースチャンネル帯域幅の選択は、上記通信装置によって受信される送信要求データユニット（ＲＴＳデータユニット）を送信するために使用されるベースチャンネル帯域幅に基づく、項目７３に記載の方法。
（項目７７）
上記ベースチャンネル帯域幅の選択は、別の通信装置から受信されたベースチャンネル帯域幅要求に基づく、項目７３に記載の方法。
（項目７８）
上記複数のベースチャンネル帯域幅は、少なくとも（ｉ）１ＭＨｚおよび（ｉｉ）２ＭＨｚを含む、項目７３に記載の方法。
（項目７９）
全チャンネル帯域幅は４ＭＨｚ、８ＭＨｚ、または１６ＭＨｚであり、
上記方法は、さらに、
上記通信装置において、チャンネル条件に応じて、
（ｉ）送信要求データユニット（ＲＴＳデータユニット）または自己へ送信可（ＣＴＳ  ｔｏ  ｓｅｌｆ）データユニットを送信しないこと、
（ｉｉ）上記ＲＴＳデータユニットまたは上記ＣＴＳ  ｔｏ  ｓｅｌｆデータユニットを２ＭＨｚのベース帯域幅で送信すること、または、
（ｉｉｉ）上記ＲＴＳデータユニットまたは上記ＣＴＳ  ｔｏ  ｓｅｌｆデータユニットを１ＭＨｚのベース帯域幅で送信すること、を選択する段階を備え、
（ｉｉ）または（ｉｉｉ）が選択された場合には、
上記通信装置において、上記ＲＴＳデータユニットまたは上記ＣＴＳ  ｔｏ  ｓｅｌｆデータユニットを上記選択されたベース帯域幅で作成する段階と、
上記通信装置において、上記ＲＴＳデータユニットまたは上記ＣＴＳ  ｔｏ  ｓｅｌｆデータユニットが複製されて上記全チャンネル帯域幅を占める伝送を実現するように、上記通信装置によって上記ＲＴＳデータユニットまたは上記ＣＴＳ  ｔｏ  ｓｅｌｆデータユニットを送信させる段階と、を備える、項目７３に記載の方法。
（項目８０）
制御データユニットを作成するために、複数のベースチャンネル帯域幅からベースチャンネル帯域幅を選択し、
上記選択されたベースチャンネル帯域幅で上記制御データユニットを作成し、
上記選択されたチャンネル帯域幅の上記制御データユニットが複製されて、上記ベースチャンネル帯域幅のＮ倍を占める伝送を実現するように上記制御データユニットを送信するように構成される、ネットワークインタフェースを備え、
Ｎは２以上の整数である、通信装置。
（項目８１）
上記ネットワークインタフェースは、チャンネル条件に基づいて上記ベースチャンネル帯域幅を選択するように構成される、項目８０に記載の通信装置。
（項目８２）
上記ネットワークインタフェースは、無線ネットワークにおける１つ以上の他の通信装置のチャンネル帯域幅機能に基づいて上記ベースチャンネル帯域幅を選択するように構成される、項目８０に記載の通信装置。
（項目８３）
上記ネットワークインタフェースは、上記通信装置によって受信される送信要求データユニット（ＲＴＳデータユニット）を送信するために使用されるベースチャンネル帯域幅に基づいて上記ベースチャンネル帯域幅を選択するように構成される、項目８０に記載の通信装置。
（項目８４）
上記ネットワークインタフェースは、別の通信装置から受信されたベースチャンネル帯域幅要求に基づいて上記ベースチャンネル帯域幅を選択するように構成される、項目８０に記載の通信装置。
（項目８５）
上記複数のベースチャンネル帯域幅は、少なくとも（ｉ）１ＭＨｚおよび（ｉｉ）２ＭＨｚを含む、項目８０に記載の通信装置。
（項目８６）
全チャンネル帯域幅は４ＭＨｚ、８ＭＨｚ、または１６ＭＨｚであり、
上記ネットワークインタフェースは、
チャンネル条件に応じて、
（ｉ）送信要求データユニット（ＲＴＳデータユニット）または自己へ送信可（ＣＴＳ  ｔｏ  ｓｅｌｆ）データユニットを送信しないこと、
（ｉｉ）上記ＲＴＳデータユニットまたは上記ＣＴＳ  ｔｏ  ｓｅｌｆデータユニットを２ＭＨｚのベース帯域幅で送信すること、または
（ｉｉｉ）上記ＲＴＳデータユニットまたは上記ＣＴＳ  ｔｏ  ｓｅｌｆデータユニットを１ＭＨｚのベース帯域幅で送信すること、を選択し、
（ｉｉ）または（ｉｉｉ）が選択された場合には、
上記ＲＴＳデータユニットまたは上記ＣＴＳ  ｔｏ  ｓｅｌｆデータユニットを上記選択されたベース帯域幅で作成し、
上記ＲＴＳデータユニットまたは上記ＣＴＳ  ｔｏ  ｓｅｌｆデータユニットが複製されて上記全チャンネル帯域幅を占める伝送を実現するように、上記ＲＴＳデータユニットまたは上記ＣＴＳ  ｔｏ  ｓｅｌｆデータユニットを送信する、ように構成される、項目８０に記載の通信装置。
（項目８７）
無線ネットワークにおいて送信されるデータユニットを作成する方法であって、
上記方法は、
物理層プリアンブル（ＰＨＹプリアンブル）を作成する段階と、
媒体アクセス制御層ヘッダ（ＭＡＣヘッダ）を作成する段階と、
上記ＰＨＹプリアンブルおよび上記ＭＡＣヘッダを含むように上記データユニットを作成する段階と、
上記データユニットが送信されるようにする段階と、を備え、
上記ＰＨＹプリアンブルを作成する段階は、
確認応答データユニットが上記データユニットの後続となることを意図されているかを示すフィールドを作成する段階と、
上記ＰＨＹプリアンブルに上記フィールドを含める段階と、を有する、方法。
（項目８８）
上記フィールドは、さらに、上記確認応答データユニットが上記データユニットの後続となることが意図されている場合に、上記確認応答データユニットがブロック確認応答であるかを示す、項目８７に記載の方法。
（項目８９）
上記フィールドは２ビットからなり、
上記フィールドの第１の値は、上記確認応答データユニットが上記データユニットの後続となることが意図されていることを示し、
上記フィールドの第２の値は、ブロック確認応答データユニットが上記データユニットの後続となることが意図されてことを示し、
上記フィールドの第３の値は、上記データユニットの後続となることが意図されている確認応答データユニットが存在しないことを示す、
項目８７に記載の方法。
（項目９０）
上記データユニットは第１のデータユニットであり、
確認応答データユニットが上記第１のデータユニットの後続となることが意図されるかを示す上記フィールドは第１のフィールドであり、
上記方法は、さらに、
第２のデータユニットが上記確認応答データユニットの後に送信されるかを示す第２のフィールドを作成する段階と、
上記第２のフィールドを上記第１のデータユニットの上記ＰＨＹプリアンブルに含める段階と、
上記第２のデータユニットを作成する段階と、
上記確認応答データユニットの受信後に、上記第２のデータユニットが送信されるようにする段階と、を備える、項目８７に記載の方法。
（項目９１）
物理層プリアンブル（ＰＨＹプリアンブル）を作成し、
媒体アクセス制御層ヘッダ（ＭＡＣヘッダ）を作成し、
上記ＰＨＹプリアンブルおよび上記ＭＡＣヘッダを含むようにデータユニットを作成し、および、
上記データユニットを送信する、ように構成されるネットワークインタフェースを備え、
上記ＰＨＹプリアンブルは、少なくとも、
確認応答データユニットが上記データユニットの後続となることを意図されているかを示すフィールドを作成すること、および、
ＰＨＹプリアンブルに上記フィールドを含めること、によって作成される、装置。
（項目９２）
上記フィールドは、さらに、上記確認応答データユニットが上記データユニットの後続となることが意図されている場合に、上記確認応答データユニットがブロック確認応答であるかを示す、項目９１に記載の装置。
（項目９３）
上記フィールドは２ビットからなり、
上記フィールドの第１の値は、上記確認応答データユニットが上記データユニットの後続となることが意図されていることを示し、
上記フィールドの第２の値は、ブロック確認応答確認応答データユニットが上記データユニットの後続となることが意図されていることを示し、
上記フィールドの第３の値は、上記データユニットの後続となることが意図されている確認応答データユニットが存在しないことを示す、項目９１に記載の装置。
（項目９４）
上記データユニットは第１のデータユニットであり、
確認応答フレームが上記第１のデータユニットの後続となることが意図されるかを示す上記フィールドは第１のフィールドであり、
上記ネットワークインタフェースは、さらに、
第２のデータユニットが上記確認応答フレームの後に送信されるかを示す第２のフィールドを作成し、
上記第２のフィールドを上記第１のデータユニットの上記ＰＨＹプリアンブルに含め、
上記第２のデータユニットを作成し、
上記確認応答フレームの受信後に、上記第２のデータユニットを送信する、ように構成される、項目９１に記載の装置。
（項目９５）
無線ネットワークにおいて通信媒体に対するアクセスを共有する方法であって、
上記方法は、
第１の通信装置において、第２の通信装置によって送信されたデータユニットを受信する段階と、
上記第１の通信装置において、上記データユニットの物理層プリアンブル（ＰＨＹプリアンブル）のフィールドを処理して、確認応答データユニットが上記データユニットの後続となることが意図されているかを決定する段階と、
上記第１の通信装置において、上記第１の通信装置による送信を禁止する期間を決定する段階と、
上記決定された期間中は上記第１の通信装置において送信が禁止される段階と、を備え、
上記ＰＨＹプリアンブルの上記フィールドは、確認応答データユニットが上記データユニットの後続となることが意図されているかを示し、上記確認応答データユニットが第３の通信装置によって送信され、
上記期間は、（ｉ）上記データユニットを送信する時間、（ｉｉ）確認応答データユニットが上記データユニットの後続となることが意図されることが決定された場合、上記確認応答データユニットを送信する時間に対応する、方法。
（項目９６）
上記確認応答データユニットが上記データユニットの後続となることが意図されている場合、上記フィールドは、さらに、上記確認応答データユニットがブロック確認応答であるかを示す、項目９５に記載の方法。
（項目９７）
上記フィールドは２ビットからなり、
上記フィールドの第１の値は、上記確認応答データユニットが上記データユニットの後続となることが意図されることを示し、
上記フィールドの第２の値は、ブロック確認応答確認応答データユニットが上記データユニットの後続となることが意図されることを示し、
上記フィールドの第３の値は、上記データユニットの後続となることが意図される確認応答データユニットが存在しないことを示す、
項目９５に記載の方法。
（項目９８）
上記データユニットは第１のデータユニットであり、
確認応答データユニットが上記第１のデータユニットの後続となることが意図されるかを示す上記フィールドは第１のフィールドであり、
上記方法は、さらに、
上記第１の通信装置において、上記第１のデータユニットの上記ＰＨＹプリアンブルの第２のフィールドを処理して、第２のデータユニットが上記確認応答データユニットの後に上記第２の通信装置によって送信されるかを決定する段階を備え、
上記期間は、（ｉｉｉ）上記第２のデータユニットが上記確認応答データユニットの後に上記第２の通信装置によって送信されることが決定された場合、上記第２のデータユニットを送信する時間にも対応する、項目９５に記載の方法。
（項目９９）
上記データユニットは第１のデータユニットであり、
確認応答データユニットが上記第１のデータユニットの後続となることが意図されることを示す上記フィールドは第１のフィールドであり、
上記方法は、さらに、
上記第１の通信装置において、上記第３の通信装置によって送信された上記確認応答データユニットを受信する段階と、
上記第１の通信装置において、上記確認応答データユニットの第２のフィールドを処理して、第２のデータユニットが、上記確認応答データユニットの後に上記第２の通信装置によって送信されるかを決定する段階と、を備え、
上記確認応答データユニットの上記第２のフィールドが、上記第２のデータユニットが上記確認応答データユニットの後に上記第２の通信装置によって送信されるかを示し、
上記期間は、（ｉｉｉ）上記第２のデータユニットが、上記確認応答データユニットの後に上記第２の通信装置によって送信されることが決定された場合、上記第２のデータユニットを送信する時間にも対応する、項目９５に記載の方法。
（項目１００）
第２の通信装置によって送信されたデータユニットを受信し、
上記データユニットの物理層プリアンブル（ＰＨＹプリアンブル）のフィールドを処理して、確認応答データユニットが上記データユニットの後続となることが意図されているかを決定し、
第１の通信装置による送信を禁止する期間を決定し、および、
上記決定された期間中は送信を禁止するように構成されるネットワークインタフェースを備え、
上記ＰＨＹプリアンブルの上記フィールドは、確認応答データユニットが上記データユニットの後続となることが意図されているかを示し、
上記確認応答データユニットが、第３の通信装置によって送信され、
上記期間は、（ｉ）上記データユニットを送信する時間、（ｉｉ）確認応答データユニットが上記データユニットの後続となることが意図されることが決定された場合、上記確認応答データユニットを送信する時間に対応する、第１の通信装置。
（項目１０１）
上記確認応答データユニットが上記データユニットの後続となることが意図されている場合、上記フィールドは、さらに、上記確認応答データユニットがブロック確認応答であるかを示す、項目１００に記載の第１の通信装置。
（項目１０２）
上記フィールドは２ビットからなり、
上記フィールドの第１の値は、上記確認応答データユニットが上記データユニットの後続となることが意図されることを示し、
上記フィールドの第２の値は、ブロック確認応答確認応答データユニットが上記データユニットの後続となることが意図されることを示し、
上記フィールドの第３の値は、上記データユニットの後続となることが意図される確認応答データユニットが存在しないことを示す、
項目１００に記載の第１の通信装置。
（項目１０３）
上記データユニットは第１のデータユニットであり、
確認応答データユニットが上記第１のデータユニットの後続となることが意図されることを示す上記フィールドは、第１のフィールドであり、
上記ネットワークインタフェースは、上記第１のデータユニットの上記ＰＨＹプリアンブルの第２のフィールドを処理して、第２のデータユニットが、上記確認応答データユニットの後に上記第２の通信装置によって送信されるかを決定するように構成され、
上記期間は、（ｉｉｉ）上記第２のデータユニットが上記確認応答データユニットの後に上記第２の通信装置によって送信されることが決定された場合、上記第２のデータユニットを送信する時間にも対応する、項目１００に記載の第１の通信装置。
（項目１０４）
上記データユニットは第１のデータユニットであり、
確認応答データユニットが上記第１のデータユニットの後続となることが意図されることを示す上記フィールドは、第１のフィールドであり、
上記ネットワークインタフェースは、
上記第３の通信装置によって送信された上記確認応答データユニットを受信し、
上記確認応答データユニットの第２のフィールドを処理して、第２のデータユニットが、上記確認応答データユニットの後に上記第２の通信装置によって送信されるかを決定する、ように構成され、
上記確認応答データユニットの上記第２のフィールドが、上記第２のデータユニットが上記確認応答データユニットの後に上記第２の通信装置によって送信されるかを示し、
上記期間は、（ｉｉｉ）上記第２のデータユニットが、上記確認応答データユニットの後に上記第２の通信装置によって送信されることが決定された場合、上記第２のデータユニットを送信する時間にも対応する、項目１００に記載の第１の通信装置。
【国際調査報告】
2014524709.tif 000045
2014524709.tif 000046
2014524709.tif 000047
2014524709.tif 000048